(57)【要約】  マシン−マシン（Ｍ２Ｍ）無線ワイドエリアネットワーク（ＷＡＮ）における無線通信を管理するための方法、システム、及びデバイスが説明される。Ｍ２Ｍ無線ＷＡＮの動作周波数帯域が少なくとも第１の周波数チャネル及び第２の周波数チャネルに分割される。第１及び第２の周波数チャネルは、逆方向リンクでの通信のために使用される。第１のチャネル状態情報及び第２のチャネル状態情報が１つ以上のＭ２Ｍデバイスにブロードキャストされる。第１のチャネル状態情報は、第１の周波数チャネルの状態を示す。第２のチャネル状態情報は、第２の周波数チャネルの状態を示す。
2016502814.tif 000002
【特許請求の範囲】
【請求項１】
マシン−マシン（Ｍ２Ｍ）無線ワイドエリアネットワーク（ＷＡＮ）における無線通信のための方法であって、
前記Ｍ２Ｍ無線ＷＡＮの動作周波数帯域を少なくとも第１の周波数チャネル及び第２の周波数チャネルに分割することであって、前記第１及び第２の周波数チャネルは、逆方向リンクでの通信のために使用されることと、
第１のチャネル状態情報及び第２のチャネル状態情報を１つ以上のＭ２Ｍデバイスにブロードキャストすることであって、前記第１のチャネル状態情報は、前記第１の周波数チャネルの状態を示し、前記第２のチャネル状態情報は、前記第２の周波数チャネルの状態を示すことと、を備える、方法。
【請求項２】
前記状態は、アイドル状態又はビジー状態を備える請求項１に記載の方法。
【請求項３】
前記逆方向リンクでデータを送信するために前記第１の周波数チャネルを使用することを求める要求をＭ２Ｍデバイスから受信することであって、前記第１の周波数チャネルは、アイドル状態を備えることと、
前記Ｍ２Ｍデバイスに前記第１の周波数チャネルを割り当てることと、をさらに備える請求項１に記載の方法。
【請求項４】
前記第１の周波数チャネルを割り当てることは、
ビジー状態を示すために前記第１のチャネル状態情報を前記アイドル状態から移行させることと、
前記１つ以上のＭ２Ｍデバイスに前記移行された第１のチャネル状態情報をブロードキャストすることと、を備える請求項３に記載の方法。
【請求項５】
前記第１の周波数チャネルで前記Ｍ２Ｍデバイスからデータを受信することであって、前記第１の周波数チャネルは、ビジー状態を備えることと、
前記Ｍ２Ｍデバイスから受信された前記データを復号した時点で、前記第１の周波数チャネルに関するアイドル状態を示すために前記第１のチャネル状態情報を前記ビジー状態から移行させることと、
前記１つ以上のＭ２Ｍデバイスに前記移行された第１のチャネル状態情報をブロードキャストすることと、をさらに備える請求項３に記載の方法。
【請求項６】
前記逆方向リンクでデータを送信するために前記第１の周波数チャネルを使用することを求める要求を少なくとも２つのＭ２Ｍデバイスから受信することであって、前記第１の周波数チャネルは、アイドル状態を備えることと、
前記少なくとも２つのＭ２Ｍデバイスのうちの１つを選択することと、
前記Ｍ２Ｍデバイスのうちの前記選択された１つに前記第１の周波数チャネルを割り当てることと、をさらに備える請求項１に記載の方法。
【請求項７】
前記少なくとも２つのＭ２Ｍデバイスのうちの１つを選択することは、
前記少なくとも２つのＭ２Ｍデバイスのうちの各々から受信された前記逆方向リンクの強度を推定することと、
前記選択されたＭ２Ｍデバイスから受信された前記逆方向リンクの少なくとも前記推定された強度に部分的に基づいて前記少なくとも２つのＭ２Ｍデバイスのうちの前記１つを選択することと、を備える請求項６に記載の方法。
【請求項８】
前記少なくとも２つのＭ２Ｍデバイスのうちの１つを選択することは、
前記少なくとも２つのＭ２Ｍデバイスのうちで直近において前記逆方向リンクでデータを送信した前記Ｍ２Ｍデバイスを識別することと、
前記少なくとも２つのＭ２Ｍデバイスのうちで直近において前記逆方向リンクでデータを送信した前記１つを選択することと、を備える請求項６に記載の方法。
【請求項９】
前記第１の周波数チャネルを割り当てることは、
ビジー状態を示すために前記第１のチャネル状態情報を前記アイドル状態から移行させることと、
前記選択されたＭ２Ｍデバイスを識別する割り当てメッセージを生成することと、
前記少なくとも２つのＭ２Ｍデバイスに前記移行された第１のチャネル状態情報及び前記割り当てメッセージをブロードキャストすることと、を備える請求項６に記載の方法。
【請求項１０】
Ｍ２Ｍデバイスの第１のグループを識別することであって、Ｍ２Ｍデバイスの前記第１のグループは、第１のデータレートで順方向リンクでデータを受信することと、
Ｍ２Ｍデバイスの第２のグループを識別することであって、Ｍ２Ｍデバイスの前記第２のグループは、第２のデータレートで前記順方向リンクでデータを受信し、前記第２のデータレートは、前記第１のデータレートよりも大きいことと、
Ｍ２Ｍデバイスの第３のグループを識別することであって、Ｍ２Ｍデバイスの前記第３のグループは、第３のデータレートで前記順方向リンクでデータを受信し、前記第３のデータレートは、前記第２のデータレートよりも大きいことと、をさらに備える請求項１に記載の方法。
【請求項１１】
周波数チャネルの第１のグループに関するチャネル状態情報を前記第１のデータレートでＭ２Ｍデバイスの前記第１のグループにブロードキャストすることであって、前記チャネル状態情報は、第１の順方向リンクフレームの第１のタイムスロットの少なくとも一部分中に送信されること、をさらに備える請求項１０に記載の方法。
【請求項１２】
周波数チャネルの第２のグループに関するチャネル状態情報を前記第２のデータレートでＭ２Ｍデバイスの前記第２のグループにブロードキャストすることであって、前記チャネル状態情報は、第２の順方向リンクフレームの第１のタイムスロットの少なくとも一部分中に送信されること、をさらに備える請求項１０に記載の方法。
【請求項１３】
周波数チャネルの第３のグループに関するチャネル状態情報を前記第３のデータレートでＭ２Ｍデバイスの前記第３のグループにブロードキャストすることであって、前記チャネル状態情報は、第３の順方向リンクフレームの第１のタイムスロットの少なくとも一部分中に送信されること、をさらに備える請求項１０に記載の方法。
【請求項１４】
前記第１及び第２の周波数チャネルを用いての前記逆方向リンクでの通信のために周波数分割多元接続（ＦＤＭＡ）を実装することをさらに備える請求項１に記載の方法。
【請求項１５】
マシン−マシン（Ｍ２Ｍ）無線ワイドエリアネットワーク（ＷＡＮ）における逆方向リンクでの無線通信のために構成された基地局であって、
プロセッサと、
前記プロセッサと電子的な通信状態にあるメモリと、
前記メモリに格納された命令と、を備え、前記命令は、
前記Ｍ２Ｍ無線ＷＡＮの動作周波数帯域を少なくとも第１の周波数チャネル及び第２の周波数チャネルに分割し、
第１のチャネル状態情報及び第２のチャネル状態情報を１つ以上のＭ２Ｍデバイスにブロードキャストするために前記プロセッサによって実行可能であり、前記第１及び第２の周波数チャネルは、逆方向リンクでの通信のために使用され、前記第１のチャネル状態情報は、前記第１の周波数チャネルの状態を示し、前記第２のチャネル状態情報は、前記第２の周波数チャネルの状態を示す、基地局。
【請求項１６】
前記状態は、アイドル状態又はビジー状態を備える請求項１５に記載の基地局。
【請求項１７】
前記命令は、
前記逆方向リンクでデータを送信するために前記第１の周波数チャネルを使用することを求める要求をＭ２Ｍデバイスから受信し、及び
前記Ｍ２Ｍデバイスに前記第１の周波数チャネルを割り当てるために前記プロセッサによってさらに実行可能であり、
前記周波数チャネルは、アイドル状態を備える請求項１５に記載の基地局。
【請求項１８】
前記第１の周波数チャネルを割り当てるために前記プロセッサによって実行される前記命令は、
ビジー状態を示すために前記第１のチャネル状態情報を前記アイドル状態から移行させ、及び
前記１つ以上のＭ２Ｍデバイスに前記移行された第１のチャネル状態情報をブロードキャストするために前記プロセッサによってさらに実行可能である請求項１７に記載の基地局。
【請求項１９】
前記命令は、
前記第１の周波数チャネルで前記Ｍ２Ｍデバイスからデータを受信し、
前記Ｍ２Ｍデバイスから受信された前記データを復号した時点で、前記第１の周波数チャネルに関するアイドル状態を示すために前記第１のチャネル状態情報を前記ビジー状態から移行させ、及び
前記１つ以上のＭ２Ｍデバイスに前記移行された第１のチャネル状態情報をブロードキャストするために前記プロセッサによってさらに実行可能であり、前記第１の周波数チャネルは、ビジー状態を備える請求項１７に記載の基地局。
【請求項２０】
前記命令は、
前記逆方向リンクでデータを送信するために前記第１の周波数チャネルを使用することを求める要求を少なくとも２つのＭ２Ｍデバイスから受信し、
前記少なくとも２つのＭ２Ｍデバイスのうちの１つを選択し、及び
前記Ｍ２Ｍデバイスのうちの前記選択された１つに前記第１の周波数チャネルを割り当てるために前記プロセッサによってさらに実行可能であり、前記第１の周波数チャネルは、アイドル状態を備える請求項１５に記載の基地局。
【請求項２１】
前記命令は、
Ｍ２Ｍデバイスの第１のグループを識別し、
Ｍ２Ｍデバイスの第２のグループを識別し、及び
Ｍ２Ｍデバイスの第３のグループを識別するために前記プロセッサによってさらに実行可能であり、
Ｍ２Ｍデバイスの前記第１のグループは、第１のデータレートで順方向リンクでデータを受信し、
Ｍ２Ｍデバイスの前記第２のグループは、第２のデータレートで前記順方向リンクでデータを受信し、前記第２のデータレートは、前記第１のデータレートよりも大きく、
Ｍ２Ｍデバイスの前記第３のグループは、第３のデータレートで前記順方向リンクでデータを受信し、前記第３のデータレートは、前記第２のデータレートよりも大きい請求項１５に記載の基地局。
【請求項２２】
マシン−マシン（Ｍ２Ｍ）無線ワイドエリアネットワーク（ＷＡＮ）における逆方向リンクでの無線通信のために構成された装置であって、
前記Ｍ２Ｍ無線ＷＡＮの動作周波数帯域を少なくとも第１の周波数チャネル及び第２の周波数チャネルに分割するための手段であって、前記第１及び第２の周波数チャネルは、逆方向リンクでの通信のために使用される手段と、
第１のチャネル状態情報及び第２のチャネル状態情報を１つ以上のＭ２Ｍデバイスにブロードキャストするための手段であって、前記第１のチャネル状態情報は、前記第１の周波数チャネルの状態を示し、前記第２のチャネル状態情報は、前記第２の周波数チャネルの状態を示す手段と、を備える、装置。
【請求項２３】
前記状態は、アイドル状態又はビジー状態を備える請求項２２に記載の装置。
【請求項２４】
前記逆方向リンクでデータを送信するために前記第１の周波数チャネルを使用することを求める要求をＭ２Ｍデバイスから受信するための手段であって、前記第１の周波数チャネルは、アイドル状態を備える手段と、
前記Ｍ２Ｍデバイスに前記第１の周波数チャネルを割り当てるための手段と、をさらに備える請求項２２に記載の装置。
【請求項２５】
ビジー状態を示すために前記第１のチャネル状態情報を前記アイドル状態から移行させるための手段と、
前記１つ以上のＭ２Ｍデバイスに前記移行された第１のチャネル状態情報をブロードキャストするための手段と、をさらに備える請求項２４に記載の装置。
【請求項２６】
前記第１の周波数チャネルで前記Ｍ２Ｍデバイスからデータを受信するための手段であって、前記第１の周波数チャネルは、ビジー状態を備える手段と、
前記Ｍ２Ｍデバイスから受信された前記データを復号した時点で、前記第１の周波数チャネルに関するアイドル状態を示すために前記第１のチャネル状態情報を前記ビジー状態から移行させるための手段と、
前記１つ以上のＭ２Ｍデバイスに前記移行された第１のチャネル状態情報をブロードキャストするための手段と、をさらに備える請求項２４に記載の装置。
【請求項２７】
前記逆方向リンクでデータを送信するために前記第１の周波数チャネルを使用することを求める要求を少なくとも２つのＭ２Ｍデバイスから受信するための手段であって、前記第１の周波数チャネルは、アイドル状態を備える手段と、
前記少なくとも２つのＭ２Ｍデバイスのうちの１つを選択するための手段と、
前記Ｍ２Ｍデバイスのうちの前記選択された１つに前記第１の周波数チャネルを割り当てるための手段と、をさらに備える請求項２２に記載の装置。
【請求項２８】
Ｍ２Ｍデバイスの第１のグループを識別するための手段であって、Ｍ２Ｍデバイスの前記第１のグループは、第１のデータレートで順方向リンクでデータを受信する手段と、
Ｍ２Ｍデバイスの第２のグループを識別するための手段であって、Ｍ２Ｍデバイスの前記第２のグループは、第２のデータレートで前記順方向リンクでデータを受信し、前記第２のデータレートは、前記第１のデータレートよりも大きい手段と、
Ｍ２Ｍデバイスの第３のグループを識別するための手段であって、Ｍ２Ｍデバイスの前記第３のグループは、第３のデータレートで前記順方向リンクでデータを受信し、前記第３のデータレートは、前記第２のデータレートよりも大きい手段と、をさらに備える請求項２２に記載の装置。
【請求項２９】
マシン−マシン（Ｍ２Ｍ）無線ワイドエリアネットワーク（ＷＡＮ）における逆方向リンクでの無線通信を管理するためのコンピュータプログラム製品であって、
前記Ｍ２Ｍ無線ＷＡＮの動作周波数帯域を少なくとも第１の周波数チャネル及び第２の周波数チャネルに分割し、
第１のチャネル状態情報及び第２のチャネル状態情報を１つ以上のＭ２Ｍデバイスにブロードキャストするためにプロセッサによって実行可能である命令を格納する非一時的なコンピュータによって読み取り可能な媒体を備え、前記第１及び第２の周波数チャネルは、逆方向リンクでの通信のために使用され、前記第１のチャネル状態情報は、前記第１の周波数チャネルの状態を示し、前記第２のチャネル状態情報は、前記第２の周波数チャネルの状態を示す、コンピュータプログラム製品。
【請求項３０】
前記状態は、アイドル状態又はビジー状態を備える請求項２９に記載のコンピュータプログラム製品。
【請求項３１】
前記命令は、
前記逆方向リンクでデータを送信するために前記第１の周波数チャネルを使用することを求める要求をＭ２Ｍデバイスから受信し、及び
前記Ｍ２Ｍデバイスに前記第１の周波数チャネルを割り当てるために前記プロセッサによってさらに実行可能であり、前記第１の周波数チャネルは、アイドル状態を備える請求項２９に記載のコンピュータプログラム製品。
【請求項３２】
前記第１の周波数チャネルを割り当てるために前記プロセッサによって実行される前記命令は、
ビジー状態を示すために前記第１のチャネル状態情報を前記アイドル状態から移行させ、及び
前記１つ以上のＭ２Ｍデバイスに前記移行された第１のチャネル状態情報をブロードキャストするために前記プロセッサによってさらに実行可能である請求項３１に記載のコンピュータプログラム製品。
【請求項３３】
前記命令は、
前記第１の周波数チャネルで前記Ｍ２Ｍデバイスからデータを受信し、
前記Ｍ２Ｍデバイスから受信された前記データを復号した時点で、前記第１の周波数チャネルに関するアイドル状態を示すために前記第１のチャネル状態情報を前記ビジー状態から移行させ、及び
前記１つ以上のＭ２Ｍデバイスに前記移行された第１のチャネル状態情報をブロードキャストするために前記プロセッサによってさらに実行可能であり、前記第１の周波数チャネルは、ビジー状態を備える請求項３１に記載のコンピュータプログラム製品。
【請求項３４】
前記命令は、
前記逆方向リンクでデータを送信するために前記第１の周波数チャネルを使用することを求める要求を少なくとも２つのＭ２Ｍデバイスから受信し、
前記少なくとも２つのＭ２Ｍデバイスのうちの１つを選択し、及び
前記Ｍ２Ｍデバイスのうちの前記選択された１つに前記第１の周波数チャネルを割り当てるために前記プロセッサによってさらに実行可能であり、前記第１の周波数チャネルは、アイドル状態を備える請求項２９に記載のコンピュータプログラム製品。
【請求項３５】
前記命令は、
Ｍ２Ｍデバイスの第１のグループを識別し、
Ｍ２Ｍデバイスの第２のグループを識別し、及び
Ｍ２Ｍデバイスの第３のグループを識別するために前記プロセッサによってさらに実行可能であり、
Ｍ２Ｍデバイスの前記第１のグループは、第１のデータレートで順方向リンクでデータを受信し、
Ｍ２Ｍデバイスの前記第２のグループは、第２のデータレートで前記順方向リンクでデータを受信し、前記第２のデータレートは、前記第１のデータレートよりも大きく、
Ｍ２Ｍデバイスの前記第３のグループは、第３のデータレートで前記順方向リンクでデータを受信し、前記第３のデータレートは、前記第２のデータレートよりも大きい請求項２９に記載のコンピュータプログラム製品。
【請求項３６】
マシン−マシン（Ｍ２Ｍ）無線ワイドエリアネットワーク（ＷＡＮ）における逆方向リンクでの無線通信のための方法であって、
前記逆方向リンクでの通信のために使用する周波数チャネルを識別することであって、前記周波数チャネルは、アイドル状態を備えることと、
前記周波数チャネルを使用することを求める要求を送信することと、
チャネル状態メッセージの第１のブロードキャストを受信することであって、前記メッセージは、前記周波数チャネルの状態を示すことと、
前記周波数チャネルの前記状態に少なくとも部分的に基づいてデータパケットを送信するために前記周波数チャネルを使用すべきかどうかを決定することと、を備える、方法。
【請求項３７】
前記周波数チャネルを使用すべきかどうかを決定することは、
前記周波数チャネルの前記状態が前記アイドル状態からビジー状態に移行しているかどうかを決定することと、
前記状態が前記ビジー状態に移行していると決定した時点で、前記周波数チャネルを用いて前記データパケットを送信することと、を備える請求項３６に記載の方法。
【請求項３８】
前記周波数チャネルを使用すべきかどうかを決定することは、
チャネル割り当て情報を受信することであって、前記チャネル割り当て情報は、前記周波数チャネルの明示の割り当てを備えることと、
前記チャネル割り当て情報に少なくとも部分的に基づいて前記周波数チャネルを用いて前記データパケットを送信することと、を備える請求項３６に記載の方法。
【請求項３９】
前記チャネル状態メッセージの第２のブロードキャストを受信することであって、前記メッセージは、前記ビジー状態から前記アイドル状態への前記周波数チャネルの前記状態の移行を示すことと、
前記周波数チャネルの前記状態の前記移行を示す前記第２のブロードキャストを受信した時点で、前記周波数チャネルを用いての前記逆方向リンクでの前記データの送信を終了させることと、をさらに備える請求項３６に記載の方法。
【請求項４０】
前記周波数チャネルを使用することを求める要求を送信することは、
前記データパケットのプリアンブルを送信することを備える請求項３６に記載の方法。
【発明の詳細な説明】
【背景技術】
【０００１】
［０００１］以下は、概して、無線通信に関するものであり、より具体的には、マシン−マシン（Ｍ２Ｍ）無線ワイドエリアネットワーク（ＷＡＮ）における通信に関するものである。様々なタイプの通信コンテンツ、例えば、音声、映像、パケットデータ、メッセージング、ブロードキャスト、センサデータ、トラッキングデータ、等、を提供することを目的として無線通信システムが広範囲にわたって配備されている。これらのシステムは、利用可能なシステムリソース（例えば、時間、周波数、及び電力）を共有することによって複数のユーザとの通信をサポートすることが可能な多元接続システムであることができる。該多元接続システムの例は、符号分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムと、を含む。
【０００２】
［０００２］概して、無線多元接続通信システムは、複数のデバイスに関する通信を各々同時にサポートする幾つかの基地局を含むことができる。幾つかの例では、これらのデバイスは、データを収集してこのデータを基地局を介してエンドサーバに送信するように構成されたセンサ及び／又は計器であることができる。これらのセンサ及び／又は計器は、Ｍ２Ｍデバイスと呼ぶことができる。基地局は、順方向リンク及び逆方向リンクでＭ２Ｍデバイスと通信することができる。各基地局は、カバレッジ範囲を有し、それは、セルのカバレッジエリアと呼ぶことができる。Ｍ２Ｍデバイスは、逆方向リンクで基地局にデータを送信することができる。
【０００３】
［０００３］逆方向リンクで基地局にデータを送信するためにＭ２Ｍデバイスによって使用されるチャネルは、ランダムアクセスチャネルであることができる。デバイスは、チャネルを選択し、それらのデータを送信することを試みることができる。チャネルが利用可能でない場合は、その結果として衝突が生じることがある。デバイスは、そのデータを再送信するのを試みるために異なるチャネルを選択し、追加のエネルギー及び電力を使用することができる。このプロセスは、逆方向リンクでのデータの送信において遅延を引き起こす。さらに、Ｍ２Ｍデバイスは、基本的な試行錯誤プロセスを通じて利用可能なチャネルを識別するのを試みるため、それらの貴重な電力及びリソースが浪費される。
【発明の概要】
【０００４】
［０００４］説明される特徴は、概して、Ｍ２Ｍ無線ワイドエリアネットワーク（ＷＡＮ）において通信するＭ２Ｍデバイスの電力使用量を最少にするための１つ以上の改良されたシステム、方法、及び／又は装置に関するものである。一構成においては、基地局と逆方向リンクで通信するためにＭ２Ｍデバイスによって使用される動作周波数帯域は、１つ以上の狭帯域周波数チャネルに分割することができる。基地局から送信された各順方向リンクフレームのタイムスロットの少なくとも一部分中に、チャネル状態情報をＭ２Ｍデバイスに送信することができる。チャネル状態情報は、１つ以上の周波数チャネルの各々に関する現在の状態を示すことができる。Ｍ２Ｍデバイスは、アイドル状態を有する逆方向リンクでの送信のために使用するチャネルをランダムで選択することができる。デバイスは、逆方向リンクフレームにおいて選択されたチャネルを使用するための要求を基地局に送信することができる。次の順方向リンクフレームで送信されたチャネル状態情報は、逆方向リンクでの送信のために使用するために要求されたチャネルがＭ２Ｍデバイスに割り当てられているかどうかをＭ２Ｍデバイスに示すことができる。基地局が、割り当てられたチャネルでＭ２Ｍデバイスから送信されたデータを成功裏に復号及び復調したときには、基地局は、チャネルが現在アイドルであることを示すための状態情報を転送することができる。チャネルの状態がアイドルに移行していることを検出した時点で、Ｍ２Ｍデバイスは、データの送信を終了させ、それによって電力及びリソースを節約することができる。
【０００５】
［０００５］Ｍ２Ｍ無線ＷＡＮにおける無線通信を管理するための方法が説明される。Ｍ２Ｍ無線ＷＡＮの動作周波数帯域が、少なくとも第１の周波数チャネル及び第２の周波数チャネルに分割される。第１及び第２の周波数チャネルは、逆方向リンクでの通信のために使用される。第１のチャネル状態情報及び第２のチャネル状態情報が１つ以上のＭ２Ｍデバイスにブロードキャストされる。第１のチャネル状態情報は、第１の周波数チャネルの状態を示す。第２のチャネル状態情報は、第２の周波数チャネルの状態を示す。一実施形態においては、状態は、アイドル状態又はビジー状態を含む。
【０００６】
［０００６］一例においては、逆方向リンクでデータを送信するために第１の周波数チャネルを使用することを求める要求がＭ２Ｍデバイスから受信される。
【０００７】
第１の周波数チャネルは、アイドル状態を含むことができる。第１の周波数チャネルをＭ２Ｍデバイスに割り当てることができる。第１の周波数チャネルを割り当てることは、ビジー状態を示すために第１のチャネル状態情報をアイドル状態から移行させることと、１つ以上のＭ２Ｍデバイスに移行された第１のチャネル状態情報をブロードキャストすることと、を含むことができる。一構成においては、第１の周波数チャネルでＭ２Ｍデバイスからデータを受信することができる。第１の周波数チャネルは、ビジー状態を含むことができる。Ｍ２Ｍデバイスから受信されたデータを復号した時点で、第１のチャネル状態情報は、第１の周波数チャネルに関するアイドル状態を示すためにビジー状態から移行することができ、移行された第１のチャネル状態情報を１つ以上のＭ２Ｍデバイスにブロードキャストすることができる。
【０００８】
［０００７］一構成においては、逆方向リンクでデータを送信するために第１の周波数チャネルを使用することを求める要求を少なくとも２つのＭ２Ｍデバイスから受信することができる。第１の周波数チャネルは、アイドル状態を含むことができる。これらの少なくとも２つのＭ２Ｍデバイスのうちの１つを選択することができ、Ｍ２Ｍデバイスのうちの選択された１つに第１の周波数チャネルを割り当てることができる。少なくとも２つのＭ２Ｍデバイスのうちの１つを選択することは、少なくとも２つのＭ２Ｍデバイスの各々から受信された逆方向リンクの強度を推定することと、選択されたＭ２Ｍデバイスから受信された逆方向リンクの推定された強度に少なくとも部分的に基づいて少なくとも２つのＭ２Ｍデバイスのうちの１つを選択することと、を含むことができる。一実施形態においては、少なくとも２つのＭ２Ｍデバイスのうちの１つを選択することは、少なくとも２つのＭ２Ｍデバイスのうちで直近に逆方向リンクでデータを送信したＭ２Ｍデバイスを識別することと、少なくとも２つのＭ２Ｍデバイスのうちで直近に逆方向リンクでデータを送信したそれを選択することと、を含むことができる。
【０００９】
［０００８］一例においては、第１の周波数チャネルを割り当てることは、ビジー状態を示すために第１のチャネル状態情報をアイドル状態から移行させることと、選択されたＭ２Ｍデバイスを識別する割り当てメッセージを生成することと、少なくとも２つのＭ２Ｍデバイスに移行された第１のチャネル状態情報及び割り当てメッセージをブロードキャストすることと、を含むことができる。
【００１０】
［０００９］一実施形態においては、Ｍ２Ｍデバイスの第１のグループを識別することができる。Ｍ２Ｍデバイスの第１のグループは、第１のデータレートで順方向リンクでデータを受信することができる。Ｍ２Ｍデバイスの第２のグループも識別することができる。Ｍ２Ｍデバイスの第２のグループは、第２のデータレートで順方向リンクでデータを受信することができる。第２のデータレートは、第１のデータレートよりも大きいことができる。さらに、Ｍ２Ｍデバイスの第３のグループを識別することができる。Ｍ２Ｍデバイスの第３のグループは、第３のデータレートで順方向リンクでデータを受信することができる。第３のデータレートは、第２のデータレートよりも大きいことができる。
【００１１】
［００１０］一例においては、チャネル状態情報は、周波数チャネルの第１のグループに関して、第１のデータレートでＭ２Ｍデバイスの第１のグループにブロードキャストすることができる。チャネル状態情報は、第１の順方向リンクフレームの第１のタイムスロットの少なくとも一部分中に送信することができる。チャネル状態情報は、周波数チャネルの第２のグループに関しても、第２のデータレートでＭ２Ｍデバイスの第２のグループにブロードキャストすることができる。チャネル状態情報は、第２の順方向リンクフレームの第１のタイムスロットの少なくとも一部分中に送信することができる。さらに、チャネル状態情報は、周波数チャネルの第３のグループに関して、第３のデータレートでＭ２Ｍデバイスの第３のグループにブロードキャストすることができる。チャネル状態情報は、第３の順方向リンクフレームの第１のタイムスロットの少なくとも一部分中に送信することができる。第１及び第２の周波数チャネルを用いての逆方向リンクでの通信のために周波数分割多元接続（ＦＤＭＡ）を実装することができる。
【００１２】
［００１１］Ｍ２Ｍ無線ＷＡＮにおける逆方向リンクでの無線通信のために構成された基地局も説明される。基地局は、プロセッサと、そのプロセッサと電子的通信状態にあるメモリと、を含むことができる。メモリには命令を格納することができる。命令は、Ｍ２Ｍ無線ＷＡＮの動作周波数帯域を第１の周波数チャネル及び第２の周波数チャネルに分割するためにプロセッサによって実行可能である。第１及び第２の周波数チャネルは、逆方向リンクでの通信のために使用することができる。命令は、第１のチャネル状態情報及び第２のチャネル状態情報を１つ以上のＭ２Ｍデバイスにブロードキャストするためにプロセッサによって実行可能でもある。第１のチャネル状態情報は、第１の周波数チャネルの状態を示すことができる。第２のチャネル状態情報は、第２の周波数チャネルの状態を示すことができる
［００１２］Ｍ２Ｍ無線ＷＡＮにおける逆方向リンクでの無線通信のために構成された装置も説明される。装置は、Ｍ２Ｍ無線ＷＡＮの動作周波数帯域を少なくとも第１の周波数チャネル及び第２の周波数チャネルに分割するための手段を含むことができる。第１及び第２の周波数チャネルは、逆方向リンクでの通信のために使用することができる。装置は、第１のチャネル状態情報及び第２のチャネル状態情報を１つ以上のＭ２Ｍデバイスにブロードキャストするための手段も含むことができる。第１のチャネル状態情報は、第１の周波数チャネルの状態を示すことができる。第２のチャネル状態情報は、第２の周波数チャネルの状態を示すことができる。
【００１３】
［００１３］Ｍ２Ｍ無線ＷＡＮにおける逆方向リンクでの無線通信を管理するためのコンピュータプログラム製品も説明される。コンピュータプログラム製品は、Ｍ２Ｍ無線ＷＡＮの動作周波数帯域を少なくとも第１の周波数チャネル及び第２の周波数チャネルに分割するためにプロセッサによって実行可能である命令を格納する非一時的なコンピュータによって読み取り可能な媒体を含むことができる。第１及び第２の周波数チャネルは、逆方向リンクでの通信のために使用することができる。命令は、第１のチャネル状態情報及び第２のチャネル状態情報を１つ以上のＭ２Ｍデバイスにブロードキャストするためにプロセッサによって実行可能でもある。第１のチャネル状態情報は、第１の周波数チャネルの状態を示すことができる。第２のチャネル状態情報は、第２の周波数チャネルの状態を示すことができる。
【００１４】
［００１４］Ｍ２Ｍ無線ＷＡＮにおける逆方向リンクでの無線通信のための方法も説明される。逆方向リンクでの通信のために使用するために周波数チャネルを識別することができる。周波数チャネルは、アイドル状態を含むことができる。周波数チャネルを使用することを求める要求を送信することができる。チャネル状態メッセージの第１のブロードキャストを受信することができる。メッセージは、周波数チャネルの状態を示すことができる。周波数チャネルの状態に少なくとも部分的に基づいてデータパケットを送信するために周波数チャネルを使用すべきかどうかに関する決定を行うことができる。
【００１５】
［００１５］周波数チャネルを使用すべきかどうかを決定することは、周波数チャネルの状態がアイドル状態からビジー状態に移行しているかどうかを決定することを含むことができる。状態がビジー状態に移行していることを決定した時点で、周波数チャネルを用いてデータパケットを送信することができる。周波数チャネルを使用すべきかどうかを決定することは、チャネル割り当て情報を受信することも含むことができる。チャネル割り当て情報は、周波数チャネルの明示の割り当てを含むことができる。データパケットは、チャネル割り当て情報に少なくとも部分的に基づいて周波数チャネルを用いて送信することができる。
【００１６】
［００１６］一実施形態においては、チャネル状態メッセージの第２のブロードキャストを受信することができる。メッセージは、ビジー状態からアイドル状態への周波数チャネルの状態の移行を示すことができる。周波数チャネルの状態の移行を示す第２のブロードキャストを受信した時点で、周波数チャネルを用いた逆方向リンクでのデータの送信を終了させることができる。一例においては、周波数チャネル使用することを求める要求を送信することは、データパケットのプリアンブルを送信することを含むことができる。
【００１７】
［００１７］説明される方法及び装置の適用可能性のさらなる範囲が、以下の詳細な発明を実施するための形態、請求項、及び図面から明らかになるであろう。詳細な発明を実施するための形態及び具体例は、例示することのみを目的として示されており、説明の精神及び適用範囲内での様々な変更及び修正が可能であることが当業者にとって明らかになるであろう。
【図面の簡単な説明】
【００１８】
［００１８］以下の図面を参照することによって本発明の性質及び利点に関するさらなる理解が実現されるであろう。添付される図において、同様のコンポーネント又は特徴は、同じ参照ラベルを有することができる。さらに、参照ラベル、ダッシュ記号及び同様のコンポーネントを区別する第２のラベルに従うことによって同じタイプの様々なコンポーネントを区別することができる。明細書において第１の参照ラベルのみが使用される場合は、説明は、第２の参照ラベルにかかわらず同じ第１の参照ラベルを有する同様のコンポーネントのうちのいずれか１つに適用可能である。
【図１】［００１９］無線通信システムのブロック図である。
【図２】［００２０］Ｍ２Ｍ通信を実装する無線ワイドエリアネットワーク（ＷＡＮ）を含む無線通信システムの例を示した図である。
【図３Ａ】［００２１］ページングシステムの一実施形態を例示したブロック図である。
【図３Ｂ】［００２２］無線通信システムの一実施形態を例示したブロック図である。
【図４Ａ】［００２３］様々な実施形態による順方向リンク通信を管理するためのデバイスを例示したブロック図である。
【図４Ｂ】［００２４］順方向リンク通信モジュールの一実施形態を例示したブロック図である。
【図５Ａ】［００２５］様々な実施形態による逆方向リンク通信を管理するためのデバイスを例示したブロック図である。
【図５Ｂ】［００２６］逆方向リンク通信モジュールの一実施形態を例示したブロック図である。
【図６】［００２７］様々な実施形態による順方向リンク通信を管理するためのデバイスを例示したブロック図である。
【図７】［００２８］様々な実施形態によるＭ２Ｍデバイスに逆方向リンクでアイドルトラフィックチャネルを割り当てるために構成することができる通信システムのブロック図である。
【図８】［００２９］様々な実施形態による逆方向リンク通信を管理するためのデバイスを例示したブロック図である。
【図９】［００３０］様々な実施形態による電力の消費を管理するためのＭ２Ｍデバイスのブロック図である。
【図１０Ａ】［００３１］１つ以上のチャネル状態メッセージを含む複数の順方向リンクフレームの一実施形態を例示したブロック図である。
【図１０Ｂ】［００３２］逆方向リンクでデータパケットを送信するために狭帯域周波数分割多元接続（ＦＤＭＡ）チャネルにＭ２Ｍデバイスを割り当てる一例を示したブロック図である。
【図１０Ｃ】［００３３］逆方向リンクでデータパケットを送信するために狭帯域周波数チャネルを求めて競争する一実施形態を例示したブロック図である。
【図１１】［００３４］逆方向リンク通信を管理することによってＭ２Ｍデバイスの電力を節約するための方法の一例を示したフローチャートである。
【図１２】［００３５］逆方向リンクでの送信の早期終了をトリガするためにチャネルの状態を移行させることによってＭ２Ｍデバイスの電力を節約するための方法の一例を示したフローチャートである。
【図１３】［００３６］逆方向リンクでの周波数チャネルの割り当てを管理することによってＭ２Ｍデバイスの電力を節約するための方法の一例を示したフローチャートである。
【図１４】［００３７］逆方向リンク送信のために使用する狭帯域周波数チャネルを選択するための方法の一実施形態を例示したフローチャートである。
【図１５】［００３８］逆方向リンク送信のために使用する狭帯域周波数チャネルを識別及び選択することによってＭ２Ｍデバイスの電力を節約するための方法の一実施形態を例示したフローチャートである。
【発明を実施するための形態】
【００１９】
逆方向リンクでの送信のための狭帯域周波数分割多元接続（ＦＤＭＡ）周波数チャネルの割り当て及び逆方向リンク送信の早期終了を提供することによってＭ２Ｍデバイスの電力の使用量を最少化するための方法、システム、及びデバイスが説明される。一実装においては、基地局は、各狭帯域周波数チャネルに関する状態インジケータを送信することができる。状態インジケータは、チャネルがアイドルであるかビジーであるかを示す。Ｍ２Ｍデバイスは、アイドル状態を有するチャネルを選択し、そのチャネルを使用することを求める要求を送信することができる。要求を受信した時点で、基地局は、状態インジケータをビジーに移行させることができる。基地局は、各チャネルに関する更新された状態インジケータを送信することができる。更新された状態インジケータを受信し、要求されたチャネルに関する状態がビジーに移行していることを発見した時点で、要求しているＭ２Ｍデバイスは、チャネルが割り当てられていることを認識することができ、このチャネルを用いた逆方向リンクでの送信を開始することができる。デバイスにチャネルが割り当てられていることをそれらに知らせるためのインジケータを提供することによって、Ｍ２Ｍデバイスが既に使用中のチャネルをランダムに選択し、そのチャネルを用いて送信することを試みる尤度を引き下げることでＭ２Ｍデバイスのリソース及び電力が節約される。チャネルが既に使用中である場合は、この結果としてＭ２Ｍデバイスが別のチャネルをランダムに選択して再送信を試みることになる。チャネルを選択するためのこの試行錯誤のプロセスは、Ｍ２Ｍデバイスの貴重な電力及びリソースを浪費させる。
【００２０】
［００４０］２つ以上のＭ２Ｍデバイスが同じチャネルを使用するための要求を基地局に送信した場合は、基地局は、そのチャネルに割り当てるためにそれらのデバイスのうちの１つを選択することができる。更新された状態インジケータを送信することに加えて、基地局は、周波数チャネルを使用するために選択されているＭ２Ｍデバイスを明示で識別する追加情報を送信することもできる。
【００２１】
［００４１］現在のシステム、方法、及びデバイスは、逆方向リンクでの送信の早期終了を提供することによってＭ２Ｍデバイスのウェイクアップ時間をさらに最少にすることができる。データの逆方向リンク送信に後続する順方向リンクフレームにおいて、Ｍ２Ｍデバイスは、逆方向リンクで送信するために使用されるチャネルの状態インジケータがアイドル状態に移行しているかどうかを決定することができる。状態が移行している場合は、Ｍ２Ｍデバイスは、逆方向リンクで送信されたデータパケットが基地局によって成功裏に復号及び復調されていることを示す基地局からの肯定応答（ＡＣＫ）メッセージとしてこの移行を取り扱うことができる。これで、Ｍ２Ｍデバイスは、データパケットのさらなる送信を終了させ、電力及びリソースを節約することができる。
【００２２】
［００４２］次の説明は、例を提供するものであり、請求項において示される範囲、適用可能性、又は構成を限定するものではない。本開示の精神及び範囲から逸脱することなしに説明されている要素の機能及びアレンジメントを変更することができる。様々な実施形態は、様々な手順又はコンポーネントを適宜省略、置換、又は追加することができる。例えば、説明される方法は、説明される順序と異なるそれで実行することができ、様々なステップを追加、省略、又は結合することができる。さらに、幾つかの実施形態に関して説明される特徴は、その他の実施形態においては結合することができる。
【００２３】
［００４３］最初に図１を参照し、ブロック図は、無線通信システム１００の例を示す。システム１００は、基地局１０５（又はセル）と、マシン−マシン（Ｍ２Ｍ）デバイス１１５と、基地局コントローラ１２０と、コアネットワーク１３０と、を含む（コントローラ１２０は、コアネットワーク１３０に組み入れることができる）。システム１００は、複数の搬送波（異なる周波数の波形信号）での動作をサポートすることができる。
【００２４】
［００４４］基地局１０５は、基地局アンテナ（示されていない）を介してＭ２Ｍデバイス１１５と無線通信することができる。基地局１０５は、複数の搬送波を介して基地局コントローラ１２０の制御下でＭ２Ｍデバイス１１５と通信することができる。基地局１０５のサイトの各々は、各々の地理上のエリアに関する通信カバレッジを提供することができる。ここで、各基地局１０５に関するカバレッジエリアは、１１０−ａ、１１０−ｂ、又は１１０ｃとして識別される。基地局に関するカバレッジエリアは、セクタに分割することができる（示されていないが、カバレッジエリアの一部分のみを構成する）。システム１００は、異なるタイプの基地局１０５（例えば、マクロ基地局、ピコ基地局及び／又はフェムト基地局）を含むことができる。マクロ基地局は、相対的に大きい地理上のエリア（例えば、半径３５ｋｍ）に関する通信カバレッジを提供することができる。ピコ基地局は、相対的に小さい地理上のエリア（例えば、半径１０ｋｍ）に関するカバレッジを提供することができ、フェムト基地局は、相対的にそれよりも小さい地理上のエリア（例えば、半径１ｋｍ）に関する通信カバレッジを提供することができる。異なる技術に関して重なり合ったカバレッジエリアが存在することができる。
【００２５】
［００４５］Ｍ２Ｍデバイス１１５は、カバレッジエリア１１０全体にわたって分散することができる。各Ｍ２Ｍデバイス１１５は、静止型又は移動型であることができる。一構成においては、Ｍ２Ｍデバイス１１５は、異なるタイプの基地局、例えば、限定することなしに、マクロ基地局、ピコ基地局、及びフェムト基地局、と通信することができる。Ｍ２Ｍデバイス１１５は、その他のデバイス、環境条件、等をモニタリング及び／又は追跡するセンサ及び／又は計器であることができる。Ｍ２Ｍデバイス１１５によって収集された情報は、基地局１０５を含むネットワークを通じてバックエンドシステム、例えば、サーバ、に送信することができる。Ｍ２Ｍデバイス１１５への／からのデータの送信は、基地局１０５を通じてルーティングすることができる。基地局１０５は、順方向リンクでＭ２Ｍデバイスと通信することができる。一構成においては、基地局１０５は、データ及び／又はメッセージをＭ２Ｍデバイス１１５に搬送するためのチャネルを含む幾つかのタイムスロットを有する順方向リンクフレームを生成することができる。一例では、各順方向リンクフレームは、３つ以下のタイムスロット及び対応するチャネルを含むことができる。これらのスロット及びチャネルは、ページングチャネルを有するページングスロットと、アップリンク制御チャネル（ＵＣＣ）を有するアップリンク制御スロットと、トラフィックチャネルを有するトラフィックスロットと、を含むことができる。アップリンク制御スロットは、ＡＣＫチャネルを用いてＡＣＫメッセージを送信することができるＡＣＫスロットとして使用することもできる。個々の順方向リンクフレームの長さは、短いことができる（例えば、２０ミリ秒（ｍｓ））。一実施形態においては、４つのフレームを接合して８０ｍｓの継続時間を有するより大きいフレームを形成することができる。より大きいフレームに含まれる各フレームは、３つ以下のスロット及びチャネル、例えば、ページングチャネルに関するページングスロット、ＬＣＣに関するアップリンク制御スロット、及びトラフィックチャネルに関するトラフィックスロット、を含むことができる。各フレームのページング及びアップリンク制御スロットは、各々、５ｍｓの長さを有することができ、各フレームのトラフィックスロットは、１０ｍｓの長さを有することができる。Ｍ２Ｍデバイス１１５は、そのＭ２Ｍデバイス１１５を対象とするチャネル上のデータ及び／又はメッセージを含む（より大きいフレーム内の）個々のフレーム中にウェイクアップすることができる。
【００２６】
［００４６］一構成においては、基地局１０５は、トラフィックチャネルサイクルに従ってＭ２Ｍデバイス１１５にデータを送信することができる。トラフィックチャネルサイクルは、順方向リンクフレームの１つ以上のトラフィックスロット中に１つ以上のＭ２Ｍデバイス１１５にトラフィックデータが送信される期間であることができる。各Ｍ２Ｍデバイス１１５は、それのトラフィックチャネルサイクルがいつ開始するかを認識することができる。サイクルの各順方向リンクフレームのアップリンク制御スロット中に、基地局１０５は、逆方向リンクで送信するために使用すべき各狭帯域周波数チャネルの状態を示す情報をＭ２Ｍデバイス１１５に送信することができる。Ｍ２Ｍデバイス１１５は、基地局にデータパケットを送信するために使用する狭帯域チャネルを選択するためにこの状態情報を使用することができる。基地局１０５は、様々なチャネルに関してデバイス１１５から要求を受信することができる。基地局１０５は、チャネルの状態インジケータを移行させることによってデバイス１１５が選択されたチャネルに割り当てられているかどうかを示すためにそれらに応答することができる。基地局１０５は、２つ以上のＭ２Ｍデバイスが同じ狭帯域周波数チャネルの使用を要求した場合は特定のチャネルを使用するためにＭ２Ｍデバイスが割り当てられていることを明示で識別することもできる。
【００２７】
［００４７］一実施形態においては、Ｍ２Ｍ１１５デバイスは、その他のデバイスに組み入れることができ、又は、Ｍ２Ｍ１１５デバイスは、独立型デバイスであることができる。例えば、デバイス、例えば、携帯電話、無線通信デバイス、パーソナルデジタルアシスタント（ＰＤＡ）、その他のハンドヘルドデバイス、ネットブック、ノートブックコンピュータ、監視カメラ、ハンドヘルド医療用走査機器、家庭用品、等は、１つ以上のＭ２Ｍデバイス１１５を含むことができる。
【００２８】
［００４８］一例では、ネットワークコントローラ１２０は、一組の基地局に結合することができ及びこれらの基地局１０５に関する調整及び制御を提供することができる。コントローラ１２０は、バックホール（例えば、コアネットワーク１２５）を介して基地局１０５と通信することができる。基地局１０５は、互いに直接又は間接的に及び／又は無線又は有線のバックホールを介して通信することもできる。
【００２９】
［００４９］図２は、一態様によりＭ２Ｍサービスを実装する無線ワイドエリアネットワーク（ＷＡＮ）２０５を含む無線通信システム２００の例を示す。システム２００は、幾つかのＭ２Ｍデバイス１１５−ａと、Ｍ２Ｍサーバ２１０と、を含むことができる。サーバ２１０とＭ２Ｍデバイス１１５との間の通信は、基地局１０５を通じてルーティングすることができ、それは、ＷＡＮ２０５の一部であるとみなすことができる。基地局１０５−ａは、図１において示される基地局の一例であることができる。Ｍ２Ｍデバイス１１５−ａは、図１において示されるＭ２Ｍデバイス１１５の例であることができる。図２において示されるＭ２Ｍデバイス１１５−ａ、ＷＡＮ２０５、及びＭ２Ｍサーバ２１０の数は、例示することのみが目的であり、制限するものであると解釈されるべきでないことを当業者は理解するであろう。
【００３０】
［００５０］無線通信システム２００は、Ｍ２Ｍ通信を容易にするために動作可能である。Ｍ２Ｍ通信は、人間が介在しない１つ以上のデバイス間での通信を含むことができる。一例では、Ｍ２Ｍ通信は、ユーザが介在しない状態での、遠隔機械、例えば、Ｍ２Ｍデバイス１１５−ａと、バックエンドＩＴインフラストラクチャ、例えば、Ｍ２Ｍサーバ２１０、との間での自動化されたデータのやり取りを含むことができる。ＷＡＮ２０５（例えば、基地局１０５−ａ）を介してのＭ２Ｍデバイス１１５−ａからＭ２Ｍサーバ２１０へのデータの転送は、逆方向リンク通信を用いて行うことができる。Ｍ２Ｍデバイス１１５−ａによって収集されたデータ（例えば、モニタリングデータ、センサデータ、計器データ、等）は、逆方向リンク通信でＭ２Ｍサーバ２１０に転送することができる。
【００３１】
［００５１］基地局１０５−ａを介してのＭ２Ｍサーバ２１０からＭ２Ｍデバイス１１５−ａへのデータの転送は、順方向リンク通信を介して行うことができる。順方向リンクは、命令、ソフトウェアアップデート、トラフィックデータ、及び／又はメッセージをＭ２Ｍデバイス１１５−ａに送信するために使用することができる。命令は、Ｍ２Ｍデバイス１１５−ａが装置、環境条件、等を遠隔でモニタリングするように命令することができる。Ｍ２Ｍ通信は、様々な用途ともに使用することができ、例えば、遠隔モニタリング、測定及び状態の記録、フリート（ｆｌｅｅｔ）管理、資産追跡、現場でのデータ収集、流通、及び保管、等であるが、これらに限定されない。基地局１０５−ａは、命令、ソフトウェアアップデート、及び／又はメッセージを送信するためのチャネルを有する少数のタイムスロットを有する１つ以上の順方向リンクフレームを生成することができる。特定のフレームのタイムスロット中に命令又はその他のデータがチャネルに含まれているときには、様々なＭ２Ｍデバイス１１５−ａがそのフレームのタイムスロットをモニタリングするためにウェイクアップすることができる。デバイス１１５−ａは、フレームのページングスロット中にページングメッセージを復号することによって命令又はその他のデータを入手可能であることを認識することができる。ページングサイクルは、基地局１０５−ａがどのような頻度でページングメッセージをＭ２Ｍデバイス１１５−ａに送信すべきであるかを示すことができる。デバイス１１５−ａは、ページングサイクルに従ってページングメッセージの有無に関してモニタリングするためにページングスロット中にウェイクアップすることができる。ページングメッセージは、Ｍ２Ｍデバイス１１５−ａの信号強度に依存して、異なるデータレートで送信することができる。
【００３２】
［００５２］一構成においては、異なるアドレッシング形式を使用する異なる無線アクセスネットワークにおいては異なるタイプのＭ２Ｍ通信を提案することができる。異なるアドレッシング形式は、異なるタイプのＭ２Ｍデバイス１１５−ａが異なるサービスのために使用されることに結び付くことができる。一態様においては、Ｍ２Ｍデバイス１１５−ａがＭ２Ｍサーバ２１０と通信するために使用されるＷＡＮ技術から独立した状態を維持することができるＭ２Ｍネットワークを実装することができる。該態様においては、Ｍ２Ｍデバイス１１５−ａ及びＭ２Ｍサーバ２１０は、使用されるＷＡＮ技術から独立させることができる。その結果、既にインストールされているＭ２Ｍデバイス１１５−ａに影響を与えずに、バックホール通信のために使用されるＷＡＮ技術の代わりに異なるＷＡＮ技術を使用することができる。例えば、Ｍ２Ｍサーバ２１０及びＭ２Ｍデバイス１１５−ａは、ＷＡＮ技術によって使用されるアドレッシング形式にかかわらず互いに通信することができ、その理由は、Ｍ２Ｍデバイス１１５−ａによって使用されるアドレッシング形式は、実装されたＷＡＮ技術によって使用されるアドレッシングと結び付けることができないためである。
【００３３】
［００５３］一実施形態においては、Ｍ２Ｍデバイス１１５−ａの行動を予め定義することができる。例えば、他のデバイスをモニタリングして収集された情報を送信するための日時、等をＭ２Ｍデバイス１１５−ａに関して予め定義することができる。例えば、Ｍ２Ｍデバイス１１５−ａ−１は、第１の予め定義された期間に他のデバイスをモニタリングして他のデバイスに関する情報を収集するのを開始するようにプログラミングすることができる。Ｍ２Ｍデバイス１１５−ａの行動は、デバイス１１５−ａにとって遠隔でプログラミングすることができる。
【００３４】
［００５４］図３Ａは、基地局１０５−ｂとＭ２Ｍデバイス１１５−ｂとを含むページングシステム３００の一実施形態を例示したブロック図である。基地局１０５−ｂは、図１又は２の基地局１０５の一例であることができる。Ｍ２Ｍデバイス１１５−ｂは、図１又は２のＭ２Ｍデバイスの一例であることができる。
【００３５】
［００５５］無線通信システム、例えば、図１又は２のシステム、においては、スリープ状態及びページングの概念は、バッテリ電力及びエアリンクリソースの点で効率的な形で大量のデバイス（例えば、Ｍ２Ｍデバイス１１５）へのネットワーク接続性を提供する上で重要である。スリープ状態は、デバイスの送信／受信回路の全体又は一部分を遮断することによってバッテリ電力消費量を最少にするための動作モードをＭ２Ｍデバイス１１５−ｂに提供することができる。さらに、スリープ状態のＭ２Ｍデバイス１１５には専用のエアリンクリソースが割り当てられず、従って、非常に多数のＭ２Ｍデバイスを同時にサポートすることができる。Ｍ２Ｍデバイス１１５−ｂがトラフィック活動を有さない時間的間隔中には、デバイス１１５−ｂは、リソースを節約するためにスリープ状態にとどまることができる。
【００３６】
［００５６］ページングは、Ｍ２Ｍデバイス１１５−ｂがスリープ状態から定期的にウェイクアップすることと、順方向リンク通信（例えば、基地局１０５ｂからＭ２Ｍデバイス１１５−ｂへの通信）においてページングメッセージ３０５を受信及び処理するためにＭ２Ｍデバイス１１５−ｂに動作させることと、を含むことができる。基地局１０５−ｂは、Ｍ２Ｍデバイス１１５−ｂがいつウェイクアップすべきかを知っていることができる。従って、基地局１０５−ｂが接触、すなわち、ページングすることを意図する場合は、基地局１０５−ｂは、Ｍ２Ｍデバイス１１５−ｂがウェイクアップしてページングチャネルをモニタリングするようにスケジューリングされている時間に順方向リンクフレームの１つ以上のページングスロットの全部又は一部中にページングチャネルでページングメッセージ３０５を送信することができる。しかしながら、基地局１０５−ｂは、Ｍ２Ｍ無線ＷＡＮにおける各Ｍ２Ｍデバイス１１５の信号強度を知っていることができない。その結果、基地局１０５−ｂは、第１のページングチャネルを用いて高データレートでページングメッセージを送信することができる。基地局１０５−ｂとデバイス１１５−ｂとの間の信号強度が低すぎるためＭ２Ｍデバイス１１５−ｂがページングメッセージ３０５を適切に復調することができない場合は、基地局１０５−ｂは、デバイス１１５−ｂにメッセージを送信するために使用されるデータレートを動的に変更することができる。さらに、基地局１０５は、ページングメッセージ３０５を送信する頻度を増大させることができ、デバイス１１５−ｂは、より低いデータレートで送信されたページングメッセージ３０５の有無に関してモニタリングするためにウェイクアップする頻度を増大させることができる。一構成においては、基地局１０５−ｂが、Ｍ２Ｍデバイス１１５−ｂがページングメッセージを受信済みであることを確認するページング応答３１０を受信しない場合は、基地局１０５−ｂは、より頻繁に及びより低いデータレートでページングスロット中に第２のページングチャネルでページングメッセージ３０５を再送信することができる。基地局１０５−ｂは、Ｍ２Ｍデバイス１１５−ｂがページングメッセージ３０５を受信してページング応答３１０を送信するまで及び／又はページングメッセージ３０５のある一定の送信回数が発生するまでページングメッセージ３０５を再送信することができる。これらのイベントのうちの１つ又は両方が発生した場合は、基地局１０５−ｂ及びＭ２Ｍデバイス１１５−ｂは、前のページングサイクル下で動作する状態に戻ることができ、基地局１０５−ｂは、第１のページングチャネルを用いて高データレートでデバイス１５０−ｂにページングメッセージを送信する状態に戻ることができる。
【００３７】
［００５７］Ｍ２Ｍデバイス１１５−ｂの２つの連続するウェイクアップ期間の間の時間的間隔をページングサイクルと呼ぶことができる。Ｍ２Ｍデバイス１１５−ｂは、ページングサイクルのうちでＭ２Ｍデバイス１１５−ｂがページングメッセージ３０５の受信に関連する処理を行っていない部分中にはスリープ状態で動作することができる。スリープ状態の利益を最大化するために、ページングシステム３００は、ページングサイクルに関して大きい値を使用することができる。例えば、データシステムにおいて、ページングサイクルは、約５分であることができる。上記のように、基地局１０５−ｂが、ページングメッセージ３０５の成功裏の受信を示すページング応答３１０を受信しない場合は、基地局１０５−ｂは、ページング応答３１０が受信されるまでより小さいページングサイクルを用いてページングメッセージ３０５を再送信することができる。ページングメッセージ３０５の再送信は、同じチャネル又は異なるチャネルを用いて行うことができる。さらに、Ｍ２Ｍデバイス１１５−ｂは、ページングメッセージ３０５の有無に関してページングスロットをモニタリングするためにより定期的に（すなわち、より短いページングサイクルで）ウェイクアップすることができる。
【００３８】
［００５８］一実施形態においては、フレームのページングスロット中に使用されるページングチャネルは、幾つかのページングメッセージ３０５を搬送する上で十分な帯域幅を有することができる。一例においては、ページングチャネルは、最大量未満のページングメッセージ３０５を搬送することができる。基地局１０５−ｂは、ページングスロット中にページングチャネルの余分の未使用の帯域幅内にシステム情報を挿入することができる。システム情報は、基地局１０５−ｂから送信された信号のタイミングを取得するために幾つかのＭ２Ｍデバイス１１５−ｂによって使用することができる。システム情報を送信するためにページングチャネルを再度使用することは、該情報を搬送するための順方向リンクフレームの追加のタイムスロット中に追加のチャネルを設定する必要をなくす（それは、順方向リンクフレームの全長を長くすることができる）。その結果、Ｍ２Ｍデバイス１１５は、アウェイクモードにある時間を最短にすることによって電力を節約することができる。ページングチャネルを再度使用することによって、順方向リンクで送信されるフレームのタイムスロットを短くすることができ、Ｍ２Ｍデバイス１１５が可能なかぎり素早くスリープモードに戻るのを可能にする。
【００３９】
［００５９］ページングメッセージ３０５を受信した時点で、Ｍ２Ｍデバイス１１５−ｂは、ページングメッセージ３０５内で指定されたあらゆる動作を行うことができる。例えば、Ｍ２Ｍデバイス１１５−ｂは、単にページングメッセージ３０５を受信してスリープ状態に戻ることができる。代替として、Ｍ２Ｍデバイス１１５−ｂは、基地局１０５−ｂとアクティブなコネクションを確立するために基地局１０５−ｂにアクセスすることができる。
【００４０】
［００６０］図３Ｂは、無線通信システム３２０の一実施形態を例示したブロック図である。システム３２０は、基地局１０５−ｃと、Ｍ２Ｍデバイス１１５−ｃと、を含むことができる。基地局１０５ｃ及びＭ２Ｍデバイス１１５−ｃは、図１、２、又は３Ａの基地局及びＭ２Ｍデバイスの例であることができる。一構成においては、基地局１０５−ｃは、順方向リンク通信３２５のために使用される論理チャネルのための限られた数のタイムスロットを有する順方向リンクフレームを用いてＭ２Ｍデバイス１１５−ｃと通信することができる。Ｍ２Ｍデバイス１１５−ｃは、逆方向リンク通信３３０を用いて基地局１０５−ｃと通信することができる。上述されるように、順方向リンク通信及び逆方向リンク通信を用いて行われる通信は、Ｍ２Ｍ通信であることができる。これらの通信は、様々な形態をとることができ、主に、基地局１０５−ｃ及びＭ２Ｍデバイス１１５−ｃによって使用されるエアインタフェースプロトコルに依存する。
【００４１】
［００６１］基地局１０５−ｃは、１つ以上の搬送波周波数で通信するように配置することができ、典型的には、順方向リンク通信及び逆方向リンク通信をそれぞれ定義するために一対の周波数帯域を使用する。基地局１０５−ｃは、複数のセルセクタを画定するように配備された一組の指向性アンテナ素子を含むこともできる。所定の搬送波周波数における各セクタ内でのＭ２Ｍ通信は、セクタ専用コード、例えば、擬似ランダム雑音オフセット（“ＰＮオフセット”）を用いて所定のセクタ内の通信を変調することによってその他のセクタにおける通信と区別することができる。さらに、各セクタ内でのＭ２Ｍ通信は、制御チャネル及びトラフィックチャネルに分割することができ、それらの各々は、時分割多重（ＴＤＭ）を通じて定義することができる。
【００４２】
［００６２］一実施形態においては、信号は、フレームフォーマットで順方向リンク通信３２５及び逆方向リンク３３０で送信することができる。フレームフォーマット内では、情報は、通信リンク３２５、３３０を通じて通信される実際のペイロードデータによりパケット化及びフォーマット化することができる。一構成においては、順方向リンク通信３２５で送信されるフレームのフォーマットは、様々なチャネルのための様々なタイムスロットを含むことができる。一実施形態においては、フレームは、ページングチャネルのためのページングスロットと、ＵＣＣのためのアップリンク制御スロットと、トラフィックチャネルのためのトラフィックスロットと、を含むことができる。上記のように、ページングメッセージ３０５及び／又はシステム情報は、ページングスロット中にＭ２Ｍデバイス１１５−ｃに対して（ページングサイクルに従って）ページングチャネルで送信することができる。アップリンク制御メッセージは、アップリンク制御タイムスロット中にＭ２Ｍデバイスに対してＵＣＣで送信することができる。これらのメッセージは、逆方向リンクでの通信のために使用することができる各狭帯域周波数チャネルの現在の状態を示すことができる。トラフィックデータは、トラフィックタイムスロット中にＭ２Ｍデバイス１１５−ｃに対してトラフィックチャネルで送信することができる。Ｍ２Ｍ通信において順方向リンク通信３２５で使用されるフレームは、短いデューティサイクルに基づくことができる。
【００４３】
［００６３］電力を節約することを目的として、Ｍ２Ｍデバイス１１５は、データ、ページングメッセージ３０５、等を受信するために特定の順方向リンクフレームの特定のタイムスロット中のみにウェイクアップすることができる。その結果、Ｍ２Ｍ通信におけるフレーム構造は、各々のＭ２Ｍデバイス１１５ごとにスロットを設ける（ｓｌｏｔｔｅｄ）ことができる。従って、各デバイス１１５は、それのデータを取り出すために必要な１つ以上のフレームの１つ以上のスロット中にウェイクアップするのが要求されるだけである。トラフィックチャネルサイクルの開始時に、そのサイクル中にトラフィックデータを受信することを期待している各Ｍ２Ｍデバイス１１５にスロットマップをブロードキャストすることができる。スロットマップは、各々のトラフィックデータがサイクル中に順方向リンクで送信されるときを各Ｍ２Ｍデバイスが推定するのを可能にする情報を含むことができる。スロットマップ内の情報は、それのデータが送信されるときを各デバイス１１５が特定するのを可能にするためにハッシュ（ｈａｓｈ）することができる。スロットマップを受信後は、デバイス１１５は、それらのデータが送信される１つ以上のトラフィックスロット中にスリープ状態に戻り、再度ウェークすることができる。
【００４４】
［００６４］一構成においては、通信リソースを節約することを目的として、Ｍ２Ｍデバイス１１５−ｃは、現在のシステム及び方法により、スリープ状態に戻るために基地局１０５−ｃから送信されたメッセージのオポチュニスティック（ｏｐｐｏｒｔｕｎｉｓｔｉｃ）な復号を行うことができる。一実施形態においては、基地局１０５−ｃは、１つ以上の順方向リンクフレームを生成し、それらの１つ以上の順方向リンクフレームのうちの１つのチャネルを用いてメッセージの複数のコピーをＭ２Ｍデバイス１１５−ｃに送信することができる。メッセージの各コピーは、高データレートでサブチャネルで送信することができる。Ｍ２Ｍデバイス１１５−ｃは、メッセージを成功裏に復調するために必要な数だけのメッセージのコピーを読み取ることができる。一構成においては、Ｍ２Ｍデバイス１１５−ｃは、基地局１０５−ｃから送信されたパイロット信号からの受信された信号強度に基づいてメッセージを復号するために受信する必要があるメッセージのコピー数を推定することができる。メッセージを成功裏に復号した時点で、デバイス１１５−ｃは、物理層ＡＣＫメッセージを生成して基地局１０５−ｃに送り返す前にスリープ状態に戻ることができる。メッセージのさらなるコピーがサブチャネル内に残っている場合は、基地局１０５−ｃは、（Ｍ２Ｍデバイス１１５−ｃが既にスリープ状態に戻っている場合でも）それらのさらなるコピーを送信し続けることができる。一構成においては、デバイス１１５−ｃは、メッセージが復調されていることを示す物理層ＡＣＫメッセージを基地局に送信しないことによってバッテリ電力を節約することができる。
【００４５】
［００６５］一例においては、Ｍ２Ｍデバイス１１５−ｃの電力効率をさらに向上させるために、狭帯域ＦＤＭＡ技法を逆方向リンク通信３３０に関して使用することができる。この技法は、逆方向リンク通信３３０の動作帯域を幾つかの狭帯域周波数チャネルに分割することを含むことができる。基地局１０５−ｃは、各狭帯域チャネルの状態及び割り当てを各Ｍ２Ｍデバイス１１５にブロードキャストすることができる。状態は、“ビジー”又は“アイドル”であることができる。一実施形態においては、Ｍ２Ｍデバイス１１５−ｃは、狭帯域周波数チャネルがデバイス１１５−ｃに割り当てられた場合のみにデータを送信することができる。信号対干渉雑音比（ＳＩＮＲ）分布を利用し及び逆方向リンク通信３３０において複数のデータレートをサポートするために逆方向リンク通信３３０の早期終了（上述）を狭帯域ＦＤＭＡ技法内に組み入れることができる。逆方向リンクでの早期終了は、周波数チャネルの状態がビジー状態からアイドル状態に移行するときに生じることができる。状態がアイドルに移行していることを検出した時点で、Ｍ２Ｍデバイスは、逆方向リンクでの送信を終了することができる。
【００４６】
［００６６］一実施形態においては、前述されるように、逆方向リンク通信３３０は、Ｍ２Ｍデバイス１１５−ｃのバッテリ電力及びＭ２Ｍデバイス１１５−ｃと基地局１０５−ｃとの間でのエアインタフェースリソースを節約するために早期に終了させることができる。チャネルの状態の変化を通じて逆方向リンク送信を早期に終了させることに加えて、順方向リンクフレームは、肯定応答（ＡＣＫ）メッセージを送信することができるタイムスロットを含むことができる。スロット中にＡＣＫメッセージを送信するために使用されるチャネルは、共通チャネル又は共有チャネルであることができる。基地局１０５−ｃは、逆方向リンク通信３３０を用いてＭ２Ｍデバイス１１５−ｃから送信された逆方向リンク物理層パケットの受信を肯定応答するＡＣＫメッセージを搬送するためにそのチャネルを使用することができる。一構成においては、順方向リンクフレームの状態が好ましいようにみえるときにはより多くの数のＡＣＫメッセージをＡＣＫで送信することができる。これは、Ｍ２Ｍデバイスが基地局によって成功裏に復号されるまで逆方向リンク通信３３０で送信しなければならないパケットのコピー数を識別することを含むことができる。同様に、順方向リンクフレームの状態が好ましいようにみえないときにはより少ない数のＡＣＫメッセージをＡＣＫパケットで送信することができる。パケット内のＡＣＫメッセージの数を増加及び減少させることは、ＡＣＫメッセージをＭ２Ｍデバイスに送信するために使用されるデータレートを有効に変化させる。その結果、すべてのＡＣＫメッセージを最低のデータレートで送信するのではなく、幾つかのＡＣＫメッセージは、より高いデータレートで送信することができる。ＡＣＫ（すなわち、ＡＣＫメッセージ）がより高いデータレートでＭ２Ｍデバイス１１５−ｃに送信されるときには、デバイス１１５−ｃは、より素早くＡＣＫを受信して復号することができ、それにより、順方向リンクＡＣＫスループットを向上させ及びＡＣＫが低いデータレートで送信された場合よりも早期に逆方向リンク通信３３０を終了させることができる。
【００４７】
［００６７］一構成においては、Ｍ２Ｍデバイスの電力を節約することを目的として、逆方向リンク通信３３０の動作帯域は、複数の逆方向リンク周波数チャネルに分割することができ、複数のＭ２Ｍデバイス１１５に関して逆方向リンク通信を多重化するためにＣＤＭＡ技法を使用することができる。一例では、各逆方向リンク周波数チャネルは、それ自体のライズ・オーバー・サーマル（ｒｉｓｅ  ｏｖｅｒ  ｔｈｅｒｍａｌ）（ＲｏＴ）動作ポイントを有することができる。少なくとも１つの周波数チャネルを低データレートランダムアクセスチャネルとして専用であることができ、低いＲｏＴを有する。逆方向リンク通信３３０の動作帯域を分割することは、基地局に関して強い信号強度を有さないＭ２Ｍデバイスに関する逆方向リンク通信に関して低いＲｏＴ動作ターゲット（例えば、１デシベル（ｄＢ）以下）を提供することができる。低いＲｏＴは、大きい経路損失を有する位置に存在するデバイスに関するリンクバジェット（ｌｉｎｋ  ｂｕｄｇｅｔ）要求を低減させることができる。
【００４８】
［００６８］次に図４Ａを参照し、ブロック図は、様々な実施形態による順方向リンク通信を管理するためのデバイス４００を例示する。デバイス４００は、図１、２、３Ａ、及び／又は３Ｂを参照して説明される基地局１０５の１つ以上の態様の例であることができる。デバイス４００は、プロセッサであることもできる。デバイス４００は、受信機モジュール４０５、順方向リンク通信モジュール４１０、及び／又は送信機モジュール４１５を含むことができる。これらのコンポーネントの各々は、互いに通信状態にあることができる。
【００４９】
［００６９］デバイス４００のこれらのコンポーネントは、個々に又は全体として、ハードウェア内の該当する機能の一部又は全部を実行するように好適化された１つ以上の特定用途向け集積回路（ＡＳＩＣ）とともに実装することができる。代替として、これらの機能は、１つ以上の集積回路において、１つ以上のその他の処理ユニット（又はコア）によって実行することができる。その他の実施形態においては、その他のタイプの集積回路（例えば、Ｓｔｒｕｃｔｕｒｅｄ／Ｐｌａｔｆｏｒｍ  ＡＳＩＣ、フィールドプログラマブルゲートアレイ（ＦＰＧＡ）、及びその他のＳｅｍｉ−ＣｕｓｔｏｍＩＣ）を使用することができ、それらは、当業において知られているあらゆる方法でプログラミングすることができる。各ユニットの機能は、全体又は一部を、メモリ内で具現化され、１つ以上の汎用又は特定用途向けプロセッサによって実行するようにフォーマット化された命令を用いて実装することもできる。
【００５０】
［００７０］受信機モジュール４０５は、情報、例えば、パケット、データ、及び／又はデバイス４００が受信又は送信しているものに関するシグナリング情報、を受信することができる。受信された情報は、様々な目的のために順方向リンク通信モジュール４１０によって利用することができる。
【００５１】
［００７１］受信機モジュール４０５は、逆方向リンク通信３３０を用いてＭ２Ｍデバイス１１５から送信された逆方向リンク物理層パケットを受信するように構成することができる。受信機モジュール４０５は、Ｍ２Ｍデバイス１１５に通信するためにバックエンドサーバから命令、一組の動作、メッセージ、等を受信するように構成することもできる。順方向リンク通信モジュール４１０は、１つ以上の順方向リンクフレームを生成することができる。それらのフレームは、論理チャネルのために使用される最小限のタイムスロットを含む短いデューティサイクルフレームであることができる。順方向リンクフレームは、複数のＭ２Ｍデバイスと通信するためにスロットを設定することができる。順方向リンクフレームに関する詳細が以下において説明される。
【００５２】
［００７２］順方向リンク通信モジュール４１０は、逆方向リンクでの通信のためにＭ２Ｍデバイスにとって利用可能な各狭帯域周波数チャネルの状態をモニタリング及び更新することができる。チャネルが使用されていないときには、状態は、アイドルに設定することができる。逆方向リンク送信を搬送するためにチャネルが使用されるときには、状態は、ビジーに設定することができる。モジュール４１０は、基地局から送信された各順方向リンクフレームで各チャネルの現在の状態を送信することができる。モジュール４１０は、特定のチャネルに関して２つ以上の要求が受信された場合はその特定のチャネルにＭ２Ｍデバイスを割り当てることもできる。Ｍ２Ｍデバイスにチャネルを暗黙で割り当てる（例えば、状態をビジーに移行させる）又は明示で割り当てる（例えば、割り当て情報を送信する）ことによって、逆方向リンク通信はより効率的であることができ及びデバイスの電力を節約することができる。
【００５３】
［００７３］一実施形態においては、順方向リンク通信モジュール４１０は、送信機モジュール４１５を介して幾つかのＭ２Ｍデバイス１１５に送信するために幾つかのページングメッセージ３０５を生成することができる。ページングメッセージ３０５は、基地局１０５がＭ２Ｍデバイス１１５に対して基地局１０５と接触するように要求していることを特定のＭ２Ｍデバイス１１５に警告することができる。一構成においては、ページングメッセージ３０５は、異なるデータレートでページングタイムスロット中にページングチャネル（又はページングチャネルのサブチャネル）で送信することができ、Ｍ２Ｍデバイス１１５がページングメッセージを成功裏に復調するかどうかに依存する。
【００５４】
［００７４］一構成においては、ページングチャネルは、最大数未満のページングメッセージ３０５を含むことができる。ページングチャネルが最大数のページングメッセージ３０５を含まない場合は、ページングスロットはアイドルであると決定することができる。ページングチャネル内にシステムシステム情報を挿入することによってページングチャネルの未使用の容量を利用することができる。システム情報は、順方向リンクフレームのページングタイムスロット中にページングチャネルでＭ２Ｍデバイス１１５にブロードキャストすることができる。このタイプの情報を送信するための追加のチャネル及びタイムスロットが順方向リンクフレームにおいて回避される。その代わりに、システム情報を送信するためにアイドルのページングタイムスロットを再度使用することができる。
【００５５】
［００７５］受信機モジュール４０５は、Ｍ２Ｍデバイス１１５がページングメッセージ３０５を成功裏に復号したときにページング応答３１０を受信することができる。受信機モジュール４０５がページング応答３１０を受信しないときには、順方向リンク通信モジュール４１０は、ページングメッセージ３０５を再送信するように送信機モジュール４１５に命令するように構成することができる。送信機モジュール４１５は、ページングメッセージ３０５のオリジナルの送信よりも低いデータレートで及びより高い頻度でメッセージ３０５を再送信することができる。送信機モジュール４１５は、ページング応答３１０が受信機モジュール４０５によって受信されたときに及び／又はある一定の回数のメッセージ３０５の再送信が送信された後は再送信を停止することができる。送信機モジュール４１５は、異なる順方向リンクフレームの異なるサブページングチャネルでページングメッセージ３０５を送信及び再送信することができる。一構成においては、ページングメッセージ３０５を送信するためにページングチャネルが要求されないときには、順方向リンク通信モジュール４１０は、システム情報を生成して順方向リンクフレームのページングチャネル内に挿入することができる。送信機モジュール４１５は、フレームのページングチャネルでＭ２Ｍデバイス１１５にシステム情報を送信することができる。一構成においては、送信機４１５は、複数のフレームの複数のページングチャネルを用いて情報を送信することができる。ページングメッセージは、異なるデータレート及び異なるページングサイクルで異なるページングチャネルにおいて送信することができる。
【００５６】
［００７６］図４Ｂは、順方向リンク通信モジュール４１０−ａの一実施形態を例示したブロック図である。モジュール４１０−ａは、図４Ａの順方向リンク通信モジュールの一例であることができる。一例では、モジュール４１０−ａは、順方向リンクフレーム生成モジュール４２０と、ＡＣＫ生成モジュール４２５と、ページングスロット再使用モジュール４３０と、ページングサイクル選択モジュール４３５と、ページングチャネル選択モジュール４４０と、共有トラフィックチャネルフォーマット化モジュール４４５と、順方向リンクパケットフォーマット化モジュール４５０と、マルチチャネルモジュール４５５と、を含むことができる。
【００５７】
［００７７］順方向リンクフレーム生成モジュール４２０は、（例えば、基地局からＭ２Ｍデバイスへの）順方向リンク３２５での通信のために使用される物理層フレームを生成することができる。生成されたフレームは、短いデューティサイクル及び少数のスロッテッド（ｓｌｏｔｔｅｄ）物理層チャネルに基づくことができる。例えば、モジュール４２０は、合計２０ミリ秒（ｍｓ）である順方向リンク物理層フレームを生成することができる。モジュール４２０によって生成されるフレームのスロッテッド動作は、Ｍ２Ｍデバイス１１５がデータを期待しているフレームのスケジューリングされたタイムスロット中のみにウェイクアップしてそれの無線をオンにするのを可能にすることができる。その結果、Ｍ２Ｍデバイス１１５は、フレームの長さよりも短い時間だけアウェイクモード状態であることができる。
【００５８】
［００７８］順方向リンクフレームの物理チャネルの各々は、パイロットシンボル及びデータシンボルの両方を含むことができ、それらは、時分割多重化（ＴＤＭ）することができる。一構成においては、モジュール４２０によって生成された順方向リンクフレームは、ページングスロットと、アップリンク制御スロットと、トラフィックスロットと、を含むことができる。ページングメッセージ及びその他の情報は、ページングタイムスロット中に順方向リンク通信３２５でＭ２Ｍデバイス１１５に対してページングチャネルで送信することができる。チャネル状態情報及びチャネル割り当て情報は、アップリンク制御スロット中に送信することができる。データトラフィックは、トラフィックスロット中にＭ２Ｍデバイス１１５に対してトラフィックチャネルで送信することができる。
【００５９】
［００７９］ＡＣＫ生成モジュール４２５は、順方向リンク通信３２５で送信するためのＡＣＫメッセージを生成することができる。メッセージは、順方向リンクフレーム生成モジュール４２０によって生成される順方向リンクフレームの一部であるＡＣＫチャネルで送信することができる。一構成においては、チャネルは、ＡＣＫパケットで複数のＡＣＫを送信するために使用することができる。パケット内の各ＡＣＫは、Ｍ２Ｍデバイス１１５の識別子（ＩＤ）であることができる。ＩＤは、Ｍ２ＭデバイスのネットワークＩＤであることができる。さらに、ＩＤは、ネットワークＩＤの圧縮バージョンであることができる。例えば、圧縮されたＩＤは、Ｍ２Ｍデバイス１１５のネットワークＩＤのハッシュであることができる。一構成においては、ＡＣＫ生成モジュール４２５は、ＡＣＫパケットを生成するために複数のＡＣＫをグループに分けることができる。一実施形態においては、ＡＣＫパケットは、順方向リンクのチャネル状態に依存して異なる数量のＡＣＫを含むことができる。
【００６０】
［００８０］幾つかの例では、ページングスロットは、ある一定の順方向リンクフレームに関してアイドルであることができる。例えば、ページングスロット中のページングチャネルの容量は、１００％の容量でないことができる。例えば、ページングスロットは、Ｍ２Ｍデバイス１１５に関するページングメッセージ３０５を送信するようにスケジューリングすることはできない。その結果、ページングチャネルは、空である（例えば、ページングメッセージ３０５がない）ことができる。ページングスロット再使用モジュール４３０は、Ｍ２Ｍデバイス１１５にシステム情報を通信するためにアイドルのページングスロットを再度使用することができる。システム情報は、システムタイミング及びセクタ番号情報を含むことができ及びページングタイムスロット中にＭ２Ｍデバイス１１５に送信するためにページングチャネル内に挿入することができる。従って、Ｍ２Ｍデバイス１１５にシステム情報を搬送するために順方向リンクフレーム内で追加のチャネルを確立することを回避することができる。代わりに、ページングスロット再使用モジュール４３０は、フレーム内のページングスロットのアイドルのページングチャネル内にシステム情報を挿入することができる。
【００６１】
［００８１］一実施形態においては、ページングサイクル選択モジュール４３５は、Ｍ２Ｍデバイスにページングメッセージを送信するための特定のページングサイクルを選択することができる。モジュール４３５は、Ｍ２Ｍ無線ＷＡＮにおいてＭ２Ｍデバイス１１５に関するページングサイクルを動的に変えるために柔軟なページング方式を提供することができる。ページングサイクル選択モジュール４３５は、デバイス１１５からページング応答３１０が受信されるかどうか、時刻、Ｍ２Ｍデバイス１１５の動作状態、等に依存してページングサイクルを動的に変えることができる。
【００６２】
［００８２］一構成においては、ページングチャネル選択モジュール４４０は、順方向リンク通信３２５を用いてＭ２Ｍデバイス１１５にページングメッセージを送信するためにページングチャネルのサブチャネルを選択することができる。例えば、選択モジュール４４０は、一次ページングチャネル及び二次ページングチャネルの間で選択することができる。モジュール４４０は、一次及び二次ページングチャネルを用いてＭ２Ｍ  ＷＡＮにおいて異なるデータレートでページングメッセージを送信するのを可能にするページング方式を提供することができる。一次ページングチャネルは、より長いページングサイクルに関して使用することができ、二次ページングチャネルは、より短いページングサイクルに関して使用することができる。一例では、基地局１０５は、第１のページングメッセージを送信することができる。モジュール４４０は、一次チャネルを選択することができる。第１のページングメッセージは、長いページングサイクルにわたって高いデータレートで一次チャネルで送信することができる。モジュール４４０は、二次ページングチャネルを選択することができる。第２のページングメッセージは、より短いページングサイクルにわたってより低いデータレートで送信されることになるため、第２のページングメッセージは、第２のページングメッセージで送信することができる。一実施形態においては、第１及び第２のページングメッセージは、同じであることができる。一例では、ページングチャネルは、論理チャネルであることができる。一構成においては、ページングチャネルは、符号分割多元接続（ＣＤＭＡ）チャネルであることができる。一例では、ページングチャネルは、時分割多元接続（ＴＤＭＡ）チャネルであることができる。
【００６３】
［００８３］共有トラフィックチャネルフォーマット化モジュール４４５は、複数のＭ２Ｍデバイスによって共有することができる順方向リンクフレーム内のトラフィックチャネルをフォーマット化することができる。Ｍ２Ｍデバイス１１５が所定のトラフィックチャネルサイクル内でトラフィックスロット中に共有されるトラフィックチャネルでのデータを予想しているときには、デバイス１１５は、ＩＤフィールドによる指示に従ってデータを見つけるまでトラフィックチャネルサイクル中に複数の順方向リンクフレーム全体にわたってトラフィックチャネルスロットの読み取りを続けることができる。その結果、Ｍ２Ｍデバイス１１５は、データを見つけるのに必要な以上長くアウェイク状態にあることができる。フォーマット化モジュール４４５は、Ｍ２Ｍデバイス１１５に関するウェイクアップ時間を最小にするような形でトラフィックチャネルをフォーマット化することができる。Ｍ２Ｍデバイス１１５は、共有されるトラフィックチャネル上のデータを取り出すために特定のフレームのどのスロットがウェイクアップすべきであるかを決定することができる。どのスロットのためにウェイクアップすべきであるかを決定するために、基地局１０５は、サイクルの第１のトラフィックチャネル中にスロットマップをブロードキャストすることができる。マップは、Ｍ２Ｍデバイス１１５がサイクル中にそれのデータを受信することを期待することができるトラフィックスロットを識別するためにハッシュ関数を使用することができる。トラフィックチャネルは、デバイスがどのスロットを使用すべきかを決定するのを可能にするためにモジュール４４５によってフォーマット化することができる。例えば、モジュール４４５は、ハッシュされたスロットにデータ又は実際のデータが所在するスロットを指し示すポインタが入っているように共有トラフィックチャネルをフォーマット化することができる。第１のフレームのスロットにすべてのポインタを入れることができない場合は、モジュール４４５は、オーバーフローフラグを設定し、ハッシュされたＭ２Ｍデバイスがデータの有無を検査することができる他のフレームの他のスロットを指し示すポインタを提供することができる。Ｍ２Ｍデバイス１１５に関するすべてのデータを単一のスロット中に収納できるわけでない場合は、モジュール４４５は、残りのデータが送信される他のスロットを示すポインタを含めるようにチャネルのトレーラフィールド（ｔｒａｉｌｅｒ  ｆｉｅｌｄ）をフォーマット化することができる。
【００６４】
［００８４］順方向リンクパケットフォーマット化モジュール４５０は、順方向リンク通信３２５で送信されるべきパケットをフォーマット化することができる。一例においては、モジュール４５０は、パケットの複数のコピーを生成することができる。さらに、モジュール４５０は、順方向リンクフレーム内のタイムスロットのサブスロット内にパケットの単一のコピーを挿入することができる。一実施形態においては、順方向リンクフレームのタイムスロット（例えば、ページングスロット、アップリンク制御スロット、トラフィックスロット）は、幾つかのサブスロットに分割することができる。順方向リンクパケットフォーマット化モジュール４５０は、パケットの単一のコピーを生成されたサブスロットの各々の中に挿入することができる。一構成においては、タイムスロット中にパケットを搬送するために使用されるチャネルも幾つかのサブチャネルに分割することができる。その結果、サブチャネルは、順方向リンク通信３２５でパケットのコピーを搬送するために各サブスロット中に使用することができる。各サブチャネルは、パケットのコピーを高データレートで送信するために使用することができる。
【００６５】
［００８５］一実施形態においては、マルチチャネルモジュール４５５は、逆方向リンクの動作周波数帯域を幾つかの狭帯域ＦＤＭＡ周波数チャネルに分割することができる。モジュール４５５は、各チャネルの状態を１つ以上のＭ２Ｍデバイスにブロードキャストすることができる。逆方向リンク通信に関してチャネルを使用するための要求をＭ２Ｍデバイスから受信した時点で、マルチチャネルモジュール４５５は、チャネルの状態をビジー状態に移行させることができる。一構成においては、状態を移行させることは、ビジー状態を表すために１ビットインジケータを“０”から“１”に変えることを含むことができる。更新された状態は、１つ以上のＭ２Ｍデバイスに送信することができる。基地局１０５が逆方向リンクで送信されたデータパケットを成功裏に復号及び復調しているときには、モジュール４５５は、逆方向リンクチャネルの状態をビジー状態からアイドル状態に移行させることができる。
【００６６】
［００８６］モジュール４５５が同じ狭帯域周波数チャネルに関して２つ以上の要求を検出した場合は、モジュール４５５は、そのチャネルに割り当てられるべき特定のＭ２Ｍデバイスを選択してチャネルの状態を移行させることができる。更新された状態情報を１つ以上のＭ２Ｍデバイスに送信することに加えて、モジュール４５５は、狭帯域チャネルを使用するために選択されたＭ２Ｍデバイスを識別する割り当て情報を生成することができる。
【００６７】
［００８７］マルチチャネルモジュール４５５は、逆方向リンクの動作周波数帯域を幾つかのＣＤＭＡ周波数チャネルに分割することもできる。モジュール４５５は、各周波数チャネルに関するＲｏＴスレショルドを設定することもできる。一実施形態においては、マルチチャネルモジュール４５５は、Ｍ２Ｍ無線ＷＡＮ内のいずれのＭ２Ｍデバイス１１５が逆方向リンクでの通信のために幾つかのチャネルを使用すべきかを決定することができる。モジュール４５５は、これらのチャネル割り当てをＭ２Ｍデバイス１１５に送信することができる。さらに、マルチチャネルモジュール４５５は、１つ以上の周波数チャネルのＲｏＴスレショルドを動的に変えることができる。ＲｏＴスレショルドを変える決定は、ネットワークの混雑、１つ以上の個々のチャネルでのトラフィック、時刻、等に依存することができる。周波数チャネルのＲｏＴスレショルドを動的に変えることに関する詳細が以下においてさらに詳細に説明される。
【００６８】
［００８８］図５Ａは、様々な実施形態による逆方向リンク通信を管理するためのデバイス５００を例示したブロック図である。デバイス５００は、図１、２、３Ａ、及び／又は３Ｂを参照して説明されるＭ２Ｍデバイス１１５及び／又は基地局１０５の１つ以上の態様の例であることができる。デバイス５００は、プロセッサであることもできる。デバイス５００は、受信機モジュール５０５、逆方向リンク通信モジュール５１０、及び／又は送信機モジュール５１５を含むことができる。これらのコンポーネントの各々は、互いに通信状態にあることができる。
【００６９】
［００８９］デバイス５００のこれらのコンポーネントは、個々に又は全体として、ハードウェア内の該当する機能の一部又は全部を実行するように好適化された１つ以上の特定用途向け集積回路（ＡＳＩＣ）とともに実装することができる。代替として、これらの機能は、１つ以上の集積回路において、１つ以上のその他の処理ユニット（又はコア）によって実行することができる。その他の実施形態においては、その他のタイプの集積回路（例えば、Ｓｔｒｕｃｔｕｒｅｄ／Ｐｌａｔｆｏｒｍ  ＡＳＩＣ、フィールドプログラマブルゲートアレイ（ＦＰＧＡ）、及びその他のＳｅｍｉ−ＣｕｓｔｏｍＩＣ）を使用することができ、それらは、当業において知られているあらゆる方法でプログラミングすることができる。各ユニットの機能は、全体又は一部を、メモリ内で具現化され、１つ以上の汎用又は特定用途向けプロセッサによって実行するようにフォーマット化された命令を用いて実装することもできる。
【００７０】
［００９０］受信機モジュール５０５は、情報、例えば、パケット、データ、及び／又はデバイス５００が受信又は送信しているものに関するシグナリング情報、を受信することができる。受信された情報は、様々な目的のために逆方向リンク通信モジュール５１０によって利用することができる。
【００７１】
［００９１］受信機モジュール５０５は、順方向リンク通信３２５を用いて基地局１０５から送信された順方向リンク物理層パケットを受信するように構成することができる。逆方向リンク通信モジュール５１０は、Ｍ２Ｍデバイス１１５から基地局１０５にトラフィックを送信することができるトラフィックスロットを含む逆方向リンクフレームを生成することができる。
【００７２】
［００９２］一実施形態においては、逆方向リンク通信モジュール５１０は、逆方向リンクでの通信を早期に終了させることができる。前において説明されるように、逆方向リンク通信のために使用される狭帯域周波数チャネルのビジーからアイドルへの状態の移行は、逆方向リンクでの早期終了をトリガすることができる。チャネル状態の変化を検出した時点で、逆方向リンク通信モジュール５１０は、逆方向リンク通信３３０で通信を送信するのを停止するように送信機５１５に命令することができる。逆方向リンク通信モジュール５１０に関する詳細が以下において説明される。
【００７３】
［００９３］図５Ｂは、逆方向リンク通信モジュール５１０−ａの一実施形態を例示したブロック図である。モジュール５１０−ａは、図５Ａの逆方向リンク通信モジュールの例であることができる。一例では、モジュール５１０−ａは、スリープ状態モジュール５２０と、チャネル識別モジュール５２５と、狭帯域チャネル識別モジュール５３０と、を含むことができる。
【００７４】
［００９４］一構成においては、スリープ状態モジュール５２０は、Ｍ２Ｍデバイス１１５が基地局１０５からメッセージを受信する上で十分に長い間ウェイクアップし、次に電力を節約するためにスリープ状態に戻るのを可能にすることができる。基地局は、順方向リンクフレームを用いてＭ２Ｍデバイスにメッセージを送信することができる。フレームは、メッセージを搬送するためのページングチャネルを含むことができる。ページングチャネルは、幾つかのサブチャネルを含むことができる。基地局は、メッセージのコピーを各サブチャネルで送信することができる。Ｍ２Ｍデバイスがサブチャネルのうちの１つにおけるメッセージを成功裏に受信及び復調したときには、スリープ状態モジュール５２０は、無線をオフにすること及び基地局にＡＣＫメッセージを戻さずにバッテリを節約するためにスリープ状態に戻ることをＭ２Ｍデバイス１１５に行わせることができる。
【００７５】
［００９５］一実施形態においては、チャネル識別モジュール５２５は、チャネルのＲｏＴレベルに少なくとも部分的に基づいて使用すべき逆方向リンクチャネルを識別することができる。前記のように、逆方向リンクの動作帯域は、複数の逆方向リンク周波数チャネルに分割することができる。各周波数チャネル内において、多元ユーザ多重化のためにＣＤＭＡを実装することができる。各周波数チャネルは、それ自体のターゲットＲｏＴ動作ポイントを有することができる。少なくとも１つの周波数チャネルを、低いＲｏＴ動作ポイントを有する低データレートランダムアクセスチャネルとして専用化することができる。
【００７６】
［００９６］一例においては、狭帯域チャネル識別モジュール５３０は、チャネルの状態に少なくとも部分的に基づいて逆方向リンクでデータを送信するために使用するための狭帯域チャネルを識別することができる。一実施形態においては、逆方向リンクの動作帯域は、幾つかの狭帯域ＦＤＭＡ周波数チャネルに分割することができる。各狭帯域チャネルのビジー又はアイドル状態を各Ｍ２Ｍデバイス１１５にブロードキャストすることができる。デバイスは、逆方向リンクで送信されることが意図されるデータパケットのプリアンブルを送信することによってアイドル状態のチャネルの組からランダムに選択されるチャネルを求めて競争することができる。プリアンブルが送信された後は、モジュール５３０は、チャネルが暗黙に又は明示でＭ２Ｍデバイスに割り当てられた場合にチャネルを用いて逆方向リンクでデータを送信することができる。Ｍ２Ｍデバイスが暗黙に又は明示で割り当てられているチャネルでデータを送信中には、そのチャネルでのデータの送信は、同じチャネルを用いてデータパケットを送信することを試みている他のＭ２Ｍデバイスによって中断させることはできない。
【００７７】
［００９７］図６は、様々な実施形態による順方向リンク通信を管理するためのデバイス６００を示したブロック図である。デバイス６００は、図１、２、３Ａ、３Ｂ、４Ａ、及び／又は４Ｂを参照して説明される基地局の１つ以上の態様の例であることができる。デバイス６００は、プロセッサであることもできる。デバイス６００は、受信機モジュール４０５−ａ、順方向リンク通信モジュール４１０−ａ、及び／又は送信機モジュール４１５−ａを含むことができる。これらのコンポーネントの各々は、互いに通信状態にあることができる。
【００７８】
［００９８］デバイス６００のこれらのコンポーネントは、個々に又は全体として、ハードウェア内の該当する機能の一部又は全部を実行するように好適化された１つ以上の特定用途向け集積回路（ＡＳＩＣ）とともに実装することができる。代替として、これらの機能は、１つ以上の集積回路において、１つ以上のその他の処理ユニット（又はコア）によって実行することができる。その他の実施形態においては、その他のタイプの集積回路（例えば、Ｓｔｒｕｃｔｕｒｅｄ／Ｐｌａｔｆｏｒｍ  ＡＳＩＣ、フィールドプログラマブルゲートアレイ（ＦＰＧＡ）、及びその他のＳｅｍｉ−ＣｕｓｔｏｍＩＣ）を使用することができ、それらは、当業において知られているあらゆる方法でプログラミングすることができる。各ユニットの機能は、全体又は一部を、メモリ内で具現化され、１つ以上の汎用又は特定用途向けプロセッサによって実行するようにフォーマット化された命令を用いて実装することもできる。
【００７９】
［００９９］受信機モジュール４０５−ａは、情報、例えば、パケット、データ、及び／又はデバイス６００が受信又は送信しているものに関するシグナリング情報、を受信することができる。受信された情報は、前述されるように、様々な目的のために順方向リンク通信モジュール４１０−ａによって利用することができる。
【００８０】
［０１００］一構成においては、順方向リンク通信モジュール４１０−ａは、マルチチャネルモジュール４５５−ａを含むことができる。モジュール４５５−ａは、図４Ｂにおいて示されるマルチチャネルモジュール４５５の例であることができる。一構成においては、マルチチャネルモジュール４５５−ａは、動作帯域を幾つかのＦＤＭＡ周波数チャネルに分割し、基地局１０５と通信中のＭ２Ｍデバイスに各チャネルの状態をブロードキャストすることができる。チャネルがＭ２Ｍデバイスによって使用中であるときには、モジュール４５５−ａは、状態をビジーに変えることができる。そのチャネルで受信されたデータパケットが復号及び復調されたときに、状態を変えてアイドルに戻すことができる。ＦＤＭＡ周波数チャネルの割り当てに関する詳細が以下において説明される。
【００８１】
［０１０１］図７は、様々な実施形態により複数のＦＤＭＡ周波数チャネルを生成し及びＭ２Ｍデバイスに各チャネルの状態を提供するために構成することができる通信システム７００のブロック図を示す。このシステム７００は、図１において描かれるシステム１００、図２のシステム２００、図３Ａのシステム３００、図３Ｂの３２０、図４Ａのシステム４００、及び／又は図６のシステム６００の態様の一例であることができる。
【００８２】
［０１０２］］システム７００は、基地局１０５−ｄを含むことができる。基地局１０５−ｄは、アンテナ７４５と、トランシーバモジュール７５０と、メモリ７７０と、プロセッサモジュール７６５と、を含むことができ、それらの各々は、直接又は間接的に、（例えば、１つ以上のバスを通じて）互いに通信状態にあることができる。トランシーバモジュール７５０は、アンテナ７４５を介して、Ｍ２Ｍデバイス１１５と両方向で通信するように構成することができ、Ｍ２Ｍデバイス１１５は、センサ、計器、又は、追跡、検知、モニタリング、等が可能なあらゆるその他のタイプのデバイスであることができる。トランシーバモジュール７５０（及び／又は基地局１０５−ｄのその他のコンポーネント）は、１つ以上のネットワークと両方向で通信するように構成することもできる。幾つかの場合は、基地局１０５−ｄは、ネットワーク通信モジュール７７５を通じてコアネットワーク１３０−ａと通信することができる。
【００８３】
［０１０３］基地局１０５−ｄは、その他の基地局１０５、例えば、基地局１０５−ｍ及び基地局１０５−ｎ、とも通信することができる。基地局１０５の各々は、異なる無線通信技術、例えば、異なる無線アクセス技術、を用いてＭ２Ｍデバイス１１５と通信することができる。幾つかの場合は、基地局１０５−ｄは、基地局通信モジュール７３５を利用してその他の基地局、例えば、１０５−ｍ及び／又は１０５−ｎと通信することができる。幾つかの実施形態では、基地局１０５−ｄは、コントローラ１２０及び／又はコアネットワーク１３０−ａを通じてその他の基地局と通信することができる。
【００８４】
［０１０４］メモリ７７０は、ランダムアクセスメモリ（ＲＡＭ）と、読み取り専用メモリ（ＲＯＭ）と、を含むことができる。メモリ７７０は、実行されたときにここにおいて説明される様々な機能（例えば、スロットマップ生成、ＡＣＫ方式、ページングメッセージに関する動的データレート方式、柔軟なページング方式、データトラフィック方式、等）を実行することをプロセッサモジュール７６５に行わせるように構成される命令が入ったコンピュータによって読み取り可能な、コンピュータによって実行可能なソフトウェアコード７７１を格納することもできる。代替として、ソフトウェア７７１は、プロセッサモジュール７６５によって直接実行することができず、例えば、コンパイルされて実行されたときにここにおいて説明される機能を実行することをコンピュータに行わせるように構成することができる。
【００８５】
［０１０５］プロセッサモジュール７６５は、インテリジェントハードウェアデバイス、例えば、Ｉｎｔｅｌ（登録商標）  Ｃｏｒｐｏｒａｔｉｏｎ又はＡＭＤ（登録商標）によって製造されるような中央処理装置（ＣＰＵ）、マイクロコントローラ、特定用途向け集積回路（ＡＳＩＣ）、等を含むことができる。トランシーバモジュール７５０は、Ｍ２Ｍデバイス１１５に関してパケットを変調して変調されたパケットを送信のためにアンテナ７４５に提供し、及び、アンテナ７４５から受信されたパケットを復調するように構成されたモデムを含むことができる。基地局１０５−ｄの幾つかの例は、単一のアンテナ７４５を含むことができる一方で、基地局１０５−ｄは、好ましいことに、搬送波アグリゲーション（ａｇｇｒｅｇａｔｉｏｎ）をサポートすることができる複数のリンクに関する複数のアンテナ７４５を含む。例えば、Ｍ２Ｍデバイス１１５とのマクロ通信をサポートするために１つ以上のリンクを使用することができる。
【００８６】
［０１０６］図７のアーキテクチャにより、基地局１０５−ｄは、通信管理モジュール７３０をさらに含むことができる。通信管理モジュール７３０は、その他の基地局１０５との通信を管理することができる。一例として、通信管理モジュール７３０は、バスを介して基地局１０５−ｄのその他のコンポーネントの一部又は全部と通信する基地局１０５−ｄのコンポーネントであることができる。代替として、通信管理モジュール７３０の機能は、トランシーバモジュール７５０のコンポーネントとして、コンピュータプログラム製品として、及び／又はプロセッサモジュール７６５の１つ以上のコントローラ要素として実装することができる。
【００８７】
［０１０７］基地局１０５−ｄに関するコンポーネントは、図６のデバイス６００に関して上述される態様を実装するように構成することができ、ここでは簡潔さを目的として繰り返されない。一実施形態においては、基地局１０５−ｄは、マルチチャネルモジュール４５５−ｂを含むことができ、それは、図４Ｂ及び／又は６において例示されるモジュール４５５の例であることができる。モジュール４５５−ｂは、分割モジュール７０５と、チャネル状態モジュール７１０と、デバイス選択モジュール７１５と、を含むことができる。
【００８８】
［０１０８］一構成においては、分割モジュール７０５は、Ｍ２Ｍ無線ＷＡＮにおける逆方向リンクの動作周波数帯域を識別することができる。モジュール７０５は、帯域を幾つかの狭帯域ＦＤＭＡ周波数チャネルに分割することができる。帯域が分割された時点で、チャネル状態モジュール７１０は、各チャネルの状態を決定することができる。一構成においては、状態モジュール７１０は、狭帯域チャネルで信号が受信中であるかどうかを決定するために各チャネルをモニタリングすることができる。チャネルで信号が検出されない場合は、状態モジュール７１０は、アイドル状態をそのチャネルに割り当てることができる。信号が検出された場合は、ビジー状態をチャネルに割り当てることができる。
【００８９】
［０１０９］一実施形態においては、チャネル状態モジュール７１０は、チャネルの状態をさらに移行させることができる。特定のチャネルに関する逆方向リンクで要求が受信されていることをモジュール７１０が検出した場合は、モジュール７１０は、要求されたチャネルの状態をアイドルからビジーに移行させることができる。このチャネルで受信された送信が成功裏に復号されているときには、状態モジュール７１０は、該送信を搬送したチャネルの状態をアイドルに戻すことができる。
【００９０】
［０１１０］一例においては、複数のＭ２Ｍデバイス１１５が、同じ狭帯域チャネルを求める要求を出すことができる。複数の要求が受信された場合は、デバイス選択モジュール７１５は、いずれのデバイスにチャネルが割り当てられるかを決定することができる。一例においては、モジュール７１５は、チャネルを使用することを要求しているＭ２Ｍデバイスの各々から受信された逆方向リンクの強度を推定することができる。モジュール７１５は、狭帯域チャネルを使用するための最強の逆方向リンク信号を有するデバイスを選択することができる。他の例においては、デバイス選択モジュール７１５は、直近において逆方向リンクでデータを送信したＭ２Ｍデバイスを識別し、そのデバイス１１５に要求されたチャネルを割り当てることができる。
【００９１】
［０１１１］一構成においては、デバイス選択モジュール７１５は、第１のデータレート、第２のデータレート、等で順方向リンクでデータを受信する１つ以上のＭ２Ｍデバイス１１５を識別することができる。チャネル状態モジュール７１０は、第１のデータレートで識別されたＭ２Ｍデバイスの第１のグループにチャネル状態メッセージをブロードキャストすることができる。モジュール７１０は、第２のデータレートで識別されたデバイスの第２のグループにチャネル状態メッセージを送信することもでき、以下同様である。
【００９２】
［０１１２］幾つかの実施形態においては、トランシーバモジュール７５０は、アンテナ７４５と共同で、基地１０５ｄ−ｄのその他の可能なコンポーネントとともに、基地局１０５−ｄからＭ２Ｍデバイス１１５に、その他の基地局１０５−ｍ／１０５−ｎに、又はコアネットワーク１３０−ａに、トラフィックスロットを各々含む幾つかの順方向リンクフレームを送信することができる。スロットマップは、トラフィックチャネルサイクルの開始時に第１の順方向リンクフレームのトラフィックスロット中に送信することができる。
【００９３】
［０１１３］図８は、様々な実施形態による逆方向リンク通信を管理するためのデバイス８００を例示したブロック図である。デバイス８００は、図１、２、３Ａ、３Ｂ、及び／又は５Ａを参照して説明されるＭ２Ｍデバイス１１５の１つ以上の態様の例であることができる。デバイス８００は、プロセッサであることもできる。デバイス８００は、受信機モジュール５０５−ａ、逆方向リンク通信モジュール５１０−ａ、及び／又は送信機モジュール５１５−ａを含むことができる。逆方向リンク通信モジュール５１０−ａは、モジュール５３０−ａを識別する狭帯域チャネルを含むことができる。モジュール５２０−ａは、図５Ｂを参照して説明される狭帯域チャネル識別モジュール５３０の例であることができる。これらのコンポーネントの各々は、互いに通信状態にあることができる。
【００９４】
［０１１４］デバイス８００のこれらのコンポーネントは、個々に又は全体として、ハードウェア内の該当する機能の一部又は全部を実行するように好適化された１つ以上の特定用途向け集積回路（ＡＳＩＣ）とともに実装することができる。代替として、これらの機能は、１つ以上の集積回路において、１つ以上のその他の処理ユニット（又はコア）によって実行することができる。その他の実施形態においては、その他のタイプの集積回路（例えば、Ｓｔｒｕｃｔｕｒｅｄ／Ｐｌａｔｆｏｒｍ  ＡＳＩＣ、フィールドプログラマブルゲートアレイ（ＦＰＧＡ）、及びその他のＳｅｍｉ−ＣｕｓｔｏｍＩＣ）を使用することができ、それらは、当業において知られているあらゆる方法でプログラミングすることができる。各ユニットの機能は、全体又は一部を、メモリ内で具現化され、１つ以上の汎用又は特定用途向けプロセッサによって実行するようにフォーマット化された命令を用いて実装することもできる。
【００９５】
［０１１５］受信機モジュール５０５−ａは、情報、例えば、パケット、データ、及び／又はデバイス８００が受信又は送信しているものに関するシグナリング情報、を受信することができる。受信された情報は、様々な目的のために逆方向リンク通信モジュール５１０−ａによって利用することができる。送信機モジュール５１５−ａは、逆方向リンクフレームで逆方向リンクでパケット、データ、及び／又はシグナリング情報を送信することができる。逆方向リンクフレームは、トラフィックスロットを含むことができ、制御情報を送信することができるその他の制御スロットは含まない。トラフィックスロットは、逆方向リンクでデータを送信することができる２０ｍｓの長さを有することができる。
【００９６】
［０１１６］受信機モジュール５０５−ａは、順方向リンクフレームのタイムスロットの少なくとも一部分中にチャネル状態メッセージを受信するように構成することができる。モジュール５３０−ａは、逆方向リンクでデータパケットを送信するために使用するためのアイドルの狭帯域チャネルを識別することができる。送信機５１５−ａは、アイドルの狭帯域チャネルを求める要求として働くためのデータパケットのプリアンブルを送信することができる。チャネルが割り当てられていることを知らせる通知を受信した時点で、送信機５１５−ａは、逆方向リンクでデータパケットを送信することができる。狭帯域チャネルの状態がアイドルに移行して戻ったときに、逆方向リンク通信モジュール５１０ａは、データパケットの送信を終了するように送信機５１５−ａに命令することができる。アイドル状態へのチャネル状態の移行は、データパケットが復号及び復調されていることを示す基地局１０５からのＡＣＫメッセージとして機能することができる。
【００９７】
［０１１７］図９は、様々な実施形態による電力の消費を管理するためのＭ２Ｍデバイス１１５−ｄのブロック図９００を示す。Ｍ２Ｍデバイス１１５−ｄは、様々な構成、例えば、上述される様々なＭ２Ｍ用途に関するセンサ又はモニタ、のうちのいずれかを有することができる。Ｍ２Ｍデバイス１１５−ｄは、センサモジュール９４０を介して情報をキャプチャ又は検知することができる。Ｍ２Ｍデバイス１１５−ｄは、モバイル動作を容易にするための内部電源、例えば、小型バッテリ、を有することができる。幾つかの実施形態においては、Ｍ２Ｍデバイス１１５−ｄは、図１、２、３Ａ、及び／又は３Ｂを参照して説明されるＭ２Ｍデバイス１１５であることができる。Ｍ２Ｍデバイス１１５−ｄは、図５Ａのデバイス５００及び／又は図８のデバイス８００の態様を含むことができる。Ｍ２Ｍデバイス１１５−ｄは、マルチモードのモバイルデバイスであることができる。Ｍ２Ｍデバイス１１５−ｄは、幾つかの場合にはＭ２Ｍ  ＵＥ又はＭＴＣデバイスと呼ぶことができる。
【００９８】
［０１１８］Ｍ２Ｍデバイス１１５−ｄは、アンテナ９４５と、トランシーバモジュール９５０と、メモリ９８０と、プロセッサモジュール９７０と、を含むことができ、それらの各々は、直接又は間接的に、（例えば、１つ以上のバスを介して）互いに通信状態にあることができる。上述されるように、トランシーバモジュール９５０は、アンテナ９４５及び／又は１つ以上の有線又は無線リンクを介して、１つ以上のネットワークと両方向で通信することができる。
【００９９】
例えば、トランシーバモジュール９５０は、図１、２、３Ａ、３Ｂ及び／又は７の基地局１０５と両方向で通信することができる。さらに、トランシーバモジュール９５０は、図４Ａのデバイス４００及び／又は図６のデバイス６００の態様と通信することができる。トランシーバモジュール９５０は、パケットを変調して変調されたパケットを送信のためにアンテナ９４５に提供するように、及び、アンテナ９４５から受信されたパケットを復調するように構成されたモデムを含むことができる。Ｍ２Ｍデバイス１１５−ｄは、単一のアンテナ９４５を含むことができる一方で、Ｍ２Ｍデバイス１１５−ｄは、複数の送信リンクのための複数のアンテナ９４５を含むことができる。
【０１００】
［０１１９］メモリ９８０は、ランダムアクセスメモリ（ＲＡＭ）と、読み取り専用メモリ（ＲＯＭ）と、を含むことができる。メモリ９８０は、実行されたときにここにおいて説明される様々な機能（例えば、アイドルの狭帯域チャネルの識別、チャネル状態メッセージのモニタリング、チャネル状態移行に基づく早期終了、パケットの受信、スリープ状態に入る、等）を実行することをプロセッサモジュール９７０に行わせるように構成される命令が入ったコンピュータによって読み取り可能な、コンピュータによって実行可能なソフトウェアコード９８５を格納することもできる。代替として、ソフトウェアコード９８５は、プロセッサモジュール９７０によって直接実行することができず、（例えば、コンパイルされて実行されたときに）ここにおいて説明される機能を実行することをコンピュータに行わせるように構成することができる。プロセッサモジュール９７０は、インテリジェントハードウェアデバイス、例えば、Ｉｎｔｅｌ（登録商標）  Ｃｏｒｐｏｒａｔｉｏｎ又はＡＭＤ（登録商標）によって製造されるような中央処理装置（ＣＰＵ）、ＡＳＩＣ、マイクロコントローラ、等を含むことができる。
【０１０１】
［０１２０］図９のアーキテクチャにより、Ｍ２Ｍデバイス１１５−ｄは、通信管理モジュール９６０をさらに含むことができる。通信管理モジュール９６０は、基地局１０５及び／又はその他のＭ２Ｍデバイス１１５との通信を管理することができる。一例として、通信管理モジュール９６０は、バスを介してＭ２Ｍデバイス１１５−ｄのその他のコンポーネントの一部又は全部と通信するＭ２Ｍデバイス１１５−ｄのコンポーネントであることができる。代替として、通信管理モジュール９６０の機能は、トランシーバモジュール９５０のコンポーネントとして、コンピュータプログラム製品として、及び／又はプロセッサモジュール９７０の１つ以上のコントローラ要素として実装することができる。
【０１０２】
［０１２１］幾つかの実施形態においては、Ｍ２Ｍデバイス１１５−ｄは、データを測定及び／又はキャプチャし、ネットワークにおいて明示の登録を行わずにそのネットワークにデータを送信することができる。一実施形態においては、Ｍ２Ｍデバイス１１５−ｄは、利用可能な基地局又はネットワークセルのパイロット信号をモニタリングし、基地局又はネットワークセルに明示で登録せずにその基地局又はネットワークセルを通信のために選択することができる。幾つかの構成においては、Ｍ２Ｍデバイス１１５−ｄは、選択された基地局又はネットワークセルで明示で登録されていないが、選択された基地局又はネットワークセルに関するシステム情報をモニタリングすることができる。選択された基地局又はネットワークセルに関するシステム情報は、明示の登録トリガを含むことができ、Ｍ２Ｍデバイス１１５−ｄは、明示の登録トリガのうちの１つが検出されたときでさえもネットワークにおける明示の登録を抑止することができる。例えば、Ｍ２Ｍデバイス１１５−ｄは、１つ以上の登録トリガ、例えば、デバイスパワーアップ／パワーダウン、周波数／帯域クラスの変更、期間に基づく登録、移動に基づく登録、ゾーンに基づく登録、及び／又はパラメータ変更に基づく登録、に基づいて登録を抑止することができる。
【０１０３】
［０１２２］システム情報は、選択された基地局又はネットワークセルにアクセスする際に使用するためのアクセスパラメータを含むことができる。Ｍ２Ｍデバイス１１５−ｄは、（例えば、センサモジュール９４０を介して）イベントに関連する情報をキャプチャ又は測定し、選択された基地局又はネットワークセルにおいて明示の登録を行う前に又は行わずに、ネットワークアクセスの一部として選択された基地局又はネットワークセルにその情報を送信することができる。ネットワークアクセスは、アクセスパラメータのうちの１つ以上を用いて行うことができる。Ｍ２Ｍデバイス１１５−ｄは、キャプチャされた又は測定されたイベントデータを選択された基地局又はネットワークセルに送信するネットワークアクセスの一部として選択された基地局又はネットワークセルによって暗黙に登録することができる。
【０１０４】
［０１２３］登録を抑止することは、Ｍ２Ｍデバイス１１５−ｄがターゲットセルへの登録において被る電力上のペナルティに留意せずに送信のための最良のネットワークセルを選択するのを可能にすることもできる。例えば、Ｍ２Ｍデバイス１１５−ｄは、（新しいネットワークでの明示の登録を有する）明示のハンドオーバーを行うことによって被ることになる電力上のペナルティを考慮することなしに各々のネットワークとの通信のために推定される電力消費量に基づいて利用可能なネットワークを選択することができる。
【０１０５】
［０１２４］Ｍ２Ｍデバイス１１５−ｄに関するコンポーネントは、図５Ａのデバイス５００及び／又は図８のデバイス８００に関して上述される態様を実装するように構成することができ、ここでは簡潔さを目的として繰り返されない。一例においては、Ｍ２Ｍデバイス１１５−ｄは、狭帯域チャネル識別モジュール５３０−ｂを含むことができ、それは、図５Ａの狭帯域チャネル識別モジュール５３０及び／又は図８の例であることができる。モジュール５３０ａは、チャネルメッセージ解析モジュール９０５と、チャネル選択モジュール９１０と、を含むことができる。モジュール９０５は、順方向リンクフレームのアップリンク制御スロットの少なくとも一部分中に受信されたチャネル状態メッセージを解析することができる。解析モジュール９０５は、逆方向リンクでの通信のためにいずれの狭帯域チャネルが利用可能であるかを決定することができる。その解析に基づいて、チャネル選択モジュール９１０は、アイドル状態を有するとして識別されているチャネルをランダムに選択することができる。２つ以上のＭ２Ｍデバイス１１５が同じチャネルへのアクセス関して競争（すなわち、要求）している場合は、基地局１０５は、前述されるように、Ｍ２Ｍデバイス１１５を選択し、選択されたＭ２Ｍデバイス１１５を明示で識別する情報を提供する。チャネル選択モジュール９１０は、要求されたチャネルを使用するためにＭ２Ｍデバイスが選択されない場合は他のアイドルチャネルをランダムで選択することができる。
【０１０６】
［０１２５］図１０Ａは、アップリンク制御スロット１０１０を含む複数の順方向リンクフレーム１００５の一実施形態１０００を例示したブロック図である。ＵＣＣを用いてフレーム１００５のアップリンク制御スロット１０１０中にチャネル状態メッセージ１０２０、１０２５、又は１０３０を送信することができる。チャネル状態メッセージ１０２０、１０２５、及び１０３０は、逆方向リンク通信のために使用することができる１つ以上の狭帯域ＦＤＭＡ周波数チャネルに関する状態情報を含むことができる。
【０１０７】
［０１２６］前記のように、逆方向リンクの動作帯域は、複数の狭帯域周波数チャネルに分割することができる。一例においては、動作帯域は、アップリンクスペクトルの２５６キロヘルツ（ｋＨｚ）を含むことができる。これは、１００の狭帯域搬送波に分割することができ、各々の帯域幅は２．５６ｋＨｚである。一構成においては、各逆方向リンク周波数チャネルは、１つ又は２つの連続する狭帯域搬送波を含むことができる。一実施形態においては、狭帯域周波数チャネルの総数は、幾つかのグループに分割することができる。一例においては、チャネルは、３つのグループで構成することができる。第１のグループにおける周波数チャネルは、毎秒１０キロビット（ｋｂｐｓ）で順方向リンクでデータを受信し、毎秒２００ビット（ｂｐｓ）で逆方向リンクでデータを送信するＭ２Ｍデバイスによって使用することができる。第２のグループにおけるチャネルは、順方向リンクで２０ｋｂｐｓでデータを受信し、４００ｂｐｓで逆方向リンクでデータを送信するデバイスによって使用することができる。一構成においては、チャネルの第３のグループは、４０ｋｂｐｓ以上で順方向リンクデータを受信し、８００ｂｐｓ以上で逆方向リンクデータを送信するＭ２Ｍデバイスによって使用することができる。一実施形態においては、チャネル状態メッセージ内においてここにおいて言及されるチャネルは、論理チャネルであることができる。物理的狭帯域チャネルは、擬似ランダム方式で後続する逆方向リンクフレーム中に１つの周波数から他にホップすることができる。
【０１０８】
［０１２７］一実施形態においては、各順方向リンクフレーム１００５は、特定のチャネルグループに関してチャネル状態メッセージ１０２０、１０２５、又は１０３０を送信することができる。第１の順方向リンクフレーム１００５−ａ−１は、アップリンク制御スロット１０１０−ａ−１中に第１のグループのチャネル状態メッセージ１０２０−ａ−１の第１の発生（ｏｃｃｕｒｒｅｎｃｅ）を送信することができる。メッセージ１０２０−ａ−１は、第１のフレーム１００５−ａ−１のタイムスロット１０１０−ａ−１の全体又は一部中に送信することができる。一実施形態においては、第１のメッセージ１０２０−ａ−１の第１の発生は、アップリンク制御スロット１０１０−ａ−１の一部中に送信することができる。メッセージ１０２０−ａ−１は、第１のデータレートで（例えば、順方向リンクで１０ｋｂｐｓ及び逆方向リンクで２００ｂｐｓ）順方向リンクデータを受信し及び逆方向リンクデータを送信するＭ２Ｍデバイス１１５によって使用することができる狭帯域ＦＤＭＡ周波数チャネルに関するチャネル状態情報を含むことができる。
【０１０９】
［０１２８］第２の順方向リンクフレーム１００５−ａ−２において、第２のチャネル状態メッセージ１０２５−ａ−１の第１の発生は、アップリンク制御スロット１０１０−ａ−２の一部分中に送信することができる。第２のメッセージ１０２５−ａ−１は、第１のデータレートよりも高いことができる第２のデータレートでデータを受信及び送信するＭ２Ｍデバイスが利用可能なチャネルに関するチャネル状態情報を含むことができる。例えば、第２のデータレートは、順方向リンクでは２０ｋｂｐｓ、逆方向リンクでは４００ｂｐｓであることができる。
【０１１０】
［０１２９］第３の順方向リンクフレーム１００５−ａ−３において、第３のチャネル状態メッセージ１０３０−ａ−１の第１の発生は、アップリンク制御スロット１０１０−ａ−３の一部分中に送信することができる。第３のメッセージ１０３０−ａ−１は、第１及び第２のデータレートよりも高いことができる第３のデータレートでデータを受信及び送信するＭ２Ｍデバイスが利用可能なチャネルに関するチャネル状態情報を含むことができる。一実施形態においては、第３のデータレートは、順方向リンクでは４０ｋｂｐｓ（又はそれよりも高い）、逆方向リンクでは８００ｂｐｓ（又はそれよりも高い）であることができる。第１のチャネル状態メッセージ１０２０−ａ−１は、第１のフレーム１００５−ａ−１において送信されるのを開始し、第２のメッセージ１０２５−ａ−１は、第２のフレーム１００５−ａ−２において開始し、第３のメッセージ１０３０−ａ−１は、第３のフレームにおいて開始することが示されているが、Ｍ２Ｍデバイスの特定のグループに関するいずれのチャネルメッセージも、Ｍ２Ｍデバイスの他のグループに関するチャネルメッセージの前又は後に送信することができることが理解されるべきである。
【０１１１】
［０１３０］例示されるように、第１のチャネルメッセージ１０２０は、第１及び第４のフレームで送信することができる。第２のメッセージ１０２５は、第２及び第５のフレームで送信することができ、第３のチャネルメッセージ１０３０は、第３及び第６のフレーム（示されていない）で送信することができる。
【０１１２】
［０１３１］一実施形態においては、Ｍ２Ｍデバイスは、逆方向リンクで送信するために使用する狭帯域チャネルに関する状態情報を含むチャネル状態メッセージを受信するために幾つかのアップリンク制御スロット１０１０中にウェイクアップすることができる。一構成においては、第１のデータレートで受信及び送信するＭ２Ｍデバイスは、第１及び第４のフレームのアップリンク制御スロット１０１０をモニタリングするためにウェイクアップすることができる。
【０１１３】
Ｍ２Ｍデバイスは、それが受信することができる順方向リンクデータレート及び基地局１０５から受信されたシステム情報に基づいてチャネル状態メッセージの有無をいつモニタリングするかを認識することができる。追加の実施形態においては、各Ｍ２Ｍデバイスは、チャネル状態メッセージの有無をモニタリングするために幾つかのスロット中にウェイクアップするように予めプログラミングすることができる。
【０１１４】
［０１３２］一構成においては、幾つかのフレーム１００５がアップリンク送信ユニット（ＵＴＵ）１０１５を形成することができる。一実施形態においては、３つ（すなわち、各々４０ｍｓ）が単一のＵＴＵ１０１５を形成することができる。例示されるように、ひとつにまとめられた第１、第２、及び第３のフレームが第１のＵＴＵ１０１５−ａ−１を形成することができる。第２、第３、及び第４のフレームは、第２のＵＴＵ１０１５−ａ−２を形成することができ、第３、第４、及び第５のフレームは、第３のＵＴＵ１０１５−ａ−３を形成することができる。第１、第２、及び第３のＵＴＵは、単一のフレームによって互いに段違い（ｓｔａｇｇｅｒ）であることができる。各ＵＴＵ中には、各チャネルに関するチャネル状態ビットをチャネル状態メッセージ内でＭ２Ｍデバイスの特定のグループに送信することができる。一実施形態においては、Ｍ２Ｍデバイスは、１つ以上の連続するフレームのアップリンクトラフィックスロット中に逆方向リンクで送信することができる。例えば、Ｍ２Ｍデバイスの第１のグループ内のＭ２Ｍデバイス１１５は、第１のフレーム１００５−ａ−１のアップリンク制御スロット１０１０−ａ−１をモニタリングすることができる。次の３つのフレームのアップリンクトラフィックスロット（すなわち、２０ｍｓのタイムスロット）中に、デバイスは、第１のチャネル状態メッセージ１０２０−ａ−１においてアイドルとして識別されたチャネルを使用することを求める要求を送信することができる。その結果、第１のＭ２Ｍデバイス１１５は、第１のＵＴＵ１０１５−ａ−１中に逆方向リンクで要求を送信することができる。同様に、第２のＭ２Ｍデバイスは、第２のチャネル状態メッセージ１０２５−ａ−１からアイドルチャネルを識別し、第２のＵＴＵ１０２５−ａ−１中に逆方向リンクで要求を送信することができ、第３のＭ２Ｍデバイスは、第３のチャネル状態メッセージ１０３０−ａ−１からアイドルチャネルを識別することができ及び第３のＵＴＵ１０１５−ａ−３中にアイドルチャネルを使用することを求める要求を送信することができる。
【０１１５】
［０１３３］第４のフレーム１００５−ａ−４内の第１のチャネル状態メッセージ１０２０−ａ−１の第２の発生を受信して復号した時点で、第１の状態メッセージ１０２０−ａ−１の第１の発生においてアイドルとして識別されたチャネルを使用することを求める要求を送信したＭ２Ｍデバイスは、このチャネルの状態がアイドル状態からビジー状態に移行しているかどうかを決定することができる。状態がビジー状態に移行しており、そのチャネルに関するその他のチャネル割り当て情報がメッセージ１０２０−ａ−２の第２の発生内に含まれていない場合は、Ｍ２Ｍデバイスは、逆方向リンク送信のために使用するためにこのチャネルが割り当てられていると断定することができる。次に、Ｍ２Ｍデバイスは、１つ以上の後続する逆方向リンクフレーム中にこのチャネルを用いてデータパケットを送信することができる。Ｍ２Ｍデバイスは、第１のチャネル状態メッセージの後続する発生中にチャネルの状態がアイドル状態に戻っていることを検出したときにはデータパケットの送信を終了することができる。さらに、逆方向リンクでの最大数のトラフィックスロット中に幾つかのデータパケット送信が実行されているときには送信を終了させることができる。
【０１１６】
［０１３４］３つのＵＴＵ１０１５が例示されているが、それよりも多い又は少ないＵＴＵを現在のシステム及び方法とともに使用可能であることが理解されるべきである。例えば、Ｍ２Ｍデバイスの２つのグループが存在することができる。第１のグループは、低いデータレートで受信／送信することができ、第２のグループは、高いデータレートで受信／送信することができる。２つのグループが存在する場合は、各ＵＴＵの長さは４０ｍｓであることができる。その結果、第１のフレーム中には、第１のチャネル状態メッセージをＭ２Ｍデバイスの第１のグループに低いデータレートで送信することができる。デバイスは、次の２つの逆方向リンクフレーム（すなわち、４０ｍｓのタイムスロット）中にアイドルチャネルを選択して要求を送信することができる。
【０１１７】
［０１３５］図１０Ｂは、逆方向リンクでデータパケットを送信するために狭帯域ＦＤＭＡチャネルを要求する一例１０６５を示したブロック図である。一構成においては、時間ｔ１において、第１の順方向リンクフレーム１００５−ｂ−１を順方向リンクで送信することができる。第１のフレーム１００５−ｂ−１は、図１０Ａにおいて示される順方向リンクフレーム１００５の例であることができる。フレーム１００５−ｂ−１は、幾つかの異なるタイムスロットを含むことができる。一実施形態においては、第１のフレーム１００５−ｂ−１は、ページングスロット１０３５−ａ−１と、アップリンク制御スロット１０１０−ｂ−１と、順方向トラフィックスロット１０４０−ａ−１と、を含むことができる。ページングスロット及びアップリンク制御スロットの長さは、５ｍｓであることができる。順方向トラフィックスロットの長さは、１０ｍｓであることができる。一構成においては、第１の逆方向リンクフレーム１０４５−ａ−１は、第１の順方向リンクフレーム１００５−ｂ−１に後続することができる。逆方向リンクフレーム１０４５−ａ−１は、２０ｍｓの長さを有することができる。
【０１１８】
［０１３６］一実施形態においては、時間ｔ１において、第１のチャネル状態メッセージ１０２０−ｂ−１の第１の発生を送信することができる。メッセージ１０２０−ｂ−１は、アップリンク制御スロット１０１０−ｂ−１の全体又は一部中に送信することができる。メッセージ１０２０−ｂ−１は、特定のデータレートで送信することができる。順方向リンクでその特定のデータレートでデータを受信するＭ２Ｍデバイスは、メッセージ１０２０−ｂ−１を受信するためにアップリンク制御スロット１０１０−ｂ−１をモニタリングすることができる。メッセージを復号した時点で、Ｍ２Ｍデバイスは、利用可能なすなわちアイドルであるチャネルを識別することができる（例えば、メッセージにおいてこれらのチャネルに関して“０”ビットが設定される）。Ｍ２Ｍデバイスは、１つ以上の逆方向リンクフレーム１０４５の一部分中にアイドルチャネルのうちの１つをランダムに選択し、データパケットのプリアンブル１０５０を送信することができる。この例において、プリアンブル１０５０は、第１の順方向リンクフレーム１００５−ｂ−１に後続する第１の逆方向リンクフレーム１０４５−ａ−１中に送信することができる。その他の例においては、プリアンブル１０５０は、後続する逆方向リンクフレーム１０４５中に送信することができる。プリアンブル１０５０は、データパケットを送信するために選択されたアイドルチャネルを使用することを求める要求として働くことができる。
【０１１９】
［０１３７］時間ｔ２において、第２の順方向リンクフレーム１００５−ｂ−２を送信することができる。第１及び第２の順方向リンクフレームは、順方向リンクにおける連続送信であることができる。第２のフレーム１００５−ｂ−２のアップリンク制御スロット１０１０−ｂ−２中において、アップリンク制御スロット１０１０−ｂ−２の一部分中に第２のチャネル状態メッセージ１０２５−ｂ−１を送信することができる。
【０１２０】
［０１３８］一実施形態においては、第２のＭ２Ｍデバイスは、１つ以上の逆方向リンクフレーム１０４５の一部分中に第２のチャネル状態メッセージ１０２５−ｂ−１からアイドルチャネルを識別してプリアンブル１０５５を送信することができる。この例においては、プリアンブルは、第２の逆方向リンクフレーム１０４５−ａ−２の一部分中に送信することができる。その他の例においては、プリアンブル１０５５は、後続する逆方向リンクフレーム中に送信することができる。プリアンブル１０５５は、第２のチャネル状態メッセージ１０２５−ｂ−１においてアイドルとして識別された特定のチャネルを使用するための第２のＭ２Ｍデバイスによる要求を表すことができる。
【０１２１】
［０１３９］図１０Ｃは、逆方向リンクでデータパケット１０６０を送信するために狭帯域周波数チャネルを求めて競争する一実施形態１０８０を例示したブロック図である。時間ｔ１において、第１の順方向リンクフレーム１００５−ｃ−１を送信することができる。フレーム１００５−ｃ−１は、図１０Ａ及び／又は１０Ｂにおいて示されるフレーム１００５の一例であることができる。第１の順方向リンクフレーム１００５−ｃ−１のアップリンク制御スロット１０１０−ｃ−１の一部分中に第１のチャネル状態メッセージ１０２０−ｃ−１の第１の発生を送信することができる。一構成においては、メッセージ１０２０−ｃ−１は、特定のデータレートで受信及び送信するＭ２Ｍデバイスの第１のグループにブロードキャストすることができる。メッセージ１０２０−ｃ−１は、ある一定のデータレートで受信及び送信するＭ２Ｍデバイスによって使用されるべきチャネルに関する状態情報を含むことができる。Ｍ２Ｍデバイスは、メッセージ１０２０−ｃ−１を復号し、アイドルであることが示されているチャネルを識別することができる。１つ以上のＭ２Ｍデバイスが、アイドルチャネルの組から特定のチャネルを選択し、１つ以上の逆方向リンクフレーム１０４５で各々のデータパケットのプリアンブルを送信することができる。この例では、プリアンブルは、第１の順方向リンクフレーム１００５−ｃ−１に後続する第１の逆方向リンクフレーム１０５０−ａで送信することができる。その他の例では、第１のプリアンブル１０５０−ａは、第１の逆方向リンクフレーム１０４５−ｂ−１で送信することができ、追加のプリアンブル１０７０及び１０７５は、異なる逆方向リンクフレームで送信することができる。この例では、３つのＭ２Ｍデバイスが同じアイドルの周波数チャネルをランダムに選択することができる。第１、第２、及び第３のＭ２Ｍデバイスは、各々が、第１、第２、及び第３のデータパケットをそれぞれ送信することを希望することができる。その結果、第１のデータパケットに関する第１のプリアンブル１０５０−ａは、逆方向リンクフレーム１０４５のトラフィックスロットの一部分中に送信することができる。さらに、第２のデータパケットに関する第２のプリアンブル１０７０及び第３のデータパケット１０７５に関する第３のプリアンブルを送信することができる。
【０１２２】
［０１４０］１つ以上の逆方向リンクフレーム１０４５でアイドルチャネルの要求を表すプリアンブルを受信した時点で、基地局１０５は、チャネルに割り当てるためのＭ２Ｍデバイスのうちの１つを選択することができる。一実施形態においては、基地局１０５は、３つのＭ２Ｍデバイスの各々から受信された逆方向リンクの強度を推定することができる。チャネルを使用するために最も強い逆方向リンク信号を有するＭ２Ｍデバイスを選択することができる。一構成においては、基地局１０５は、直近に逆方向リンクで送信したＭ２Ｍデバイスを識別し、このデバイスにチャネルを割り当てることができる。基地局１０５は、特定のアイドルの周波数チャネルを求めて競争している２つ以上のＭ２Ｍデバイスから選択するときに追加の要因及び基準を使用することもできる。
【０１２３】
［０１４１］アイドルチャネルに割り当てるべきＭ２Ｍデバイスを選択した時点で、基地局１０５は、第１のチャネル状態メッセージ１０２０−ｃ−２の第２の発生においてアイドルチャネルの状態をビジー状態に変えることができる。基地局１０５は、メッセージ１０２０−ｃ−２の一部として（又はメッセージ１０２０−ｃ−２とは別個に）明示のチャネル割り当て情報をさらに挿入することができる。割り当て情報は、選択されたＭ２Ｍデバイスを識別することができる。例えば、選択されたデバイスのネットワークＩＤの圧縮されたバージョンを割り当て情報として使用することができる。一構成においては、割り当ては、競争対象のチャネルで送信された検出されたプリアンブルを割り当てられた周波数チャネルにマッピングすることによって行うことができる。
【０１２４】
［０１４２］時間ｔ１に後続する時間ｔ２において、第２の順方向リンクフレーム１００５−ｃ−２を送信することができる。アップリンク制御スロット１０１０−ｃ−２中に、第１のチャネル状態メッセージ１０２０−ｃ−２の第２の発生をＭ２Ｍデバイスの第１のグループにブロードキャストすることができる。
【０１２５】
［０１４３］第１のグループ内のＭ２Ｍデバイスは、第１のチャネル状態メッセージ１０２０−ｃ−２の第２の発生を復号することができる。アイドルチャネルの使用を要求した３つのＭ２Ｍデバイスは、メッセージ１０２０−ｃ−２の第２の発生においてチャネルの状態がビジー状態に変わっているかどうかを検出することができる。ビジーへの状態の移行を検出した時点で、デバイスは、追加のチャネル割り当て情報がメッセージ１０２０−ｃ−２内に含められているかどうかを決定することもできる。追加のチャネル割り当て情報は、アップリンク制御スロット１０１０−ｃ−２の異なる部分中にメッセージとは別個に送信することもできる。この例では、３つのデバイスは、追加のチャネル割り当て情報を検出することができる。追加の情報においてチャネルに割り当てられたデバイスとして識別されたデバイスは、１つ以上の逆方向リンクフレーム１０４５のトラフィックスロット中にそれのデータパケット１０６０を送信するのを開始することができる。チャネルが割り当てられなかった２つのＭ２Ｍデバイスは、メッセージ１０２０−ｃ−２の第２の発生を用いてアイドルチャネルを識別し、特定のアイドルチャネルの使用を要求するためのプリアンブルを再送信することができる。
【０１２６】
［０１４４］一実施形態においては、Ｍ２Ｍデバイスは、ある一定の期間内に暗黙の（例えば、状態変化）又は明示の割り当てが存在しない場合はチャネルの使用を求めて再度競争する（すなわち、再要求する）ことができる。これは、基地局が送信されたプリアンブルを検出できない場合に発生することができる。さらに、同じ周波数チャネルで送信された複数のプリアンブルの衝突が存在することがある。プリアンブルの衝突は、２つのデバイスが同じ時点に同じチャネルで、ただし、異なる位相で、同じプリアンブルを使用するときに発生することがある。プリアンブルの衝突の検出を容易にするために、デバイスからのプリアンブル送信の開始時間を１６シンボルのウィンドウ内でランダム化することができる。
【０１２７】
［０１４５］データパケット、例えば、データパケット１０６０、を受信した時点で、基地局１０５は、パケットを復号及び復調するのを試みることができる。基地局１０５がデータパケット１０６０を処理することができるときに、基地局１０５は、逆方向リンクでデータパケットを搬送するために使用されるチャネルの状態をビジー状態からアイドル状態に移行させることができる。この状態の変化は、チャネル状態メッセージの次のブロードキャスト中にそのチャネルに割り当てられたＭ２Ｍデバイスによって識別することができる。ビジーからアイドルへの移行を検出した時点で、Ｍ２Ｍデバイスは、データパケットが基地局１０５によって成功裏に復号されていることを認識することができる。その結果、Ｍ２Ｍデバイスは、逆方向リンクでのデータパケットの送信を終了することができる。従って、現在のシステム及び方法は、送信を搬送するために使用された狭帯域周波数チャネルの状態を変更することによって逆方向リンク通信の早期終了を提供することができる。
【０１２８】
［０１４６］制御チャネルをアップリンクサイクル中に復号することができない場合は、チャネル状態情報は、次の逆方向リンクスロットのために利用可能でない。受信された信号電力に基づいて、Ｍ２Ｍデバイスは、逆方向リンクに関するそれのデータレートを推定することができる。データパケットを送信するために使用される現在のデータレートが推定されるレートよりも高い場合は、デバイスは、周波数チャネルを用いて送信し続けることができる。そうでない場合は、デバイスは、送信を終了し、後続する順方向リンクフレームのページングチャネル又はトラフィックチャネルを通じてＡＣＫメッセージを待つことができる。ある一定の期間内にＡＣＫメッセージが受信されない場合は、デバイスは、データパケット１０６０を再送信する。
【０１２９】
［０１４７］一実施形態においては、複数のパケットを専用チャネルで送信することができる。チャネルの各グループ内の周波数チャネルの部分組を割り当てられたアクセス（すなわち、専用チャネル）用に予約することができる。これらのチャネルは、利用可能な場合は、ランダムアクセスのためにも使用することができる。例えば、割り当てられたアクセス用に予約されたこれらのチャネルは、チャネルが２つ以上の連続するサイクルの間アイドル状態を有する場合はそのデバイスによって競争することができる。
【０１３０】
［０１４８］図１１は、逆方向リンク通信を管理することによってＭ２Ｍデバイスの電力を節約するための方法１１００の一例を示したフローチャートである。明確化を目的として、方法１１００は、図１、２、３Ａ、３Ｂ、４Ａ、６、又は７において示される基地局１０５を参照して以下において説明される。一実装においては、マルチチャネルモジュール４５５は、以下において説明される機能を実行するために基地局１０５の機能的要素を制御するための１つ以上の組のコードを実行することができる。
【０１３１】
［０１４９］ブロック１１０５において、Ｍ２Ｍ無線ＷＡＮの動作周波数帯域は、少なくとも第１の周波数チャネル及び第２の周波数チャネルに分割することができる。第１及び第２のチャネルは、逆方向リンクでの通信のために使用することができる。一実施形態においては、チャネルは、ＦＤＭＡ多元接続法を介して複数のデバイスによってアクセスすることができる。
【０１３２】
［０１５０］ブロック１１１０において、第１のチャネル状態情報をブロードキャストすることができる。その情報は、第１の周波数チャネルの状態を示すことができる。例えば、その情報は、第１のチャネルがアイドルであるかビジーであるかを示すことができる。ブロック１１１５において、第２のチャネル状態情報もブロードキャストすることができる。第２のチャネルに関する情報は、第２の周波数チャネルの状態を示すことができる。
【０１３３】
［０１５１］従って、方法１１００は、いずれのチャネルが逆方向リンク通信のために利用可能であるかをブロードキャストすることによって逆方向リンクでの通信を管理することによってＭ２Ｍデバイスの電源の効率的な管理を提供することができる。方法１１００は、単なる１つの実装であること及び方法１１００の動作は、その他の実装が可能であるように再編又は変更することができることが注目されるべきである。
【０１３４】
［０１５２］図１２は、逆方向リンクでの送信の早期終了をトリガするためにチャネルの状態を移行させることによってＭ２Ｍデバイスの電力を節約するための方法１２００の一例を示したフローチャートである。明確化を目的として、方法１２００は、図１、２、３Ａ、３Ｂ、４Ａ、６、又は７において示される基地局１０５を参照して以下において説明される。一実装においては、マルチチャネルモジュール４５５は、以下において説明される機能を実行するために基地局１０５の機能的要素を制御するための１つ以上の組のコードを実行することができる。
【０１３５】
［０１５３］ブロック１２０５において、逆方向リンクでデータパケットを送信するために第１の周波数チャネルを使用することを求める要求をＭ２Ｍデバイスから受信することができる。第１の周波数チャネルは、現在はアイドル状態を有することができる。ブロック１２１０において、第１の周波数チャネルのアイドル状態をビジー状態に移行させることができる。これは、チャネルがビジーであることを示すためにチャネル状態メッセージ内のチャネルに関する単一ビットを“０”から“１”に切り換えることによって行うことができる。ブロック１２１５において、第１の周波数チャネルの移行された状態をＭ２Ｍデバイスにブロードキャストすることができる。
【０１３６】
［０１５４］ブロック１２２０において、第１の周波数チャネルでＭ２Ｍデバイスからデータを受信することができる。データは、逆方向リンクフレームのトラフィックスロット中に受信することができる。ブロック１２２５において、受信されたデータを復号することができるかどうかに関する決定を行うことができる。データを復号できないと決定された場合は、方法１２００は、第１の周波数チャネルでデータを受信するために戻ることができる。しかしながら、データが復号されると決定された場合は、ブロック１２３０において、第１の周波数チャネルのビジー状態をアイドル状態に移行させることができる。更新された状態は、Ｍ２Ｍデバイスにブロードキャストすることができる。移行された状態を受信した時点で、Ｍ２Ｍデバイスは、第１の周波数チャネルでのデータの送信を終了させ、それによって電力を節約することができる。
【０１３７】
［０１５５］従って、方法１２００は、逆方向リンクでの早期終了をトリガすることができるチャネルの状態をブロードキャストすることによってＭ２Ｍデバイスの電力及びその他のリソースを節約することを提供することができる。方法１２００は、単なる１つの実装であるにすぎないこと及び方法１２００の動作は再編するか又はその他の実装が可能であるように変更することができることが注目されるべきである。
【０１３８】
［０１５６］図１３は、逆方向リンクでの周波数チャネルの割り当てを管理することによってＭ２Ｍデバイスの電力を節約するための方法１３００の一例を示したフローチャートである。明確化を目的として、方法１３００は、以下では、図１、２、３Ａ、４Ａ、６、又は９に示される基地局１０５を参照して説明される。一実装においては、マルチチャネルモジュール４５５は、以下において説明される機能を実行するために基地局１０５の機能上の要素を制御するための１つ以上の組のコードを実行することができる。
【０１３９】
［０１５７］ブロック１３０５において、逆方向リンク通信の動作周波数帯域は、少なくとも第１の周波数チャネル及び第２の周波数チャネルに分割することができる。ブロック１３１０において、第１のチャネル状態情報及び第２のチャネル状態情報は、１つ以上のＭ２Ｍデバイスのグループにブロードキャストすることができる。状態情報は、チャネルの状態を示すことができる。
【０１４０】
［０１５８］ブロック１３１５において、逆方向リンクでデータを送信するために第１の周波数チャネルを使用することを求める要求を第１のＭ２Ｍデバイスから受信することができる。第１の周波数チャネルは、アイドル状態を有することができる。ブロック１３２０において、第１の周波数チャネルを使用することを求める要求が少なくとも第２のＭ２Ｍデバイスから受信されるかどうかに関する決定を行うことができる。第１の周波数チャネルに関してその他の要求が受信されないと決定された場合は、ブロック１３２５において、チャネルを使用するための第１のＭ２Ｍデバイスを割り当てることができる。ブロック１３３０において、第１の周波数チャネルの状態がアイドル状態からビジー状態に移行することができる。ブロック１３３５において、移行された状態を１つ以上のＭ２Ｍデバイスの第１のグループにブロードキャストすることができる。
【０１４１】
［０１５９］しかしながら、第１のチャネルを使用することを求める要求が少なくとも第２のＭ２Ｍデバイスから受信されていると決定された場合は、ブロック１３４０において、第１のチャネルを求める要求を送信した複数のＭ２Ｍデバイスのうちの１つを選択して第１の周波数チャネルに割り当てることができる。ブロック１３４５において、第１の周波数チャネルの状態をアイドル状態からビジー状態に移行させることができる。ブロック１３５０において、移行された状態及び識別子を１つ以上のＭ２Ｍデバイスの第１のグループにブロードキャストすることができる。識別子は、第１の周波数チャネルを使用することが割り当てられている選択されたＭ２Ｍデバイスを識別することができる。
【０１４２】
［０１６０］ブロック１３５５において、第１の周波数チャネルを使用することが割り当てられるＭ２Ｍデバイスからそのチャネルでデータを受信することができる。ブロック１３６０において、データが復号されるかどうかに関する決定を行うことができる。データが復号されない場合は、方法１３００は、第１の周波数チャネルでデータを受信するのを続けるために戻ることができる。しかしながら、データが復号されたと決定された場合は、ブロック１３６５において、第１の周波数チャネルのビジー状態がアイドル状態に移行することができる。
【０１４３】
［０１６１］従って、方法１３００は、特定のデバイスに周波数チャネルを割り当てることによってＭ２Ｍデバイス１１５の電力の効率的な管理を提供することができる。方法１３００は、単なる１つの実装であること及び方法１３００の動作は、その他の実装が可能であるように再編又は変更することができることが注目されるべきである。
【０１４４】
［０１６２］図１４は、逆方向リンク送信のために使用すべき狭帯域周波数チャネルを選択するための方法１４００の一実施形態を例示したフローチャートである。明確化を目的として、方法１３００は、以下では、図１、２、３Ａ、３Ｂ、５Ａ、８及び／又は９において示されるＭ２Ｍデバイス１１５を参照して説明される。一実装においては、狭帯域チャネル識別モジュール５３０は、以下において説明される機能を実行するためにＭ２Ｍデバイス１１５の機能上の要素を制御するための１つ以上の組のコードを実行することができる。
【０１４５】
［０１６３］ブロック１４０５において、逆方向リンクでの通信のために使用するための周波数チャネルを識別することができる。周波数チャネルは、アイドル状態を有することができる。ブロック１４１０において、周波数チャネルを使用することを求める要求を送信することができる。ブロック１４１５において、第１のブロードキャストを受信することができる。第１のブロードキャストは、チャネル状態メッセージを含むことができる。そのメッセージは、周波数チャネルの状態を示すことができる。ブロック１４２０において、逆方向リンクでデータパケットを送信するために周波数チャネルを使用すべきかどうかに関する決定を行うことができる。一構成においては、その決定は、ブロードキャストで受信された周波数チャネルの状態に少なくとも部分的に基づくことができる。
【０１４６】
［０１６４］従って、方法１４００は、逆方向リンクで送信するために周波数チャネルの使用を選択して要求することを提供することができる。方法１４００は、単なる１つの実装であること及び方法１４００の動作は、その他の実装が可能であるように再編又は変更することができることが注目されるべきである。
【０１４７】
［０１６５］図１５は、逆方向リンク送信のために使用すべき狭帯域周波数チャネルを識別及び選択することによってＭ２Ｍデバイスの電力を節約するための方法１５００の一実施形態を例示したフローチャートである。明確化を目的として、方法１３００は、以下では、図１、２、３Ａ、３Ｂ、５Ａ、８及び／又は９において示されるＭ２Ｍデバイス１１５を参照して説明される。一実装においては、狭帯域チャネル識別モジュール５３０は、以下において説明される機能を実行するためにＭ２Ｍデバイス１１５の機能上の要素を制御するための１つ以上の組のコードを実行することができる。
【０１４８】
［０１６６］ブロック１５０５において、逆方向リンクでの通信のために使用するための周波数チャネルを識別することができる。識別された周波数チャネルは、アイドルであることができる。ブロック１５１０において、周波数チャネルを使用することを求める要求を送信することができる。例えば、周波数チャネルを使用することを求める要求として働くためのデータパケットのプリアンブルを送信することができる。その要求は、要求される周波数チャネルを用いて送信することができる。他のＭ２Ｍデバイスから同じチャネルで他の要求が送信されたことに起因して衝突が発生した場合は、異なるアイドルチャネルを識別することができ、その異なるチャネルを用いて要求を再送信することができる。
【０１４９】
［０１６７］ブロック１５１５において、ブロードキャストを受信することができる。そのブロードキャストは、チャネル状態メッセージを含むことができる。そのメッセージは、要求される周波数チャネルの状態を示すことができる。ブロック１５２０において、要求される周波数チャネルの状態がビジー状態に移行しているかどうかに関する決定を行うことができる。状態が移行していない（すなわち、状態がアイドルのままである）と決定された場合は、ブロック１５１０において、周波数チャネルを使用することを求める要求を再度送信することができる。しかしながら、状態が変化していると決定された場合は、ブロック１５２５において、ブロードキャストされたメッセージ内に明示の割り当て情報が含められているかどうかに関する第２の決定を行うことができる。割り当て情報が含められている場合は、ブロック１５３０において、要求されたチャネルが他のＭ２Ｍデバイスに割り当てられているかどうかに関する第３の決定を行うことができる。それが他のデバイスに割り当てられている場合は、方法１５００は、ブロック１５０５において、使用すべきアイドルチャネルを識別するために戻ることができる。しかしながら、チャネルが他のデバイスに割り当てられていないと決定された場合又はブロードキャストされたメッセージ内に明示の割り当て情報が含められていなかったと決定された場合は、ブロック１５３５において、要求された周波数チャネルでデータパケットを送信することができる。
【０１５０】
［０１６８］ブロック１５４０において、チャネル状態メッセージのブロードキャストを受信することができる。ブロック１５４５において、状態がアイドル状態に移行しているかどうかに関する第４の決定を行うことができる。状態が移行していない場合は、方法１５００は、ブロック１５３５において周波数チャネルを用いてデータパケットを送信し続けるために戻ることができる。しかしながら、状態がビジーからアイドルに変化していると決定された場合は、ブロック１５５０において、周波数チャネルでのデータパケットの送信を終了させることができる。
【０１５１】
［０１６９］従って、方法１５００は、逆方向リンクでの送信のための周波数チャネルの使用を選択して要求すること及び周波数チャネルの状態に基づいて逆方向リンク送信を終了させることを提供することができる。方法１１００は、単なる１つの実装であるにすぎないこと及び方法１１００の動作は再編するか又はその他の実装が可能であるように変更することができることが注目されるべきである。
【０１５２】
［０１７０］ここにおいて説明される技法は、様々な無線通信システム、例えば、Ｍ２Ｍシステム、セルラー無線システム、ピア−・ツー・ピア−無線通信、無線ローカルアクセスネットワーク（ＷＬＡＮ）、アドホックネットワーク、衛星通信システム、及びその他のシステム、に関して使用することができる。用語“システム”及び“ネットワーク”は、しばしば互換可能な形で使用される。これらの無線通信システムは、無線システムにおける多元接続のための様々な無線通信技術、例えば、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、単一搬送波ＦＤＭＡ（ＳＣ−ＦＤＭＡ）、及び／又はその他の技術、を採用することができる。概して、無線通信は、無線アクセス技術（ＲＡＴ）と呼ばれる１つ以上の無線通信技術の標準化された実装により行われる。無線アクセス技術を実装する無線通信システム又はネットワークは、無線アクセスネットワーク（ＲＡＮ）と呼ぶことができる。
【０１５３】
［０１７１］添付された図面と関係させて上述される発明を実施するための形態は、典型的な実施形態について説明するものであり、実装することができる又は請求項の範囲内にある唯一の実施形態を表すものではない。この説明全体を通じて用いられる用語“典型的な”は、“１つの例、事例、又は実例を提供すること”を意味し、その他の典型的な実施形態よりも“好ましい”又は“有利である”ことを意味するわけではない。発明を実施するための形態は、説明される技法に関する理解を提供することを目的とした具体的な詳細を含む。しかしながら、これらの技法は、これらの具体的な詳細なしで実践することができる。幾つかの例では、非常によく知られた構造及びデバイスは、説明される実施形態の概念を曖昧にすることを回避するためにブロック図形で示される。
【０１５４】
［０１７２］情報及び信号は、様々な異なる技術及び技法のうちのいずれかを用いて表すことができる。例えば、上記の説明全体を通じて参照されることがあるデータ、命令、コマンド、情報、信号、ビット、シンボル、及びチップは、電圧、電流、電磁波、磁場、磁粒子、光学場、光学粒子、又はそれらのあらゆる組合せによって表すことができる。
【０１５５】
［０１７３］ここにおける開示と関係させて説明される様々な例示的なブロック及びモジュールは、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラマブル論理デバイス、ディスクリートゲートロジック、ディスクリートトランジスタロジック、ディスクリートハードウェアコンポーネント、又はそれらのあらゆる組合せ、を用いて実装又は実行することが可能である。汎用プロセッサはマイクロプロセッサであることができるが、代替においては、プロセッサは、従来のどのようなプロセッサ、コントローラ、マイクロコントローラ、又はステートマシンであってもよい。プロセッサは、コンピューティングデバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はあらゆるその他の構成、として実装することも可能である。
【０１５６】
［０１７４］ここにおいて説明される機能は、ハードウェア、プロセッサによって実行されるソフトウェア、ファームウェア、又はそれらの組み合わせにおいて実装することができる。プロセッサによって実行されるソフトウェアにおいて実装される場合は、これらの機能は、コンピュータによって読み取り可能な媒体において１つ以上の命令又はコードとして格納すること又は送信することができる。その他の例及び実装は、本開示及び添付される請求項の範囲及び精神内にある。例えば、ソフトウェアの性質に起因して、上述される機能は、プロセッサによって実行されるソフトウェア、ハードウェア、ファームウェア、ハードワイヤリング、又はこれらの組み合わせを用いて実装することができる。機能を実装する特徴は、様々な位置に物理的に配置することができ、機能の一部分が異なる物理的位置において実装されるように分布することを含む。さらに、請求項内を含むここにおいて使用される場合において、“〜のうちの少なくとも１つの”によって始まる項目のリストにおいて使用される“又は”は、離接的リストを示し、従って、例えば、“Ａ、Ｂ、又はＣのうちの少なくとも１つの”のリストは、Ａ又はＢ又はＣ又はＡＢ又はＡＣ又はＢＣ又はＡＢＣ（すなわち、Ａ及びＢ及びＣ）を意味する。
【０１５７】
［０１７５］コンピュータによって読み取り可能な媒体は、コンピュータ記憶媒体と、１つの場所から他へのコンピュータプログラムの転送を容易にするあらゆる媒体を含む通信媒体との両方を含む。記憶媒体は、汎用コンピュータ又は専用コンピュータによってアクセス可能なあらゆる利用可能な媒体であることができる。例として、及び制限することなしに、コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、命令又はデータ構造の形態で希望されるプログラムコード手段を搬送又は格納するために用いることができ及び汎用又は専用コンピュータ又は汎用又は専用プロセッサによってアクセス可能なその他の媒体、を備えることができる。さらに、いずれの接続もコンピュータによって読み取り可能な媒体であると適切に呼ばれる。例えば、ソフトウェアが、同軸ケーブル、光ファイバケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、その同軸ケーブル、光ファイバケーブル、より対線、ＤＳＬ、又は無線技術、例えば赤外線、無線、及びマイクロ波、は、媒体の定義の中に含まれる。ここにおいて用いられるときのディスク（ｄｉｓｋ及びｄｉｓｃ）は、コンパクトディスク（ＣＤ）（ｄｉｓｃ）と、レーザーディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常は磁気的にデータを複製し、ｄｉｓｃは、レーザを用いて光学的にデータを複製する。上記の組み合わせも、コンピュータによって読み取り可能な媒体の適用範囲内に含められる。
【０１５８】
［０１７６］本開示に関する前の説明は、当業者が本開示を製造又は使用することを可能にするために提供される。本開示に対する様々な修正は、当業者にとって容易に明確になるであろう、及びここにおいて定められる一般原理は、本発明の精神又は適用範囲を逸脱せずにその他の変形に対しても適用することができる。本開示全体を通じて、用語“例”又は“典型的な”は、例を示すものであり、挙げられる例が優先されることを意味するものでも要求するものでもない。以上のように、本開示は、ここにおいて示される例及び設計に限定されるものではなく、ここにおいて開示される原理及び新規の特徴に一致する限りにおいて最も広範な適用範囲が認められるべきである。
【図１】
2016502814.tif 000003
【図２】
2016502814.tif 000004
【図３Ａ】
2016502814.tif 000005
【図３Ｂ】
2016502814.tif 000006
【図４Ａ】
2016502814.tif 000007
【図４Ｂ】
2016502814.tif 000008
【図５Ａ】
2016502814.tif 000009
【図５Ｂ】
2016502814.tif 000010
【図６】
2016502814.tif 000011
【図７】
2016502814.tif 000012
【図８】
2016502814.tif 000013
【図９】
2016502814.tif 000014
【図１０Ａ】
2016502814.tif 000015
【図１０Ｂ】
2016502814.tif 000016
【図１０Ｃ】
2016502814.tif 000017
【図１１】
2016502814.tif 000018
【図１２】
2016502814.tif 000019
【図１３】
2016502814.tif 000020
【図１４】
2016502814.tif 000021
【図１５】
2016502814.tif 000022
【手続補正書】
【提出日】平成27年10月15日(2015.10.15)
【手続補正１】
【補正対象書類名】特許請求の範囲
【補正対象項目名】全文
【補正方法】変更
【補正の内容】
【特許請求の範囲】
【請求項１】
マシン−マシン（Ｍ２Ｍ）無線ワイドエリアネットワーク（ＷＡＮ）における無線通信のための方法であって、
前記Ｍ２Ｍ無線ＷＡＮの動作周波数帯域を少なくとも第１の周波数チャネル及び第２の周波数チャネルに分割することであって、前記第１及び第２の周波数チャネルは、逆方向リンクでの通信のために使用されることと、
第１のチャネル状態情報及び第２のチャネル状態情報を１つ以上のＭ２Ｍデバイスにブロードキャストすることであって、前記第１のチャネル状態情報は、前記第１の周波数チャネルのアイドル状態を示し、前記第２のチャネル状態情報は、前記第２の周波数チャネルの状態を示すことと、を備える、方法。
【請求項２】
前記状態は、前記アイドル状態又はビジー状態を備える請求項１に記載の方法。
【請求項３】
前記逆方向リンクでデータを送信するために前記第１の周波数チャネルを使用することを求める要求をＭ２Ｍデバイスから受信することと、
前記Ｍ２Ｍデバイスに前記第１の周波数チャネルを割り当てることと、をさらに備える請求項１に記載の方法。
【請求項４】
前記第１の周波数チャネルを割り当てることは、
ビジー状態を示すために前記第１のチャネル状態情報を前記アイドル状態から移行させることと、
前記１つ以上のＭ２Ｍデバイスに前記移行された第１のチャネル状態情報をブロードキャストすることと、を備える請求項３に記載の方法。
【請求項５】
前記第１の周波数チャネルで前記Ｍ２Ｍデバイスからデータを受信することであって、前記第１の周波数チャネルは、ビジー状態を有することと、
前記Ｍ２Ｍデバイスから受信された前記データを復号した時点で、前記第１の周波数チャネルに関するアイドル状態を示すために前記第１のチャネル状態情報を前記ビジー状態から移行させることと、
前記１つ以上のＭ２Ｍデバイスに前記移行された第１のチャネル状態情報をブロードキャストすることと、をさらに備える請求項３に記載の方法。
【請求項６】
前記逆方向リンクでデータを送信するために前記第１の周波数チャネルを使用することを求める要求を少なくとも２つのＭ２Ｍデバイスから受信することであって、前記第１の周波数チャネルは、前記アイドル状態を有することと、
前記少なくとも２つのＭ２Ｍデバイスのうちの１つを選択することと、
前記Ｍ２Ｍデバイスのうちの前記選択された１つに前記第１の周波数チャネルを割り当てることと、をさらに備える請求項１に記載の方法。
【請求項７】
前記少なくとも２つのＭ２Ｍデバイスのうちの１つを選択することは、
前記少なくとも２つのＭ２Ｍデバイスのうちの各々から受信された前記逆方向リンクの強度を推定することと、
前記選択されたＭ２Ｍデバイスから受信された前記逆方向リンクの少なくとも前記推定された強度に部分的に基づいて前記少なくとも２つのＭ２Ｍデバイスのうちの前記１つを選択することと、を備える請求項６に記載の方法。
【請求項８】
前記少なくとも２つのＭ２Ｍデバイスのうちの１つを選択することは、
前記少なくとも２つのＭ２Ｍデバイスのうちで直近において前記逆方向リンクでデータを送信した前記Ｍ２Ｍデバイスを識別することと、
前記少なくとも２つのＭ２Ｍデバイスのうちで直近において前記逆方向リンクでデータを送信した前記１つを選択することと、を備える請求項６に記載の方法。
【請求項９】
前記第１の周波数チャネルを割り当てることは、
ビジー状態を示すために前記第１のチャネル状態情報を前記アイドル状態から移行させることと、
前記選択されたＭ２Ｍデバイスを識別する割り当てメッセージを生成することと、
前記少なくとも２つのＭ２Ｍデバイスに前記移行された第１のチャネル状態情報及び前記割り当てメッセージをブロードキャストすることと、を備える請求項６に記載の方法。
【請求項１０】
Ｍ２Ｍデバイスの第１のグループを識別することであって、Ｍ２Ｍデバイスの前記第１のグループは、第１のデータレートで順方向リンクでデータを受信することと、
Ｍ２Ｍデバイスの第２のグループを識別することであって、Ｍ２Ｍデバイスの前記第２のグループは、第２のデータレートで前記順方向リンクでデータを受信し、前記第２のデータレートは、前記第１のデータレートよりも大きいことと、
Ｍ２Ｍデバイスの第３のグループを識別することであって、Ｍ２Ｍデバイスの前記第３のグループは、第３のデータレートで前記順方向リンクでデータを受信し、前記第３のデータレートは、前記第２のデータレートよりも大きいことと、をさらに備える請求項１に記載の方法。
【請求項１１】
周波数チャネルの第１のグループに関するチャネル状態情報を前記第１のデータレートでＭ２Ｍデバイスの前記第１のグループにブロードキャストすることであって、前記チャネル状態情報は、第１の順方向リンクフレームの第１のタイムスロットの少なくとも一部分中に送信されること、をさらに備える請求項１０に記載の方法。
【請求項１２】
周波数チャネルの第２のグループに関するチャネル状態情報を前記第２のデータレートでＭ２Ｍデバイスの前記第２のグループにブロードキャストすることであって、前記チャネル状態情報は、第２の順方向リンクフレームの第１のタイムスロットの少なくとも一部分中に送信されること、をさらに備える請求項１０に記載の方法。
【請求項１３】
周波数チャネルの第３のグループに関するチャネル状態情報を前記第３のデータレートでＭ２Ｍデバイスの前記第３のグループにブロードキャストすることであって、前記チャネル状態情報は、第３の順方向リンクフレームの第１のタイムスロットの少なくとも一部分中に送信されること、をさらに備える請求項１０に記載の方法。
【請求項１４】
前記第１及び第２の周波数チャネルを用いての前記逆方向リンクでの通信のために周波数分割多元接続（ＦＤＭＡ）を実装することをさらに備える請求項１に記載の方法。
【請求項１５】
マシン−マシン（Ｍ２Ｍ）無線ワイドエリアネットワーク（ＷＡＮ）における逆方向リンクでの無線通信のために構成された基地局であって、
プロセッサと、
前記プロセッサと電子的な通信状態にあるメモリと、
前記メモリに格納された命令と、を備え、前記命令は、
前記Ｍ２Ｍ無線ＷＡＮの動作周波数帯域を少なくとも第１の周波数チャネル及び第２の周波数チャネルに分割し、
第１のチャネル状態情報及び第２のチャネル状態情報を１つ以上のＭ２Ｍデバイスにブロードキャストするために前記プロセッサによって実行可能であり、前記第１及び第２の周波数チャネルは、前記逆方向リンクでの通信のために使用され、前記第１のチャネル状態情報は、前記第１の周波数チャネルのアイドル状態を示し、前記第２のチャネル状態情報は、前記第２の周波数チャネルの状態を示す、基地局。
【請求項１６】
前記状態は、前記アイドル状態又はビジー状態を備える請求項１５に記載の基地局。
【請求項１７】
前記命令は、
前記逆方向リンクでデータを送信するために前記第１の周波数チャネルを使用することを求める要求をＭ２Ｍデバイスから受信し、及び
前記Ｍ２Ｍデバイスに前記第１の周波数チャネルを割り当てるために
前記プロセッサによってさらに実行可能である、請求項１５に記載の基地局。
【請求項１８】
前記第１の周波数チャネルを割り当てるために前記プロセッサによって実行される前記命令は、
ビジー状態を示すために前記第１のチャネル状態情報を前記アイドル状態から移行させ、及び
前記１つ以上のＭ２Ｍデバイスに前記移行された第１のチャネル状態情報をブロードキャストするために前記プロセッサによってさらに実行可能である請求項１７に記載の基地局。
【請求項１９】
前記命令は、
前記第１の周波数チャネルで前記Ｍ２Ｍデバイスからデータを受信し、
前記Ｍ２Ｍデバイスから受信された前記データを復号した時点で、前記第１の周波数チャネルに関するアイドル状態を示すために前記第１のチャネル状態情報を前記ビジー状態から移行させ、及び
前記１つ以上のＭ２Ｍデバイスに前記移行された第１のチャネル状態情報をブロードキャストするために前記プロセッサによってさらに実行可能であり、前記第１の周波数チャネルは、ビジー状態を有する請求項１７に記載の基地局。
【請求項２０】
前記命令は、
前記逆方向リンクでデータを送信するために前記第１の周波数チャネルを使用することを求める要求を少なくとも２つのＭ２Ｍデバイスから受信し、
前記少なくとも２つのＭ２Ｍデバイスのうちの１つを選択し、及び
前記Ｍ２Ｍデバイスのうちの前記選択された１つに前記第１の周波数チャネルを割り当てるために前記プロセッサによってさらに実行可能であり、前記第１の周波数チャネルは、アイドル状態を備える請求項１５に記載の基地局。
【請求項２１】
前記命令は、
Ｍ２Ｍデバイスの第１のグループを識別し、
Ｍ２Ｍデバイスの第２のグループを識別し、及び
Ｍ２Ｍデバイスの第３のグループを識別するために前記プロセッサによってさらに実行可能であり、
Ｍ２Ｍデバイスの前記第１のグループは、第１のデータレートで順方向リンクでデータを受信し、
Ｍ２Ｍデバイスの前記第２のグループは、第２のデータレートで前記順方向リンクでデータを受信し、前記第２のデータレートは、前記第１のデータレートよりも大きく、
Ｍ２Ｍデバイスの前記第３のグループは、第３のデータレートで前記順方向リンクでデータを受信し、前記第３のデータレートは、前記第２のデータレートよりも大きい請求項１５に記載の基地局。
【請求項２２】
マシン−マシン（Ｍ２Ｍ）無線ワイドエリアネットワーク（ＷＡＮ）における逆方向リンクでの無線通信のために構成された装置であって、
前記Ｍ２Ｍ無線ＷＡＮの動作周波数帯域を少なくとも第１の周波数チャネル及び第２の周波数チャネルに分割するための手段であって、前記第１及び第２の周波数チャネルは、前記逆方向リンクでの通信のために使用される手段と、
第１のチャネル状態情報及び第２のチャネル状態情報を１つ以上のＭ２Ｍデバイスにブロードキャストするための手段であって、前記第１のチャネル状態情報は、前記第１の周波数チャネルのアイドル状態を示し、前記第２のチャネル状態情報は、前記第２の周波数チャネルの状態を示す手段と、を備える、装置。
【請求項２３】
前記状態は、前記アイドル状態又はビジー状態を備える請求項２２に記載の装置。
【請求項２４】
前記逆方向リンクでデータを送信するために前記第１の周波数チャネルを使用することを求める要求をＭ２Ｍデバイスから受信するための手段と、
前記Ｍ２Ｍデバイスに前記第１の周波数チャネルを割り当てるための手段と、をさらに備える請求項２２に記載の装置。
【請求項２５】
ビジー状態を示すために前記第１のチャネル状態情報を前記アイドル状態から移行させるための手段と、
前記１つ以上のＭ２Ｍデバイスに前記移行された第１のチャネル状態情報をブロードキャストするための手段と、をさらに備える請求項２４に記載の装置。
【請求項２６】
前記第１の周波数チャネルで前記Ｍ２Ｍデバイスからデータを受信するための手段であって、前記第１の周波数チャネルは、ビジー状態を有する手段と、
前記Ｍ２Ｍデバイスから受信された前記データを復号した時点で、前記第１の周波数チャネルに関する前記アイドル状態を示すために前記第１のチャネル状態情報を前記ビジー状態から移行させるための手段と、
前記１つ以上のＭ２Ｍデバイスに前記移行された第１のチャネル状態情報をブロードキャストするための手段と、をさらに備える請求項２４に記載の装置。
【請求項２７】
前記逆方向リンクでデータを送信するために前記第１の周波数チャネルを使用することを求める要求を少なくとも２つのＭ２Ｍデバイスから受信するための手段であって、前記第１の周波数チャネルは、前記アイドル状態を有する手段と、
前記少なくとも２つのＭ２Ｍデバイスのうちの１つを選択するための手段と、
前記Ｍ２Ｍデバイスのうちの前記選択された１つに前記第１の周波数チャネルを割り当てるための手段と、をさらに備える請求項２２に記載の装置。
【請求項２８】
Ｍ２Ｍデバイスの第１のグループを識別するための手段であって、Ｍ２Ｍデバイスの前記第１のグループは、第１のデータレートで順方向リンクでデータを受信する手段と、
Ｍ２Ｍデバイスの第２のグループを識別するための手段であって、Ｍ２Ｍデバイスの前記第２のグループは、第２のデータレートで前記順方向リンクでデータを受信し、前記第２のデータレートは、前記第１のデータレートよりも大きい手段と、
Ｍ２Ｍデバイスの第３のグループを識別するための手段であって、Ｍ２Ｍデバイスの前記第３のグループは、第３のデータレートで前記順方向リンクでデータを受信し、前記第３のデータレートは、前記第２のデータレートよりも大きい手段と、をさらに備える請求項２２に記載の装置。
【請求項２９】
マシン−マシン（Ｍ２Ｍ）無線ワイドエリアネットワーク（ＷＡＮ）における逆方向リンクでの無線通信を管理するためのコンピュータプログラム製品であって、
前記Ｍ２Ｍ無線ＷＡＮの動作周波数帯域を少なくとも第１の周波数チャネル及び第２の周波数チャネルに分割し、
第１のチャネル状態情報及び第２のチャネル状態情報を１つ以上のＭ２Ｍデバイスにブロードキャストするためにプロセッサによって実行可能である命令を格納する非一時的なコンピュータによって読み取り可能な媒体を備え、前記第１及び第２の周波数チャネルは、前記逆方向リンクでの通信のために使用され、前記第１のチャネル状態情報は、前記第１の周波数チャネルのアイドル状態を示し、前記第２のチャネル状態情報は、前記第２の周波数チャネルの状態を示す、コンピュータプログラム製品。
【請求項３０】
前記状態は、前記アイドル状態又はビジー状態を備える請求項２９に記載のコンピュータプログラム製品。
【請求項３１】
前記命令は、
前記逆方向リンクでデータを送信するために前記第１の周波数チャネルを使用することを求める要求をＭ２Ｍデバイスから受信し、及び
前記Ｍ２Ｍデバイスに前記第１の周波数チャネルを割り当てるために前記プロセッサによってさらに実行可能である、請求項２９に記載のコンピュータプログラム製品。
【請求項３２】
前記第１の周波数チャネルを割り当てるために前記プロセッサによって実行される前記命令は、
ビジー状態を示すために前記第１のチャネル状態情報を前記アイドル状態から移行させ、及び
前記１つ以上のＭ２Ｍデバイスに前記移行された第１のチャネル状態情報をブロードキャストするために前記プロセッサによってさらに実行可能である請求項３１に記載のコンピュータプログラム製品。
【請求項３３】
前記命令は、
前記第１の周波数チャネルで前記Ｍ２Ｍデバイスからデータを受信し、
前記Ｍ２Ｍデバイスから受信された前記データを復号した時点で、前記第１の周波数チャネルに関する前記アイドル状態を示すために前記第１のチャネル状態情報を前記ビジー状態から移行させ、及び
前記１つ以上のＭ２Ｍデバイスに前記移行された第１のチャネル状態情報をブロードキャストするために前記プロセッサによってさらに実行可能であり、前記第１の周波数チャネルは、ビジー状態を有する請求項３１に記載のコンピュータプログラム製品。
【請求項３４】
前記命令は、
前記逆方向リンクでデータを送信するために前記第１の周波数チャネルを使用することを求める要求を少なくとも２つのＭ２Ｍデバイスから受信し、
前記少なくとも２つのＭ２Ｍデバイスのうちの１つを選択し、及び
前記Ｍ２Ｍデバイスのうちの前記選択された１つに前記第１の周波数チャネルを割り当てるために前記プロセッサによってさらに実行可能であり、前記第１の周波数チャネルは、前記アイドル状態を有する請求項２９に記載のコンピュータプログラム製品。
【請求項３５】
前記命令は、
Ｍ２Ｍデバイスの第１のグループを識別し、
Ｍ２Ｍデバイスの第２のグループを識別し、及び
Ｍ２Ｍデバイスの第３のグループを識別するために前記プロセッサによってさらに実行可能であり、
Ｍ２Ｍデバイスの前記第１のグループは、第１のデータレートで順方向リンクでデータを受信し、
Ｍ２Ｍデバイスの前記第２のグループは、第２のデータレートで前記順方向リンクでデータを受信し、前記第２のデータレートは、前記第１のデータレートよりも大きく、
Ｍ２Ｍデバイスの前記第３のグループは、第３のデータレートで前記順方向リンクでデータを受信し、前記第３のデータレートは、前記第２のデータレートよりも大きい請求項２９に記載のコンピュータプログラム製品。
【請求項３６】
マシン−マシン（Ｍ２Ｍ）無線ワイドエリアネットワーク（ＷＡＮ）における逆方向リンクでの無線通信のための方法であって、
チャネル状態メッセージの第１のブロードキャストを受信することであって、前記チャネル状態メッセージは周波数チャネルのアイドル状態を示すことと、
前記周波数チャネルを使用することを求める要求を送信することと、
前記チャネル状態メッセージの第２のブロードキャストを受信することであって、前記チャネル状態メッセージは、前記周波数チャネルの状態を示すことと、
前記周波数チャネルの前記状態に少なくとも部分的に基づいてデータパケットを送信するために前記周波数チャネルを使用すべきかどうかを決定することと、を備える、方法。
【請求項３７】
前記周波数チャネルを使用すべきかどうかを決定することは、
前記周波数チャネルの前記状態が前記アイドル状態からビジー状態に移行しているかどうかを決定することと、
前記状態が前記ビジー状態に移行していると決定した時点で、前記周波数チャネルを用いて前記データパケットを送信することと、を備える請求項３６に記載の方法。
【請求項３８】
前記周波数チャネルを使用すべきかどうかを決定することは、
チャネル割り当て情報を受信することであって、前記チャネル割り当て情報は、前記周波数チャネルの明示の割り当てを備えることと、
前記チャネル割り当て情報に少なくとも部分的に基づいて前記周波数チャネルを用いて前記データパケットを送信することと、を備える請求項３６に記載の方法。
【請求項３９】
前記チャネル状態メッセージの第３のブロードキャストを受信することであって、前記チャネル状態メッセージは、ビジー状態から前記アイドル状態への前記周波数チャネルの前記状態の移行を示すことと、
前記周波数チャネルの前記状態の前記移行を示す前記第３のブロードキャストを受信した時点で、前記周波数チャネルを用いての前記逆方向リンクでの前記データの送信を終了させることと、をさらに備える請求項３６に記載の方法。
【請求項４０】
前記周波数チャネルを使用することを求める要求を送信することは、
前記データパケットのプリアンブルを送信することを備える請求項３６に記載の方法。
【手続補正２】
【補正対象書類名】明細書
【補正対象項目名】０１５８
【補正方法】変更
【補正の内容】
【０１５８】
［０１７６］本開示に関する前の説明は、当業者が本開示を製造又は使用することを可能にするために提供される。本開示に対する様々な修正は、当業者にとって容易に明確になるであろう、及びここにおいて定められる一般原理は、本発明の精神又は適用範囲を逸脱せずにその他の変形に対しても適用することができる。本開示全体を通じて、用語“例”又は“典型的な”は、例を示すものであり、挙げられる例が優先されることを意味するものでも要求するものでもない。以上のように、本開示は、ここにおいて示される例及び設計に限定されるものではなく、ここにおいて開示される原理及び新規の特徴に一致する限りにおいて最も広範な適用範囲が認められるべきである。
以下に、本願出願の当初の特許請求の範囲に記載された発明を付記する。
[Ｃ１]
マシン−マシン（Ｍ２Ｍ）無線ワイドエリアネットワーク（ＷＡＮ）における無線通信のための方法であって、
前記Ｍ２Ｍ無線ＷＡＮの動作周波数帯域を少なくとも第１の周波数チャネル及び第２の周波数チャネルに分割することであって、前記第１及び第２の周波数チャネルは、逆方向リンクでの通信のために使用されることと、
第１のチャネル状態情報及び第２のチャネル状態情報を１つ以上のＭ２Ｍデバイスにブロードキャストすることであって、前記第１のチャネル状態情報は、前記第１の周波数チャネルの状態を示し、前記第２のチャネル状態情報は、前記第２の周波数チャネルの状態を示すことと、を備える、方法。
[Ｃ２]
前記状態は、アイドル状態又はビジー状態を備えるＣ１に記載の方法。
[Ｃ３]
前記逆方向リンクでデータを送信するために前記第１の周波数チャネルを使用することを求める要求をＭ２Ｍデバイスから受信することであって、前記第１の周波数チャネルは、アイドル状態を備えることと、
前記Ｍ２Ｍデバイスに前記第１の周波数チャネルを割り当てることと、をさらに備えるＣ１に記載の方法。
[Ｃ４]
前記第１の周波数チャネルを割り当てることは、
ビジー状態を示すために前記第１のチャネル状態情報を前記アイドル状態から移行させることと、
前記１つ以上のＭ２Ｍデバイスに前記移行された第１のチャネル状態情報をブロードキャストすることと、を備えるＣ３に記載の方法。
[Ｃ５]
前記第１の周波数チャネルで前記Ｍ２Ｍデバイスからデータを受信することであって、前記第１の周波数チャネルは、ビジー状態を備えることと、
前記Ｍ２Ｍデバイスから受信された前記データを復号した時点で、前記第１の周波数チャネルに関するアイドル状態を示すために前記第１のチャネル状態情報を前記ビジー状態から移行させることと、
前記１つ以上のＭ２Ｍデバイスに前記移行された第１のチャネル状態情報をブロードキャストすることと、をさらに備えるＣ３に記載の方法。
[Ｃ６]
前記逆方向リンクでデータを送信するために前記第１の周波数チャネルを使用することを求める要求を少なくとも２つのＭ２Ｍデバイスから受信することであって、前記第１の周波数チャネルは、アイドル状態を備えることと、
前記少なくとも２つのＭ２Ｍデバイスのうちの１つを選択することと、
前記Ｍ２Ｍデバイスのうちの前記選択された１つに前記第１の周波数チャネルを割り当てることと、をさらに備えるＣ１に記載の方法。
[Ｃ７]
前記少なくとも２つのＭ２Ｍデバイスのうちの１つを選択することは、
前記少なくとも２つのＭ２Ｍデバイスのうちの各々から受信された前記逆方向リンクの強度を推定することと、
前記選択されたＭ２Ｍデバイスから受信された前記逆方向リンクの少なくとも前記推定された強度に部分的に基づいて前記少なくとも２つのＭ２Ｍデバイスのうちの前記１つを選択することと、を備えるＣ６に記載の方法。
[Ｃ８]
前記少なくとも２つのＭ２Ｍデバイスのうちの１つを選択することは、
前記少なくとも２つのＭ２Ｍデバイスのうちで直近において前記逆方向リンクでデータを送信した前記Ｍ２Ｍデバイスを識別することと、
前記少なくとも２つのＭ２Ｍデバイスのうちで直近において前記逆方向リンクでデータを送信した前記１つを選択することと、を備えるＣ６に記載の方法。
[Ｃ９]
前記第１の周波数チャネルを割り当てることは、
ビジー状態を示すために前記第１のチャネル状態情報を前記アイドル状態から移行させることと、
前記選択されたＭ２Ｍデバイスを識別する割り当てメッセージを生成することと、
前記少なくとも２つのＭ２Ｍデバイスに前記移行された第１のチャネル状態情報及び前記割り当てメッセージをブロードキャストすることと、を備えるＣ６に記載の方法。
[Ｃ１０]
Ｍ２Ｍデバイスの第１のグループを識別することであって、Ｍ２Ｍデバイスの前記第１のグループは、第１のデータレートで順方向リンクでデータを受信することと、
Ｍ２Ｍデバイスの第２のグループを識別することであって、Ｍ２Ｍデバイスの前記第２のグループは、第２のデータレートで前記順方向リンクでデータを受信し、前記第２のデータレートは、前記第１のデータレートよりも大きいことと、
Ｍ２Ｍデバイスの第３のグループを識別することであって、Ｍ２Ｍデバイスの前記第３のグループは、第３のデータレートで前記順方向リンクでデータを受信し、前記第３のデータレートは、前記第２のデータレートよりも大きいことと、をさらに備えるＣ１に記載の方法。
[Ｃ１１]
周波数チャネルの第１のグループに関するチャネル状態情報を前記第１のデータレートでＭ２Ｍデバイスの前記第１のグループにブロードキャストすることであって、前記チャネル状態情報は、第１の順方向リンクフレームの第１のタイムスロットの少なくとも一部分中に送信されること、をさらに備えるＣ１０に記載の方法。
[Ｃ１２]
周波数チャネルの第２のグループに関するチャネル状態情報を前記第２のデータレートでＭ２Ｍデバイスの前記第２のグループにブロードキャストすることであって、前記チャネル状態情報は、第２の順方向リンクフレームの第１のタイムスロットの少なくとも一部分中に送信されること、をさらに備えるＣ１０に記載の方法。
[Ｃ１３]
周波数チャネルの第３のグループに関するチャネル状態情報を前記第３のデータレートでＭ２Ｍデバイスの前記第３のグループにブロードキャストすることであって、前記チャネル状態情報は、第３の順方向リンクフレームの第１のタイムスロットの少なくとも一部分中に送信されること、をさらに備えるＣ１０に記載の方法。
[Ｃ１４]
前記第１及び第２の周波数チャネルを用いての前記逆方向リンクでの通信のために周波数分割多元接続（ＦＤＭＡ）を実装することをさらに備えるＣ１に記載の方法。
[Ｃ１５]
マシン−マシン（Ｍ２Ｍ）無線ワイドエリアネットワーク（ＷＡＮ）における逆方向リンクでの無線通信のために構成された基地局であって、
プロセッサと、
前記プロセッサと電子的な通信状態にあるメモリと、
前記メモリに格納された命令と、を備え、前記命令は、
前記Ｍ２Ｍ無線ＷＡＮの動作周波数帯域を少なくとも第１の周波数チャネル及び第２の周波数チャネルに分割し、
第１のチャネル状態情報及び第２のチャネル状態情報を１つ以上のＭ２Ｍデバイスにブロードキャストするために前記プロセッサによって実行可能であり、前記第１及び第２の周波数チャネルは、逆方向リンクでの通信のために使用され、前記第１のチャネル状態情報は、前記第１の周波数チャネルの状態を示し、前記第２のチャネル状態情報は、前記第２の周波数チャネルの状態を示す、基地局。
[Ｃ１６]
前記状態は、アイドル状態又はビジー状態を備えるＣ１５に記載の基地局。
[Ｃ１７]
前記命令は、
前記逆方向リンクでデータを送信するために前記第１の周波数チャネルを使用することを求める要求をＭ２Ｍデバイスから受信し、及び
前記Ｍ２Ｍデバイスに前記第１の周波数チャネルを割り当てるために前記プロセッサによってさらに実行可能であり、
前記周波数チャネルは、アイドル状態を備えるＣ１５に記載の基地局。
[Ｃ１８]
前記第１の周波数チャネルを割り当てるために前記プロセッサによって実行される前記命令は、
ビジー状態を示すために前記第１のチャネル状態情報を前記アイドル状態から移行させ、及び
前記１つ以上のＭ２Ｍデバイスに前記移行された第１のチャネル状態情報をブロードキャストするために前記プロセッサによってさらに実行可能であるＣ１７に記載の基地局。
[Ｃ１９]
前記命令は、
前記第１の周波数チャネルで前記Ｍ２Ｍデバイスからデータを受信し、
前記Ｍ２Ｍデバイスから受信された前記データを復号した時点で、前記第１の周波数チャネルに関するアイドル状態を示すために前記第１のチャネル状態情報を前記ビジー状態から移行させ、及び
前記１つ以上のＭ２Ｍデバイスに前記移行された第１のチャネル状態情報をブロードキャストするために前記プロセッサによってさらに実行可能であり、前記第１の周波数チャネルは、ビジー状態を備えるＣ１７に記載の基地局。
[Ｃ２０]
前記命令は、
前記逆方向リンクでデータを送信するために前記第１の周波数チャネルを使用することを求める要求を少なくとも２つのＭ２Ｍデバイスから受信し、
前記少なくとも２つのＭ２Ｍデバイスのうちの１つを選択し、及び
前記Ｍ２Ｍデバイスのうちの前記選択された１つに前記第１の周波数チャネルを割り当てるために前記プロセッサによってさらに実行可能であり、前記第１の周波数チャネルは、アイドル状態を備えるＣ１５に記載の基地局。
[Ｃ２１]
前記命令は、
Ｍ２Ｍデバイスの第１のグループを識別し、
Ｍ２Ｍデバイスの第２のグループを識別し、及び
Ｍ２Ｍデバイスの第３のグループを識別するために前記プロセッサによってさらに実行可能であり、
Ｍ２Ｍデバイスの前記第１のグループは、第１のデータレートで順方向リンクでデータを受信し、
Ｍ２Ｍデバイスの前記第２のグループは、第２のデータレートで前記順方向リンクでデータを受信し、前記第２のデータレートは、前記第１のデータレートよりも大きく、
Ｍ２Ｍデバイスの前記第３のグループは、第３のデータレートで前記順方向リンクでデータを受信し、前記第３のデータレートは、前記第２のデータレートよりも大きいＣ１５に記載の基地局。
[Ｃ２２]
マシン−マシン（Ｍ２Ｍ）無線ワイドエリアネットワーク（ＷＡＮ）における逆方向リンクでの無線通信のために構成された装置であって、
前記Ｍ２Ｍ無線ＷＡＮの動作周波数帯域を少なくとも第１の周波数チャネル及び第２の周波数チャネルに分割するための手段であって、前記第１及び第２の周波数チャネルは、逆方向リンクでの通信のために使用される手段と、
第１のチャネル状態情報及び第２のチャネル状態情報を１つ以上のＭ２Ｍデバイスにブロードキャストするための手段であって、前記第１のチャネル状態情報は、前記第１の周波数チャネルの状態を示し、前記第２のチャネル状態情報は、前記第２の周波数チャネルの状態を示す手段と、を備える、装置。
[Ｃ２３]
前記状態は、アイドル状態又はビジー状態を備えるＣ２２に記載の装置。
[Ｃ２４]
前記逆方向リンクでデータを送信するために前記第１の周波数チャネルを使用することを求める要求をＭ２Ｍデバイスから受信するための手段であって、前記第１の周波数チャネルは、アイドル状態を備える手段と、
前記Ｍ２Ｍデバイスに前記第１の周波数チャネルを割り当てるための手段と、をさらに備えるＣ２２に記載の装置。
[Ｃ２５]
ビジー状態を示すために前記第１のチャネル状態情報を前記アイドル状態から移行させるための手段と、
前記１つ以上のＭ２Ｍデバイスに前記移行された第１のチャネル状態情報をブロードキャストするための手段と、をさらに備えるＣ２４に記載の装置。
[Ｃ２６]
前記第１の周波数チャネルで前記Ｍ２Ｍデバイスからデータを受信するための手段であって、前記第１の周波数チャネルは、ビジー状態を備える手段と、
前記Ｍ２Ｍデバイスから受信された前記データを復号した時点で、前記第１の周波数チャネルに関するアイドル状態を示すために前記第１のチャネル状態情報を前記ビジー状態から移行させるための手段と、
前記１つ以上のＭ２Ｍデバイスに前記移行された第１のチャネル状態情報をブロードキャストするための手段と、をさらに備えるＣ２４に記載の装置。
[Ｃ２７]
前記逆方向リンクでデータを送信するために前記第１の周波数チャネルを使用することを求める要求を少なくとも２つのＭ２Ｍデバイスから受信するための手段であって、前記第１の周波数チャネルは、アイドル状態を備える手段と、
前記少なくとも２つのＭ２Ｍデバイスのうちの１つを選択するための手段と、
前記Ｍ２Ｍデバイスのうちの前記選択された１つに前記第１の周波数チャネルを割り当てるための手段と、をさらに備えるＣ２２に記載の装置。
[Ｃ２８]
Ｍ２Ｍデバイスの第１のグループを識別するための手段であって、Ｍ２Ｍデバイスの前記第１のグループは、第１のデータレートで順方向リンクでデータを受信する手段と、
Ｍ２Ｍデバイスの第２のグループを識別するための手段であって、Ｍ２Ｍデバイスの前記第２のグループは、第２のデータレートで前記順方向リンクでデータを受信し、前記第２のデータレートは、前記第１のデータレートよりも大きい手段と、
Ｍ２Ｍデバイスの第３のグループを識別するための手段であって、Ｍ２Ｍデバイスの前記第３のグループは、第３のデータレートで前記順方向リンクでデータを受信し、前記第３のデータレートは、前記第２のデータレートよりも大きい手段と、をさらに備えるＣ２２に記載の装置。
[Ｃ２９]
マシン−マシン（Ｍ２Ｍ）無線ワイドエリアネットワーク（ＷＡＮ）における逆方向リンクでの無線通信を管理するためのコンピュータプログラム製品であって、
前記Ｍ２Ｍ無線ＷＡＮの動作周波数帯域を少なくとも第１の周波数チャネル及び第２の周波数チャネルに分割し、
第１のチャネル状態情報及び第２のチャネル状態情報を１つ以上のＭ２Ｍデバイスにブロードキャストするためにプロセッサによって実行可能である命令を格納する非一時的なコンピュータによって読み取り可能な媒体を備え、前記第１及び第２の周波数チャネルは、逆方向リンクでの通信のために使用され、前記第１のチャネル状態情報は、前記第１の周波数チャネルの状態を示し、前記第２のチャネル状態情報は、前記第２の周波数チャネルの状態を示す、コンピュータプログラム製品。
[Ｃ３０]
前記状態は、アイドル状態又はビジー状態を備えるＣ２９に記載のコンピュータプログラム製品。
[Ｃ３１]
前記命令は、
前記逆方向リンクでデータを送信するために前記第１の周波数チャネルを使用することを求める要求をＭ２Ｍデバイスから受信し、及び
前記Ｍ２Ｍデバイスに前記第１の周波数チャネルを割り当てるために前記プロセッサによってさらに実行可能であり、前記第１の周波数チャネルは、アイドル状態を備えるＣ２９に記載のコンピュータプログラム製品。
[Ｃ３２]
前記第１の周波数チャネルを割り当てるために前記プロセッサによって実行される前記命令は、
ビジー状態を示すために前記第１のチャネル状態情報を前記アイドル状態から移行させ、及び
前記１つ以上のＭ２Ｍデバイスに前記移行された第１のチャネル状態情報をブロードキャストするために前記プロセッサによってさらに実行可能であるＣ３１に記載のコンピュータプログラム製品。
[Ｃ３３]
前記命令は、
前記第１の周波数チャネルで前記Ｍ２Ｍデバイスからデータを受信し、
前記Ｍ２Ｍデバイスから受信された前記データを復号した時点で、前記第１の周波数チャネルに関するアイドル状態を示すために前記第１のチャネル状態情報を前記ビジー状態から移行させ、及び
前記１つ以上のＭ２Ｍデバイスに前記移行された第１のチャネル状態情報をブロードキャストするために前記プロセッサによってさらに実行可能であり、前記第１の周波数チャネルは、ビジー状態を備えるＣ３１に記載のコンピュータプログラム製品。
[Ｃ３４]
前記命令は、
前記逆方向リンクでデータを送信するために前記第１の周波数チャネルを使用することを求める要求を少なくとも２つのＭ２Ｍデバイスから受信し、
前記少なくとも２つのＭ２Ｍデバイスのうちの１つを選択し、及び
前記Ｍ２Ｍデバイスのうちの前記選択された１つに前記第１の周波数チャネルを割り当てるために前記プロセッサによってさらに実行可能であり、前記第１の周波数チャネルは、アイドル状態を備えるＣ２９に記載のコンピュータプログラム製品。
[Ｃ３５]
前記命令は、
Ｍ２Ｍデバイスの第１のグループを識別し、
Ｍ２Ｍデバイスの第２のグループを識別し、及び
Ｍ２Ｍデバイスの第３のグループを識別するために前記プロセッサによってさらに実行可能であり、
Ｍ２Ｍデバイスの前記第１のグループは、第１のデータレートで順方向リンクでデータを受信し、
Ｍ２Ｍデバイスの前記第２のグループは、第２のデータレートで前記順方向リンクでデータを受信し、前記第２のデータレートは、前記第１のデータレートよりも大きく、
Ｍ２Ｍデバイスの前記第３のグループは、第３のデータレートで前記順方向リンクでデータを受信し、前記第３のデータレートは、前記第２のデータレートよりも大きいＣ２９に記載のコンピュータプログラム製品。
[Ｃ３６]
マシン−マシン（Ｍ２Ｍ）無線ワイドエリアネットワーク（ＷＡＮ）における逆方向リンクでの無線通信のための方法であって、
前記逆方向リンクでの通信のために使用する周波数チャネルを識別することであって、前記周波数チャネルは、アイドル状態を備えることと、
前記周波数チャネルを使用することを求める要求を送信することと、
チャネル状態メッセージの第１のブロードキャストを受信することであって、前記メッセージは、前記周波数チャネルの状態を示すことと、
前記周波数チャネルの前記状態に少なくとも部分的に基づいてデータパケットを送信するために前記周波数チャネルを使用すべきかどうかを決定することと、を備える、方法。
[Ｃ３７]
前記周波数チャネルを使用すべきかどうかを決定することは、
前記周波数チャネルの前記状態が前記アイドル状態からビジー状態に移行しているかどうかを決定することと、
前記状態が前記ビジー状態に移行していると決定した時点で、前記周波数チャネルを用いて前記データパケットを送信することと、を備えるＣ３６に記載の方法。
[Ｃ３８]
前記周波数チャネルを使用すべきかどうかを決定することは、
チャネル割り当て情報を受信することであって、前記チャネル割り当て情報は、前記周波数チャネルの明示の割り当てを備えることと、
前記チャネル割り当て情報に少なくとも部分的に基づいて前記周波数チャネルを用いて前記データパケットを送信することと、を備えるＣ３６に記載の方法。
[Ｃ３９]
前記チャネル状態メッセージの第２のブロードキャストを受信することであって、前記メッセージは、前記ビジー状態から前記アイドル状態への前記周波数チャネルの前記状態の移行を示すことと、
前記周波数チャネルの前記状態の前記移行を示す前記第２のブロードキャストを受信した時点で、前記周波数チャネルを用いての前記逆方向リンクでの前記データの送信を終了させることと、をさらに備えるＣ３６に記載の方法。
[Ｃ４０]
前記周波数チャネルを使用することを求める要求を送信することは、
前記データパケットのプリアンブルを送信することを備えるＣ３６に記載の方法。
【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
マシン−マシン（Ｍ２Ｍ）無線ワイドエリアネットワーク（ＷＡＮ）における無線通信のための方法であって、
前記Ｍ２Ｍ無線ＷＡＮの動作周波数帯域を少なくとも第１の周波数チャネル及び第２の周波数チャネルに分割することであって、前記第１及び第２の周波数チャネルは、逆方向リンクでの通信のために使用されることと、
第１のチャネル状態情報及び第２のチャネル状態情報を１つ以上のＭ２Ｍデバイスに基地局によってブロードキャストすることであって、前記第１のチャネル状態情報は、前記第１の周波数チャネルのアイドル状態を示し、前記第２のチャネル状態情報は、前記第２の周波数チャネルの状態を示すことと、
前記逆方向リンクでデータを送信するために前記第１の周波数チャネルを使用することを求めるＭ２Ｍデバイスからの要求を前記基地局によって受信することと、
前記要求に応じてビジー状態を示すために前記第１のチャネル状態情報を前記アイドル状態から前記基地局によって移行させることと、
を備える、方法。
【請求項２】
前記状態は、前記アイドル状態又は前記ビジー状態を備える請求項１に記載の方法。
【請求項３】
前記Ｍ２Ｍデバイスに前記第１の周波数チャネルを割り当てることと、をさらに備える請求項１に記載の方法。
【請求項４】
前記第１の周波数チャネルを割り当てることは、
前記１つ以上のＭ２Ｍデバイスに前記移行された第１のチャネル状態情報をブロードキャストすることと、を備える請求項３に記載の方法。
【請求項５】
前記第１の周波数チャネルで前記Ｍ２Ｍデバイスからデータを受信することであって、前記第１の周波数チャネルは、前記ビジー状態を有することと、
前記Ｍ２Ｍデバイスから受信された前記データを復号した時点で、前記第１の周波数チャネルに関するアイドル状態を示すために前記第１のチャネル状態情報を前記ビジー状態から移行させることと、
前記１つ以上のＭ２Ｍデバイスに前記移行された第１のチャネル状態情報をブロードキャストすることと、をさらに備える請求項３に記載の方法。
【請求項６】
前記逆方向リンクでデータを送信するために前記第１の周波数チャネルを使用することを求める要求を少なくとも第２のＭ２Ｍデバイスから受信することであって、ここにおいて、少なくとも２つのデバイスは前記逆方向リンクでデータを送信するために前記第１の周波数チャネルを使用することを要求しており、前記第１の周波数チャネルは、前記アイドル状態を有することと、
前記少なくとも２つのＭ２Ｍデバイスのうちの１つを選択することと、
前記Ｍ２Ｍデバイスのうちの前記選択された１つに前記第１の周波数チャネルを割り当てることと、をさらに備える請求項１に記載の方法。
【請求項７】
前記少なくとも２つのＭ２Ｍデバイスのうちの１つを選択することは、
前記少なくとも２つのＭ２Ｍデバイスのうちの各々から受信された前記逆方向リンクの強度を推定することと、
前記選択されたＭ２Ｍデバイスから受信された前記逆方向リンクの少なくとも前記推定された強度に部分的に基づいて前記少なくとも２つのＭ２Ｍデバイスのうちの前記１つを選択することと、を備える請求項６に記載の方法。
【請求項８】
前記少なくとも２つのＭ２Ｍデバイスのうちの１つを選択することは、
前記少なくとも２つのＭ２Ｍデバイスのうちで直近において前記逆方向リンクでデータを送信した前記Ｍ２Ｍデバイスを識別することと、
前記少なくとも２つのＭ２Ｍデバイスのうちで直近において前記逆方向リンクでデータを送信した前記１つを選択することと、を備える請求項６に記載の方法。
【請求項９】
前記第１の周波数チャネルを割り当てることは、
前記ビジー状態を示すために前記第１のチャネル状態情報を前記アイドル状態から移行させることと、
前記選択されたＭ２Ｍデバイスを識別する割り当てメッセージを生成することと、
前記少なくとも２つのＭ２Ｍデバイスに前記移行された第１のチャネル状態情報及び前記割り当てメッセージをブロードキャストすることと、を備える請求項６に記載の方法。
【請求項１０】
Ｍ２Ｍデバイスの第１のグループを識別することであって、Ｍ２Ｍデバイスの前記第１のグループは、第１のデータレートで順方向リンクでデータを受信することと、
Ｍ２Ｍデバイスの第２のグループを識別することであって、Ｍ２Ｍデバイスの前記第２のグループは、第２のデータレートで前記順方向リンクでデータを受信し、前記第２のデータレートは、前記第１のデータレートよりも大きいことと、
Ｍ２Ｍデバイスの第３のグループを識別することであって、Ｍ２Ｍデバイスの前記第３のグループは、第３のデータレートで前記順方向リンクでデータを受信し、前記第３のデータレートは、前記第２のデータレートよりも大きいことと、をさらに備える請求項１に記載の方法。
【請求項１１】
周波数チャネルの第１のグループに関するチャネル状態情報を前記第１のデータレートでＭ２Ｍデバイスの前記第１のグループにブロードキャストすることであって、前記チャネル状態情報は、第１の順方向リンクフレームの第１のタイムスロットの少なくとも一部分中に送信されること、をさらに備える請求項１０に記載の方法。
【請求項１２】
周波数チャネルの第２のグループに関するチャネル状態情報を前記第２のデータレートでＭ２Ｍデバイスの前記第２のグループにブロードキャストすることであって、前記チャネル状態情報は、第２の順方向リンクフレームの第１のタイムスロットの少なくとも一部分中に送信されること、をさらに備える請求項１０に記載の方法。
【請求項１３】
周波数チャネルの第３のグループに関するチャネル状態情報を前記第３のデータレートでＭ２Ｍデバイスの前記第３のグループにブロードキャストすることであって、前記チャネル状態情報は、第３の順方向リンクフレームの第１のタイムスロットの少なくとも一部分中に送信されること、をさらに備える請求項１０に記載の方法。
【請求項１４】
前記第１及び第２の周波数チャネルを用いての前記逆方向リンクでの通信のために周波数分割多元接続（ＦＤＭＡ）を実装することをさらに備える請求項１に記載の方法。
【請求項１５】
マシン−マシン（Ｍ２Ｍ）無線ワイドエリアネットワーク（ＷＡＮ）における逆方向リンクでの無線通信のために構成された基地局であって、
プロセッサと、
前記プロセッサと電子的な通信状態にあるメモリと、
前記メモリに格納された命令と、を備え、前記命令は、
前記Ｍ２Ｍ無線ＷＡＮの動作周波数帯域を少なくとも第１の周波数チャネル及び第２の周波数チャネルに分割し、
第１のチャネル状態情報及び第２のチャネル状態情報を１つ以上のＭ２Ｍデバイスにブロードキャストし、
前記逆方向リンクでデータを送信するために前記第１の周波数チャネルを使用することを求めるＭ２Ｍデバイスからの要求を受信し、
前記要求に応じてビジー状態を示すために前記第１のチャネル状態情報をアイドル状態から前記基地局によって移行するために前記プロセッサによって実行可能であり、前記第１及び第２の周波数チャネルは、前記逆方向リンクでの通信のために使用され、前記第１のチャネル状態情報は、前記第１の周波数チャネルのアイドル状態を示し、前記第２のチャネル状態情報は、前記第２の周波数チャネルの状態を示す、基地局。
【請求項１６】
前記状態は、前記アイドル状態又は前記ビジー状態を備える請求項１５に記載の基地局。
【請求項１７】
前記命令は、
前記Ｍ２Ｍデバイスに前記第１の周波数チャネルを割り当てるために
前記プロセッサによってさらに実行可能である、請求項１５に記載の基地局。
【請求項１８】
前記第１の周波数チャネルを割り当てるために前記プロセッサによって実行される前記命令は、
前記１つ以上のＭ２Ｍデバイスに前記移行された第１のチャネル状態情報をブロードキャストするために前記プロセッサによってさらに実行可能である請求項１７に記載の基地局。
【請求項１９】
前記命令は、
前記第１の周波数チャネルで前記Ｍ２Ｍデバイスからデータを受信し、
前記Ｍ２Ｍデバイスから受信された前記データを復号した時点で、前記第１の周波数チャネルに関するアイドル状態を示すために前記第１のチャネル状態情報を前記ビジー状態から移行させ、及び
前記１つ以上のＭ２Ｍデバイスに前記移行された第１のチャネル状態情報をブロードキャストするために前記プロセッサによってさらに実行可能であり、前記第１の周波数チャネルは、前記ビジー状態を有する請求項１７に記載の基地局。
【請求項２０】
前記命令は、
前記逆方向リンクでデータを送信するために前記第１の周波数チャネルを使用することを求める要求を少なくとも第２のＭ２Ｍデバイスから受信し、
前記少なくとも２つのＭ２Ｍデバイスのうちの１つを選択し、及び
前記Ｍ２Ｍデバイスのうちの前記選択された１つに前記第１の周波数チャネルを割り当てるために前記プロセッサによってさらに実行可能であり、ここにおいて、少なくとも２つのＭ２Ｍデバイスは前記逆方向リンクでデータを送信するために前記第１の周波数チャネルを使用することを要求しており、前記第１の周波数チャネルは、アイドル状態を備える請求項１５に記載の基地局。
【請求項２１】
前記命令は、
Ｍ２Ｍデバイスの第１のグループを識別し、
Ｍ２Ｍデバイスの第２のグループを識別し、及び
Ｍ２Ｍデバイスの第３のグループを識別するために前記プロセッサによってさらに実行可能であり、
Ｍ２Ｍデバイスの前記第１のグループは、第１のデータレートで順方向リンクでデータを受信し、
Ｍ２Ｍデバイスの前記第２のグループは、第２のデータレートで前記順方向リンクでデータを受信し、前記第２のデータレートは、前記第１のデータレートよりも大きく、
Ｍ２Ｍデバイスの前記第３のグループは、第３のデータレートで前記順方向リンクでデータを受信し、前記第３のデータレートは、前記第２のデータレートよりも大きい請求項１５に記載の基地局。
【請求項２２】
マシン−マシン（Ｍ２Ｍ）無線ワイドエリアネットワーク（ＷＡＮ）における逆方向リンクでの無線通信のために構成された装置であって、
前記Ｍ２Ｍ無線ＷＡＮの動作周波数帯域を少なくとも第１の周波数チャネル及び第２の周波数チャネルに分割するための手段であって、前記第１及び第２の周波数チャネルは、前記逆方向リンクでの通信のために使用される手段と、
第１のチャネル状態情報及び第２のチャネル状態情報を１つ以上のＭ２Ｍデバイスにブロードキャストするための手段であって、前記第１のチャネル状態情報は、前記第１の周波数チャネルのアイドル状態を示し、前記第２のチャネル状態情報は、前記第２の周波数チャネルの状態を示す手段と、
前記逆方向リンクでデータを送信するために前記第１の周波数チャネルを使用することを求めるＭ２Ｍデバイスからの要求を受信する手段と、
前記要求に応じてビジー状態を示すために前記第１のチャネル状態情報を前記アイドル状態から移行する手段を備える、装置。
【請求項２３】
前記状態は、前記アイドル状態又は前記ビジー状態を備える請求項２２に記載の装置。
【請求項２４】
前記Ｍ２Ｍデバイスに前記第１の周波数チャネルを割り当てるための手段をさらに備える請求項２２に記載の装置。
【請求項２５】
前記１つ以上のＭ２Ｍデバイスに前記移行された第１のチャネル状態情報をブロードキャストするための手段をさらに備える請求項２４に記載の装置。
【請求項２６】
前記第１の周波数チャネルで前記Ｍ２Ｍデバイスからデータを受信するための手段であって、前記第１の周波数チャネルは、前記ビジー状態を有する手段と、
前記Ｍ２Ｍデバイスから受信された前記データを復号した時点で、前記第１の周波数チャネルに関する前記アイドル状態を示すために前記第１のチャネル状態情報を前記ビジー状態から移行させるための手段と、
前記１つ以上のＭ２Ｍデバイスに前記移行された第１のチャネル状態情報をブロードキャストするための手段と、をさらに備える請求項２４に記載の装置。
【請求項２７】
前記逆方向リンクでデータを送信するために前記第１の周波数チャネルを使用することを求める要求を少なくとも第２のＭ２Ｍデバイスから受信するための手段であって、ここにおいて、少なくとも２つのＭ２Ｍデバイスは前記逆方向リンクでデータを送信するために前記第１の周波数チャネルを使用することを要求しており、前記第１の周波数チャネルは、前記アイドル状態を有する手段と、
前記少なくとも２つのＭ２Ｍデバイスのうちの１つを選択するための手段と、
前記Ｍ２Ｍデバイスのうちの前記選択された１つに前記第１の周波数チャネルを割り当てるための手段と、をさらに備える請求項２２に記載の装置。
【請求項２８】
Ｍ２Ｍデバイスの第１のグループを識別するための手段であって、Ｍ２Ｍデバイスの前記第１のグループは、第１のデータレートで順方向リンクでデータを受信する手段と、
Ｍ２Ｍデバイスの第２のグループを識別するための手段であって、Ｍ２Ｍデバイスの前記第２のグループは、第２のデータレートで前記順方向リンクでデータを受信し、前記第２のデータレートは、前記第１のデータレートよりも大きい手段と、
Ｍ２Ｍデバイスの第３のグループを識別するための手段であって、Ｍ２Ｍデバイスの前記第３のグループは、第３のデータレートで前記順方向リンクでデータを受信し、前記第３のデータレートは、前記第２のデータレートよりも大きい手段と、をさらに備える請求項２２に記載の装置。
【請求項２９】
マシン−マシン（Ｍ２Ｍ）無線ワイドエリアネットワーク（ＷＡＮ）における逆方向リンクでの無線通信を管理するためのコンピュータプログラム製品であって、
前記Ｍ２Ｍ無線ＷＡＮの動作周波数帯域を少なくとも第１の周波数チャネル及び第２の周波数チャネルに分割し、
第１のチャネル状態情報及び第２のチャネル状態情報を１つ以上のＭ２Ｍデバイスにブロードキャストし、
前記逆方向リンクでデータを送信するために前記第１の周波数チャネルを使用することを求めるＭ２Ｍデバイスからの要求を受信し、
前記要求に応じてビジー状態を示すために前記第１のチャネル状態情報をアイドル状態から移行するためにプロセッサによって実行可能である命令を格納する非一時的なコンピュータによって読み取り可能な媒体を備え、前記第１及び第２の周波数チャネルは、前記逆方向リンクでの通信のために使用され、前記第１のチャネル状態情報は、前記第１の周波数チャネルのアイドル状態を示し、前記第２のチャネル状態情報は、前記第２の周波数チャネルの状態を示す、コンピュータプログラム製品。
【請求項３０】
前記状態は、前記アイドル状態又は前記ビジー状態を備える請求項２９に記載のコンピュータプログラム製品。
【請求項３１】
前記命令は、
前記Ｍ２Ｍデバイスに前記第１の周波数チャネルを割り当てるために前記プロセッサによってさらに実行可能である、請求項２９に記載のコンピュータプログラム製品。
【請求項３２】
前記第１の周波数チャネルを割り当てるために前記プロセッサによって実行される前記命令は、
前記１つ以上のＭ２Ｍデバイスに前記移行された第１のチャネル状態情報をブロードキャストするために前記プロセッサによってさらに実行可能である請求項３１に記載のコンピュータプログラム製品。
【請求項３３】
前記命令は、
前記第１の周波数チャネルで前記Ｍ２Ｍデバイスからデータを受信し、
前記Ｍ２Ｍデバイスから受信された前記データを復号した時点で、前記第１の周波数チャネルに関する前記アイドル状態を示すために前記第１のチャネル状態情報を前記ビジー状態から移行させ、及び
前記１つ以上のＭ２Ｍデバイスに前記移行された第１のチャネル状態情報をブロードキャストするために前記プロセッサによってさらに実行可能であり、前記第１の周波数チャネルは、前記ビジー状態を有する請求項３１に記載のコンピュータプログラム製品。
【請求項３４】
前記命令は、
前記逆方向リンクでデータを送信するために前記第１の周波数チャネルを使用することを求める要求を少なくとも第２ののＭ２Ｍデバイスから受信し、
前記少なくとも２つのＭ２Ｍデバイスのうちの１つを選択し、及び
前記Ｍ２Ｍデバイスのうちの前記選択された１つに前記第１の周波数チャネルを割り当てるために前記プロセッサによってさらに実行可能であり、ここにおいて、少なくとも２つのデバイスは前記逆方向リンクでデータを送信するために前記第１の周波数チャネルを使用することを要求しており、前記第１の周波数チャネルは、前記アイドル状態を有する請求項２９に記載のコンピュータプログラム製品。
【請求項３５】
前記命令は、
Ｍ２Ｍデバイスの第１のグループを識別し、
Ｍ２Ｍデバイスの第２のグループを識別し、及び
Ｍ２Ｍデバイスの第３のグループを識別するために前記プロセッサによってさらに実行可能であり、
Ｍ２Ｍデバイスの前記第１のグループは、第１のデータレートで順方向リンクでデータを受信し、
Ｍ２Ｍデバイスの前記第２のグループは、第２のデータレートで前記順方向リンクでデータを受信し、前記第２のデータレートは、前記第１のデータレートよりも大きく、
Ｍ２Ｍデバイスの前記第３のグループは、第３のデータレートで前記順方向リンクでデータを受信し、前記第３のデータレートは、前記第２のデータレートよりも大きい請求項２９に記載のコンピュータプログラム製品。
【請求項３６】
マシン−マシン（Ｍ２Ｍ）無線ワイドエリアネットワーク（ＷＡＮ）における逆方向リンクでの無線通信のための方法であって、
基地局からチャネル状態メッセージの第１のブロードキャストをＭ２Ｍデバイスによって受信することであって、前記チャネル状態メッセージは第１の周波数チャネルの状態と第２の周波数チャネルの状態を示すことと、ここにおいて、前記第１の周波数チャネルはアイドル状態を有し、
前記逆方向リンクでデータを送信するために前記第１の周波数チャネルを使用することを求める要求を前記Ｍ２Ｍデバイスによって送信することと、
前記基地局から前記チャネル状態メッセージの第２のブロードキャストを前記Ｍ２Ｍデバイスによって受信することであって、前記チャネル状態メッセージは、前記第１の周波数チャネルの前記状態と前記第２の周波数チャネルの前記状態を示すことと、ここにおいて、前記第１の周波数チャネルの前記状態は前記アイドル状態からビジー状態へ移行したものである、
前記第１の周波数チャネルの前記状態に少なくとも部分的に基づいてデータパケットを送信するために前記第１の周波数チャネルを使用すべきかどうかを決定することと、を備える、方法。
【請求項３７】
前記第１の周波数チャネルを使用すべきかどうかを決定することは、
前記第１の周波数チャネルの前記状態が前記アイドル状態から前記ビジー状態に移行しているかどうかを決定することと、
前記状態が前記ビジー状態に移行していると決定した時点で、前記第１の周波数チャネルを用いて前記データパケットを送信することと、を備える請求項３６に記載の方法。
【請求項３８】
前記第１の周波数チャネルを使用すべきかどうかを決定することは、
チャネル割り当て情報を受信することであって、前記チャネル割り当て情報は、前記第１の周波数チャネルの明示の割り当てを備えることと、
前記チャネル割り当て情報に少なくとも部分的に基づいて前記第１の周波数チャネルを用いて前記データパケットを送信することと、を備える請求項３６に記載の方法。
【請求項３９】
前記チャネル状態メッセージの第３のブロードキャストを受信することであって、前記チャネル状態メッセージは、前記ビジー状態から前記アイドル状態への前記第１の周波数チャネルの前記状態の移行を示すことと、
前記第１の周波数チャネルの前記状態の前記移行を示す前記第３のブロードキャストを受信した時点で、前記第１の周波数チャネルを用いての前記逆方向リンクでの前記データの送信を終了させることと、をさらに備える請求項３６に記載の方法。
【請求項４０】
前記第１の周波数チャネルを使用することを求める要求を送信することは、
前記データパケットのプリアンブルを送信することを備える請求項３６に記載の方法。
【国際調査報告】
2016502814.tif 000023
2016502814.tif 000024
2016502814.tif 000025